(57)【要約】【課題】ユーザが、ユーザに適した情報を容易に取得でき、その情報を、情報の送信側や受信側が望む情報の単位毎に適した取り決めに従って送受信する。【解決手段】無線通信装置１０ａ〜１０ｄが、近距離無線により無線情報を送信する。端末装置３０ａ，３０ｂが、その無線情報を受信する。通信システム１は、受信した無線情報に基づいて、提供情報を特定する。通信システム１は、配信サーバ４０ａ，４０ｂから、端末装置３０ａ，３０ｂに提供情報を送信する際の通信ポリシーを、オブジェクト単位毎に決定し、設定する。そして、配信サーバ４０ａ，４０ｂが、特定した提供情報を送信し、端末装置３０ａ，３０ｂが、その提供情報を受信する。その際、通信システム１は、設定された通信ポリシーに基づいて、提供情報の送信をオブジェクト単位毎に制御する。【選択図】      図１
2004274170.tif 000002
【特許請求の範囲】
【請求項１】
情報送信装置と無線通信装置と端末装置の少なくとも二者間で行われる提供情報の送受信を行う通信システムにおいて、
近距離無線により無線情報を送信する近距離無線送信手段と、
該近距離無線送信手段が送信した無線情報を受信する近距離無線受信手段と、該近距離無線受信手段が受信した無線情報に基づいて、提供情報を特定する提供情報特定手段と、
該提供情報特定手段が特定した提供情報を送信する情報送信装置と、
前記情報送信装置から前記端末装置に前記提供情報を送信する際の通信ポリシーをオブジェクト単位毎に決定し、設定する通信ポリシー設定手段と、
該通信ポリシー設定手段によって設定された通信ポリシーに基づいて、前記提供情報の送信をオブジェクト単位毎に制御する通信制御手段とを備えることを特徴とする通信システム。
【請求項２】
前記オブジェクト単位には、データ単位、領域単位、コミュニティ単位、セッション単位、コネクション単位、又はトンネル単位が含まれることを特徴とする請求項１に記載の通信システム。
【請求項３】
前記提供情報特定手段は、測定情報、位置情報、時間情報、前記情報送信装置と前記端末装置との間のネットワークの状況、前記情報送信装置と前記端末装置との間の通信リソースの状況、前記提供情報に関する情報、前記情報送信装置に関する情報、前記端末装置に関する情報、前記近距離無線送信手段に関する情報、前記近距離無線受信手段に関する情報、前記近距離無線受信手段と前記近距離無線送信手段との関係、前記提供情報の送受信に関する通信料金、前記通信ポリシー設定手段が設定した通信ポリシー又は要求されるリアルタイム性の少なくとも１つと、前記受信した無線情報とに基づいて、前記提供情報を特定することを特徴とする請求項１又は２に記載の通信システム。
【請求項４】
前記提供情報特定手段に対して、前記提供情報に関する情報を提供する提示手段を備え、
前記提供情報特定手段は、前記提示手段が提供した前記提供情報に関する情報に基づいて、前記提供情報を特定することを特徴とする請求項１乃至３のいずれか１項に記載の通信システム。
【請求項５】
前記近距離無線受信手段は、複数の前記無線情報を受信し、前記提供情報特定手段は、前記無線情報の優先度に従って、前記複数の無線情報に基づく提供情報を順番に特定することを特徴とする請求項１乃至４のいずれか１項に記載の通信システム。
【請求項６】
前記複数の無線情報の前記優先度を設定する優先度設定手段を備えることを特徴とする請求項５に記載の通信システム。
【請求項７】
前記通信ポリシー設定手段は、前記提供情報特定手段が特定した提供情報、測定情報、位置情報、時間情報、前記情報送信装置と前記端末装置との間のネットワークの状況、前記情報送信装置と前記端末装置との間の通信リソースの状況、前記情報送信装置に関する情報、前記端末装置に関する情報、前記近距離無線送信手段に関する情報、前記近距離無線受信手段に関する情報、前記端末装置と前記近距離無線送信手段との関係、前記通信ポリシーの達成度、前記提供情報の送受信に関する通信料金又は要求されるリアルタイム性の少なくとも１つに基づいて、前記通信ポリシーを決定し、設定することを特徴とする請求項１乃至６のいずれか１項に記載の通信システム。
【請求項８】
前記通信ポリシーの設定条件を制御する設定条件制御手段を備え、
前記通信ポリシー設定手段は、前記設定条件制御手段が制御した設定条件に基づいて、前記通信ポリシーを決定し、設定することを特徴とする請求項１乃至７のいずれか１項に記載の通信システム。
【請求項９】
複数の前記通信ポリシー設定手段が、前記通信ポリシーの調整を行うことを特徴とする請求項１乃至８のいずれか１項に記載の通信システム。
【請求項１０】
前記通信ポリシー設定手段は、前記通信ポリシーの適用を制限することを特徴とする請求項１乃至９のいずれか１項に記載の通信システム。
【請求項１１】
前記通信ポリシー設定手段は、前記通信ポリシーとして、前記情報送信装置から前記端末装置に前記特定した提供情報を送信する際の品質、通信形態、通信料金、通信スケジュール、変換方法、同期制御方法、前記通信ポリシーの設定規則、要求されるリアルタイム性の少なくとも１つに関する取り決めを設定することを特徴とする請求項１乃至１０のいずれか１項に記載の通信システム。
【請求項１２】
前記情報送信装置から前記端末装置への提供情報の送信を中継する中継手段を備え、
前記通信ポリシー設定手段は、前記情報送信装置から前記中継手段に前記提供情報を送信する際の前記通信ポリシーと、前記中継手段から前記端末装置に前記提供情報を送信する際の前記通信ポリシーを決定し、設定することを特徴とする請求項１乃至１１のいずれか１項に記載の通信システム。
【請求項１３】
前記設定した通信ポリシーに基づいて、前記提供情報の送信に通信リソースを予め割り当てるリソース割当手段を備えることを特徴とする請求項１乃至１２のいずれか１項に記載の通信システム。
【請求項１４】
前記設定した通信ポリシーに基づいて、前記提供情報を変換する変換手段を備えることを特徴とする請求項１乃至１３のいずれか１項に記載の通信システム。
【請求項１５】
前記近距離無線送信手段による無線情報の送信を制限する無線情報制限手段を備えることを特徴とする請求項１乃至１４のいずれか１項に記載の通信システム。
【請求項１６】
前記情報送信装置による提供情報の送信を制限する提供情報制限手段を備えることを特徴とする請求項１乃至１５のいずれか１項に記載の通信システム。
【請求項１７】
前記情報送信装置と前記端末装置との間のネットワークの状況、前記情報送信装置と前記端末装置との間の通信リソースの状況、前記情報送信装置の状況、前記端末装置の状況、前記近距離無線送信手段の状況、前記近距離無線受信手段の状況、前記通信ポリシーの達成度の少なくとも１つを取得する取得手段を備えることを特徴とする請求項１乃至１６のいずれか１項に記載の通信システム。
【請求項１８】
前記提供情報を利用するための処理を行う処理手段を備えることを特徴とする請求項１乃至１７のいずれか１項に記載の通信システム。
【請求項１９】
前記提供情報の送受信に関する通信料金を課金する課金手段を備えることを特徴とする請求項１乃至１８のいずれか１項に記載の通信システム。
【請求項２０】
前記近距離無線送信手段が、他の前記近距離無線送信手段による前記無線情報の送信に関する送信情報に基づいて、前記無線情報を送信することを特徴とする請求項１乃至１９のいずれか１項に記載の通信システム。
【請求項２１】
無線通信装置が近距離無線により送信した無線情報を受信する近距離無線受信手段と、
該近距離無線受信手段が受信した無線情報に基づいて、提供情報を特定する提供情報特定手段と、
情報送信装置が送信する前記提供情報特定手段が特定した提供情報を受信する提供情報受信手段と、
前記情報送信装置から端末装置に前記提供情報を送信する際の通信ポリシーを、オブジェクト単位毎に決定し、設定する通信ポリシー設定手段とを備えることを特徴とする端末装置。
【請求項２２】
前記オブジェクト単位には、データ単位、領域単位、コミュニティ単位、セッション単位、コネクション単位、又はトンネル単位が含まれることを特徴とする請求項２１に記載の端末装置。
【請求項２３】
近距離無線により無線情報を送信する近距離無線送信手段と、
端末装置が受信した前記無線情報に基づいて、提供情報を特定する提供情報特定手段と、
情報送信装置から前記端末装置に前記提供情報を送信する際の通信ポリシーを、オブジェクト単位毎に決定し、設定する通信ポリシー設定手段とを備えることを特徴とする無線通信装置。
【請求項２４】
前記オブジェクト単位には、データ単位、領域単位、コミュニティ単位、セッション単位、コネクション単位、又はトンネル単位が含まれることを特徴とする請求項２３に記載の無線通信装置。
【請求項２５】
前記情報送信装置から前記端末装置への提供情報の送信を中継する中継手段を備えることを特徴とする請求項２３又は２４に記載の無線通信装置。
【請求項２６】
前記中継手段が、他の前記無線通信装置による前記提供情報の中継の際の通信ポリシーに基づいて、前記提供情報を中継することを特徴とする請求項２５に記載の無線通信装置。
【請求項２７】
前記近距離無線送信手段が、他の前記無線通信装置による前記無線情報の送信に関する送信情報に基づいて、前記無線情報を送信することを特徴とする請求項２３乃至２６のいずれか１項に記載の無線通信装置。
【請求項２８】
無線通信装置が近距離無線により送信し、端末装置が受信した無線情報に基づいて、提供情報を特定する提供情報特定手段と、
該提供情報特定手段が特定した提供情報を前記端末装置に送信する情報送信手段と、
オブジェクト単位毎に設定された情報送信装置から前記端末装置に前記提供情報を送信する際の通信ポリシーに基づいて、前記提供情報の送信をオブジェクト単位毎に制御する通信制御手段とを備えることを特徴とする情報送信装置。
【請求項２９】
前記オブジェクト単位には、データ単位、領域単位、コミュニティ単位、セッション単位、コネクション単位、又はトンネル単位が含まれることを特徴とする請求項２８に記載の情報送信装置。
【請求項３０】
前記通信ポリシーをオブジェクト単位毎に決定し、設定する通信ポリシー設定手段を備えることを特徴とする請求項２８又は２９に記載の情報送信装置。
【請求項３１】
無線通信装置が近距離無線により送信し、端末装置が受信した無線情報に基づいて特定された提供情報を、情報送信装置から前記端末装置に送信する際に、前記提供情報の送信を中継する中継手段と、
前記情報送信装置から前記中継手段に前記提供情報を送信する際のオブジェクト単位毎の通信ポリシーと、前記中継手段から前記端末装置に前記提供情報を送信する際の通信ポリシーを、オブジェクト単位毎に決定し、設定する通信ポリシー設定手段と、
該通信ポリシー設定手段が設定した通信ポリシーに基づいて、前記提供情報の送信をオブジェクト単位毎に制御する通信制御手段とを備えることを特徴とする中継装置。
【請求項３２】
前記オブジェクト単位には、データ単位、領域単位、コミュニティ単位、セッション単位、コネクション単位、又はトンネル単位が含まれることを特徴とする請求項３１に記載の中継装置。
【請求項３３】
端末装置が受信した無線通信装置が近距離無線により送信した無線情報に基づいて、提供情報を特定する提供情報特定手段と、
情報送信装置から前記端末装置に前記提供情報を送信する際の通信ポリシーを、オブジェクト単位毎に決定し、設定する通信ポリシー設定手段とを備えることを特徴とする管理サーバ。
【請求項３４】
前記オブジェクト単位には、データ単位、領域単位、コミュニティ単位、セッション単位、コネクション単位、又はトンネル単位が含まれることを特徴とする請求項３３に記載の管理サーバ。
【請求項３５】
前記情報送信装置から前記端末装置への提供情報の送信を中継する中継手段を備えることを特徴とする請求項３３又は３４に記載の管理サーバ。
【請求項３６】
無線通信装置が、近距離無線により無線情報を送信し、
端末装置が、前記無線情報を受信し、
前記端末装置が受信した無線情報に基づいて、提供情報を特定し、
前記情報送信装置から前記端末装置に前記提供情報を送信する際の通信ポリシーを、オブジェクト単位毎に決定して設定し、
前記情報送信装置が、前記特定した提供情報を前記設定した通信ポリシーに基づいて送信することを特徴とする通信方法。
【請求項３７】
前記近距離無線による無線情報の送信は、前記無線通信装置が、前記端末装置からの送信要求に基づき、前記無線情報を送信することを特徴とする請求項３６に記載の通信方法。
【請求項３８】
前記オブジェクト単位には、データ単位、領域単位、コミュニティ単位、セッション単位、コネクション単位、又はトンネル単位が含まれることを特徴とする請求項３６又は３７に記載の通信方法。
【請求項３９】
前記提供情報に関する情報を提供し、
前記提供情報の特定は、前記提供された提供情報に関する情報に基づいて行うことを特徴とする請求項３６乃至３８のいずれか１項に記載の通信方法。
【請求項４０】
前記端末装置は、複数の前記無線通信装置から複数の前記無線情報を受信し、
前記提供情報の特定は、前記無線情報の優先度に従って、前記複数の無線情報に基づく提供情報を順番に特定することにより行うことを特徴とする請求項３６乃至３９のいずれか１項に記載の通信方法。
【請求項４１】
前記通信ポリシーの設定条件を制御し、
前記通信ポリシーの設定は、前記制御した設定条件に基づいて行うことを特徴とする請求項３６乃至４０のいずれか１項に記載の通信方法。
【請求項４２】
前記情報送信装置、前記端末装置又は前記無線通信装置の少なくとも２つが、前記通信ポリシーの調整を行うことを特徴とする請求項３６乃至４１のいずれか１項に記載の通信方法。
【請求項４３】
前記通信ポリシーの適用を制限することを特徴とする請求項３６乃至４２のいずれか１項に記載の通信方法。
【請求項４４】
中継装置が、前記情報送信装置から前記端末装置への提供情報の送信を中継し、
前記通信ポリシーの設定は、前記情報送信装置から前記中継装置に前記提供情報を送信する際の前記通信ポリシーと、前記中継装置から前記端末装置に前記提供情報を送信する際の前記通信ポリシーを決定し、設定することにより行うことを特徴とする請求項３６乃至４３のいずれか１項に記載の通信方法。
【請求項４５】
前記設定した通信ポリシーに基づいて、前記提供情報の送信に通信リソースを予め割り当てることを特徴とする請求項３６乃至４４のいずれか１項に記載の通信方法。
【請求項４６】
前記設定した通信ポリシーに基づいて、前記提供情報を変換することを特徴とする請求項３６乃至４５のいずれか１項に記載の通信方法。
【請求項４７】
前記無線通信装置による無線情報の送信を制限することを特徴とする請求項３６乃至４６のいずれか１項に記載の通信方法。
【請求項４８】
前記情報送信装置による提供情報の送信を制限することを特徴とする請求項３６乃至４７のいずれか１項に記載の通信方法。
【請求項４９】
前記情報送信装置と前記端末装置との間のネットワークの状況、前記情報送信装置と前記端末装置との間の通信リソースの状況、前記情報送信装置の状況、前記無線通信装置の状況、前記端末装置の状況、前記通信ポリシーの達成度の少なくとも１つを取得することを特徴とする請求項３６乃至４８のいずれか１項に記載の通信方法。
【請求項５０】
前記提供情報を利用するための処理を行うことを特徴とする請求項３６乃至４９のいずれか１項に記載の通信方法。
【請求項５１】
前記提供情報の送受信に関する通信料金を課金することを特徴とする請求項３６乃至５０のいずれか１項に記載の通信方法。
【請求項５２】
前記無線通信装置が、他の前記無線通信装置による前記無線情報の送信に関する送信情報に基づいて、前記無線情報を送信することを特徴とする請求項３６乃至５１のいずれか１項に記載の通信方法。
【発明の詳細な説明】
【０００１】
【発明の属する技術分野】
本発明は、通信システム、端末装置、無線通信装置、情報送信装置、中継装置、管理サーバ及び通信方法に関する。
【０００２】
【従来の技術】
従来、端末装置は、情報を送信する際に、相手装置との間でその通信品質やその制御基準を設定する。そして、端末装置は、設定した通信品質やその制御基準に従って通信を行う（例えば、特許文献１参照）。又、無線基地局から無線端末に配信する情報を、その情報の構成要素の優先度に応じて複数のレイヤに区切り、そのレイヤ毎にチャネル割り当てを行う方法が提案されている（例えば、特許文献２参照）。
【０００３】
一方、近年、多くの情報が提供され、情報を利用するユーザは様々な情報を入手することができる。又、将来は、いつでもどこでも様々な情報が入手できるユビキタス社会が実現すると考えられている。
【０００４】
【特許文献１】
特開平１１−２７５１４５号公報
【０００５】
【特許文献２】
特開２００２−９５０６５号公報
【０００６】
【発明が解決しようとする課題】
しかしながら、端末装置が送信する情報全体を、一律に設定した通信品質や制御基準に従って送信する場合には、情報を構成する各データに適した通信品質で情報を送信することができなかった。又、情報をその構成要素の優先度に応じて区切り、チャネルを割り当てる場合にも、一律の条件で情報が区切られてしまう。そのため、情報を提供する情報送信装置や、情報を受信する端末装置が望む情報の単位毎に適したチャネル割当を行うことができなかった。更に、ユーザは、様々な情報を入手できるようになったものの、その情報量が膨大であるため、ユーザに適した情報を容易に取得することができなかった。
【０００７】
そこで、本発明は、ユーザが、ユーザに適した情報を容易に取得でき、その情報を、情報の送信側や受信側が望む情報の単位毎に適した取り決めに従って送受信できる通信システム、端末装置、無線通信装置、情報送信装置、中継装置、管理サーバ及び通信方法を提供することを目的とする。
【０００８】
【課題を解決するための手段】
本発明に係る通信システムは、情報送信装置と無線通信装置と端末装置の少なくとも２者間で行われる提供情報の送受信を行う通信システムである。本発明に係る通信システムは、近距離無線により無線情報を送信する近距離無線送信手段と、近距離無線送信手段が送信した無線情報を受信する近距離無線受信手段と、近距離無線受信手段が受信した無線情報に基づいて、提供情報を特定する提供情報特定手段と、提供情報特定手段が特定した提供情報を送信する情報送信装置と、情報送信装置が送信した提供情報を受信する端末装置と、情報送信装置から端末装置に提供情報を送信する際の通信ポリシーを、オブジェクト単位毎に決定し、設定する通信ポリシー設定手段と、通信ポリシー設定手段が設定した通信ポリシーに基づいて、提供情報の送信をオブジェクト単位毎に制御する通信制御手段とを備えることを特徴とする。
【０００９】
ここで、「通信ポリシー」とは、情報を送信する側と、情報を受信する側との間の取り決めであり、送信側から受信側に情報を送信する際の取り決めである。又、「オブジェクト単位」とは、情報の送信側や、情報の受信側が、ある情報を送信する場合に、１つの通信ポリシーの設定を望む情報の単位である。
【００１０】
このような通信システムによれば、近距離無線送信手段が、近距離無線により無線情報を送信する。近距離無線受信手段が、その無線情報を受信する。提供情報特定手段は、受信した無線情報に基づいて、提供情報を特定する。そして、情報送信装置が、特定した提供情報を送信し、端末装置が、その提供情報を受信する。そのため、提供情報を利用するユーザは、ユーザに適した情報を容易に取得できる。
【００１１】
更に、通信ポリシー設定手段が、情報送信装置から端末装置に提供情報を送信する際の通信ポリシーを、オブジェクト単位毎に決定し、設定する。そして、通信制御手段が、設定された通信ポリシーに基づいて、提供情報の送信をオブジェクト単位毎に制御する。そのため、通信システムは、情報の送信側である情報送信装置や、情報の受信側である端末装置が望む情報の単位毎に適した取り決めに従って、提供情報を送受信できる。
【００１２】
提供情報を構成するデータ単位として通信ポリシーを設定し、当該通信ポリシーに基づいて通信リソースを確保し、当該通信ポリシーに基づいてオブジェクトの送受信を制御することで、複数のオブジェクトを組み合わせて構成したマルチメディアコンテンツを送受信するに際し、高額の料金を支払ってもよいから全てのオブジェクトを最高の通信品質で受信したい、特定のオブジェクトについては通信品質を落としても良いから料金を安くして欲しいなどというような、コンテンツを受信するユーザの多様なニーズに柔軟に応えることができる。また、特定のオブジェクトについては通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００１３】
また領域単位、コミュニティ単位に通信ポリシーを設定し、当該通信ポリシーに基づいて通信リソースを確保し、当該通信ポリシーに基づいてコンテンツの送受信を制御することで、高額の料金を支払ってもよいからあらゆるユーザ状態（例えばユーザの存在する位置、所定のサービスに関するユーザ登録の有無）においてもコンテンツを最高の通信品質で受信したい、特定のユーザ状態にあるときは通信品質を落としても良いから料金を安くして欲しいなどというような、コンテンツを受信するユーザの多様なニーズに柔軟に応えることができる。また、特定のユーザ状態にあるときは通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００１４】
またセッション、コネクション、またはトンネルを単位として通信ポリシーを設定し、当該通信ポリシーに基づいて通信リソースを確保し、当該通信ポリシーに基づいてコンテンツの送受信を制御することで、高額の料金を支払ってもよいから全てのコネクション、セッションあるいはトンネルを利用したオブジェクトやコンテンツの送受信について最高の通信品質を確保したい、特定のコネクション、セッションあるいはトンネルを利用したオブジェクトやコンテンツの送受信については通信品質を落としても良いから料金を安くして欲しいなどというような、コンテンツを受信するユーザの多様なニーズに柔軟に応えることができる。また、特定のコネクション、セッションあるいはトンネルを利用したオブジェクトやコンテンツの送受信については通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００１５】
又、提供情報特定手段は、測定情報、位置情報、時間情報、情報送信装置と端末装置との間のネットワークの状況、情報送信装置と端末装置との間の通信リソースの状況、提供情報に関する情報、情報送信装置に関する情報、端末装置に関する情報、近距離無線送信手段に関する情報、近距離無線受信手段に関する情報、近距離無線受信手段と近距離無線送信手段との関係、提供情報の送受信に関する通信料金、通信ポリシー設定手段が設定した通信ポリシー又は要求されるリアルタイム性の少なくとも１つと、受信した無線情報とに基づいて、提供情報を特定することが好ましい。これによれば、提供情報特定手段は、無線情報だけでなく、その他の様々な情報に基づいて、提供情報を特定することができる。そのため、ユーザは、よりユーザに適した提供情報を取得することができる。
【００１６】
又、通信システムは、提供情報特定手段に対して、提供情報に関する情報を提供する提示手段を備え、提供情報特定手段は、提示手段が提供した提供情報に関する情報に基づいて、提供情報を特定するようにしてもよい。これによれば、提供情報特定手段は、提示手段によって提供された提供情報に関する情報に基づいて、提供情報を容易に特定できる。
【００１７】
更に、近距離無線受信手段は、複数の無線情報を受信し、提供情報特定手段は、無線情報の優先度に従って、複数の無線情報に基づく提供情報を順番に特定することが好ましい。これによれば、ユーザは、複数の無線情報に基づく提供情報を取得できる。そして、提供情報特定手段が、無線情報の優先度に従って、複数の無線情報のうち、優先度が高いものから順番に用い、提供情報を順番に特定することにより、ユーザは、ユーザにより適した提供情報から優先して取得することができる。又、通信システムは、複数の無線情報の優先度を設定する優先度設定手段を備えるようにしてもよい。これによれば、通信システムは、複数の無線情報の優先度を設定することができる。
【００１８】
通信ポリシー設定手段は、提供情報特定手段が特定した提供情報、測定情報、位置情報、時間情報、情報送信装置と端末装置との間のネットワークの状況、情報送信装置と端末装置との間の通信リソースの状況、情報送信装置に関する情報、端末装置に関する情報、近距離無線送信手段に関する情報、近距離無線受信手段に関する情報、端末装置と近距離無線送信手段との関係、通信ポリシーの達成度、提供情報の送受信に関する通信料金又は要求されるリアルタイム性の少なくとも１つに基づいて、通信ポリシーを決定し、設定することが好ましい。これによれば、通信ポリシー設定手段は、様々な情報に基づいて、通信ポリシーを決定し、設定することができる。そのため、情報送信装置と端末装置は、より適切な通信ポリシーに従って、提供情報を送受信できる。
【００１９】
更に、通信システムは、通信ポリシーの設定条件を制御する設定条件制御手段を備え、通信ポリシー設定手段は、設定条件制御手段が制御した設定条件に基づいて、通信ポリシーを決定し、設定するようにしてもよい。これによれば、通信システムは、通信ポリシーの設定条件を制御できる。そのため、通信システムは、様々な設定条件に基づいて、通信ポリシーを決定し、設定できる。
【００２０】
又、複数の通信ポリシー設定手段が、相互に通信ポリシーの調整を行うことが好ましい。これによれば、情報送信装置と端末装置は、より適切な通信ポリシーに従って、提供情報を送受信できる。又、通信ポリシー設定手段は、通信ポリシーの適用を制限するようにしてもよい。
【００２１】
又、通信ポリシー設定手段は、通信ポリシーとしては、例えば、情報送信装置から端末装置に、特定した提供情報を送信する際の品質、通信形態、通信料金、通信スケジュール、変換方法、同期制御方法、通信ポリシーの設定規則、要求されるリアルタイム性の少なくとも１つに関する取り決めを設定することが好ましい。
【００２２】
更に、通信システムは、情報送信装置から端末装置への提供情報の送信を中継する中継手段を備え、通信ポリシー設定手段は、提供情報を情報送信装置から中継手段に送信する際の通信ポリシーと、提供情報を中継手段から端末装置に送信する際の通信ポリシーを決定し、設定するようにしてもよい。これによれば、情報送信装置は、中継手段を介して提供情報を端末装置に送信できる。更に、通信システムは、情報送信装置から中継手段への提供情報の送信と、中継手段から端末装置への提供情報の送信、それぞれに適した通信ポリシーに従って、提供情報の送受信ができる。
【００２３】
更に、通信システムは、設定した通信ポリシーに基づいて、提供情報の送信に通信リソースを予め割り当てるリソース割当手段を備えることが好ましい。これによれば、情報送信装置は、通信ポリシーを実現するために必要な通信リソースを予め確保してから、提供情報を送信することができる。
【００２４】
又、通信システムは、設定した通信ポリシーに基づいて、提供情報を変換する変換手段を備えることが好ましい。これによれば、通信システムは、通信ポリシーを実現するために必要な提供情報の変換を行うことができる。
【００２５】
更に、通信システムは、近距離無線送信手段による無線情報の送信を制限する無線情報制限手段を備えることが好ましい。又、通信システムは、情報送信装置による提供情報の送信を制限する提供情報制限手段を備えることが好ましい。これらによれば、無線情報や提供情報の利用が特定のユーザに限られている場合に、そのユーザにのみ無線情報や提供情報を送信できる。又、無線情報や提供情報を同時に送信できるユーザ数を制限している場合に、制限された数のユーザにだけ無線情報や提供情報を送信できる。
【００２６】
又、通信システムは、情報送信装置と端末装置との間のネットワークの状況、情報送信装置と端末装置との間の通信リソースの状況、情報送信装置の状況、端末装置の状況、近距離無線送信手段の状況、近距離無線受信手段の状況、通信ポリシーの達成度の少なくとも１つを取得する取得手段を備えることが好ましい。これによれば、通信システムは、ネットワークの状況や通信リソースの状況、情報送信装置や端末装置の状況、近距離無線送信手段や近距離無線受信手段の状況、通信ポリシーの達成度を把握できる。そして、通信システムは、取得したこれらの情報に基づいて、提供情報の特定や通信ポリシーの設定、提供情報や無線情報の送信の制限などを行うことができる。
【００２７】
更に、通信システムは、提供情報を利用するための処理を行う処理手段を備えるようにしてもよい。これによれば、通信システムは、提供情報に、それを利用するための処理を付加できる。提供情報を利用するための処理には、例えば、提供情報の翻訳や、提供情報を実行するためのプログラムの提供などがある。又、通信システムは、提供情報の送受信に関する通信料金を課金する課金手段を備えることが好ましい。これによれば、通信システムは、提供情報の送受信に関する通信料金を課金できる。
【００２８】
又、近距離無線送信手段が、他の近距離無線送信手段による無線情報の送信に関する送信情報に基づいて、無線情報を送信することが好ましい。これによれば、近距離無線送信手段は、他の近距離無線送信手段が送信した無線情報を考慮して、より適切な無線情報を近距離無線受信手段に送信できる。
【００２９】
本発明に係る端末装置は、無線通信装置が近距離無線により送信した無線情報を受信する近距離無線受信手段と、近距離無線受信手段が受信した無線情報に基づいて、提供情報を特定する提供情報特定手段と、情報送信装置が送信する提供情報特定手段が特定した提供情報を、受信する提供情報受信手段と、情報送信装置から端末装置に提供情報を送信する際の通信ポリシーを、オブジェクト単位毎に決定し、設定する通信ポリシー設定手段とを備えることを特徴とする。
【００３０】
このような端末装置によれば、近距離無線受信手段が、近距離無線送信手段が送信した無線情報を受信する。提供情報特定手段は、受信した無線情報に基づいて、提供情報を特定する。そして、提供情報受信手段が、情報送信装置が送信する提供情報特定手段が特定した提供情報を受信する。そのため、提供情報を利用するユーザは、ユーザに適した情報を容易に取得できる。更に、通信ポリシー設定手段が、情報送信装置から端末装置に提供情報を送信する際の通信ポリシーを、オブジェクト単位毎に設定する。そのため、情報送信装置と端末装置は、情報送信装置や端末装置が望む情報の単位毎に適した取り決めに従って、提供情報を送受信できる。
【００３１】
本発明に係る無線通信装置は、近距離無線により無線情報を送信する近距離無線送信手段と、端末装置が受信した無線情報に基づいて、提供情報を特定する提供情報特定手段と、情報送信装置から端末装置に提供情報を送信する際の通信ポリシーを、オブジェクト単位毎に決定し、設定する通信ポリシー設定手段とを備えることを特徴とする。
【００３２】
このような無線通信装置によれば、近距離無線送信手段が、無線情報を近距離無線により送信する。そして、提供情報特定手段が、端末装置が受信した無線情報に基づいて、提供情報を特定する。そのため、提供情報を利用するユーザは、ユーザに適した情報を容易に取得できる。更に、通信ポリシー設定手段が、情報送信装置から端末装置に提供情報を送信する際の通信ポリシーを、オブジェクト単位毎に決定し、設定する。そのため、情報送信装置と端末装置は、情報送信装置や端末装置が望む情報の単位毎に適した取り決めに従って、提供情報を送受信できる。
【００３３】
更に、無線通信装置は、情報送信装置から端末装置への提供情報の送信を中継する中継手段を備えることが好ましい。これによれば、情報送信装置は、無線通信装置を介して提供情報を端末装置に中継できる。
【００３４】
又、中継手段が、他の無線通信装置による提供情報の中継の際の通信ポリシーに基づいて、提供情報を中継するようにしてもよい。これによれば、無線通信装置は、既に設定され、他の無線通信装置が用いている通信ポリシーを利用して、提供情報を中継できる。そのため、例えば、無線通信装置は、ある端末装置への提供情報の中継を、他の無線通信装置から容易に引き継ぐことができる。又、無線通信装置は、ある環境に適するように設定された通信ポリシーを、その環境においてそのまま利用でき、新たな通信ポリシーの設定を省略できる。
【００３５】
更に、近距離無線送信手段が、他の前記無線通信装置による無線情報の送信に関する送信情報に基づいて、無線情報を送信することが好ましい。これによれば、無線通信装置は、他の無線通信装置が送信した無線情報を考慮して、より適切な無線情報を送信できる。
【００３６】
本発明に係る情報送信装置は、無線通信装置が近距離無線により送信し、端末装置が受信した無線情報に基づいて、提供情報を特定する提供情報特定手段と、提供情報特定手段が特定した提供情報を端末装置に送信する情報送信手段と、オブジェクト単位毎に設定された情報送信装置から端末装置に特定した提供情報を送信する際の通信ポリシーに基づいて、提供情報の送信をオブジェクト単位毎に制御する通信制御手段とを備えることを特徴とする。
【００３７】
このような情報送信装置によれば、提供情報特定手段が、端末装置が受信した無線情報に基づいて、提供情報を特定する。そして、情報送信手段が、特定した提供情報を送信する。そのため、提供情報を利用するユーザは、ユーザに適した情報を容易に取得できる。更に、通信制御手段が、オブジェクト単位毎に設定された通信ポリシーに基づいて、提供情報の送信をオブジェクト単位毎に制御する。そのため、情報送信装置と端末装置は、情報送信装置や端末装置が望む情報の単位毎に適した取り決めに従って、提供情報を送受信できる。
【００３８】
又、情報送信装置は、通信ポリシーを、オブジェクト単位毎に決定し、設定する通信ポリシー設定手段を備えることが好ましい。これによれば、情報送信装置が、通信ポリシーを決定し、設定できる。
【００３９】
本発明に係る中継装置は、無線通信装置が近距離無線により送信し、端末装置が受信した無線情報に基づいて特定された提供情報を、情報送信装置から端末装置に送信する際に、提供情報の送信を中継する中継手段と、情報送信装置から中継手段に提供情報を送信する際の通信ポリシーと、中継手段から端末装置に提供情報を送信する際の通信ポリシーを、オブジェクト単位毎に設定する通信ポリシー設定手段と、通信ポリシー設定手段が設定した通信ポリシーに基づいて、提供情報の送信をオブジェクト単位毎に制御する通信制御手段とを備えることを特徴とする。
【００４０】
このような中継装置によれば、情報送信装置は、端末装置が受信した無線情報に基づいて特定した提供情報を、中継装置を介して端末装置に送信できる。そのため、提供情報を利用するユーザは、ユーザに適した情報を容易に取得できる。更に、中継装置は、オブジェクト単位毎に設定された通信ポリシーに基づいて、提供情報の送信をオブジェクト単位毎に制御する。そのため、情報送信装置と端末装置は、情報送信装置や端末装置が望む情報の単位毎に適した取り決めに従って、提供情報を送受信できる。しかも、中継装置、情報送信装置及び端末装置は、情報送信装置から中継装置への提供情報の送信と、中継装置から端末装置への提供情報の送信、それぞれに適した通信ポリシーに従って、提供情報の送受信ができる。
【００４１】
本発明に係る管理サーバは、端末装置が受信した無線通信装置が近距離無線により送信した無線情報に基づいて、提供情報を特定する提供情報特定手段と、情報送信装置から端末装置に提供情報を送信する際の通信ポリシーを、オブジェクト単位毎に決定し、設定する通信ポリシー設定手段とを備えることを特徴とする。
【００４２】
このような管理サーバによれば、提供情報特定手段が、端末装置が受信した無線情報に基づいて、提供情報を特定する。そのため、提供情報を利用するユーザは、ユーザに適した情報を容易に取得できる。更に、通信ポリシー設定手段が、情報送信装置から端末装置に提供情報を送信する際の通信ポリシーを、オブジェクト単位毎に決定し、設定する。そのため、情報送信装置と端末装置は、情報送信装置や端末装置が望む情報の単位毎に適した取り決めに従って、提供情報を送受信できる。
【００４３】
更に、管理サーバは、情報送信装置から端末装置への提供情報の送信を中継する中継手段を備えることが好ましい。これによれば、これによれば、情報送信装置は、管理サーバを介して提供情報を端末装置に中継できる。
【００４４】
本発明に係る通信方法は、無線通信装置が、近距離無線により無線情報を送信し、端末装置が、無線情報を受信し、端末装置が受信した無線情報に基づいて、提供情報を特定し、情報送信装置から端末装置に提供情報を送信する際の通信ポリシーを、オブジェクト単位毎に決定して設定し、情報送信装置が、提供情報を、設定した通信ポリシーに基づいて送信することを特徴とする。又、近距離無線による無線情報の送信は、無線通信装置が、端末装置からの送信要求に基づき、無線情報を送信するようにしてもよい。
【００４５】
更に、提供情報に関する情報を提供し、提供情報の特定は、提供された提供情報に関する情報に基づいて行うようにしてもよい。又、端末装置が、複数の無線通信装置から複数の無線情報を受信し、提供情報の特定は、無線情報の優先度に従って、複数の無線情報に基づく提供情報を順番に特定することにより行うようにしてもよい。又、通信ポリシーの設定条件を制御し、通信ポリシーの設定は、制御した設定条件に基づいて行うようにしてもよい。又、情報送信装置、端末装置又は無線通信装置の少なくとも２つは、通信ポリシーの調整を行うことが好ましい。又、通信ポリシーの適用を制限するようにしてもよい。
【００４６】
又、中継装置が、情報送信装置から端末装置への提供情報の送信を中継し、通信ポリシーの設定は、情報送信装置から中継装置に提供情報を送信する際の通信ポリシーと、中継装置から端末装置に提供情報を送信する際の通信ポリシーを決定し、設定することにより行うようにしてもよい。更に、設定した通信ポリシーに基づいて、提供情報の送信に通信リソースを予め割り当てることが好ましい。又、設定した通信ポリシーに基づいて、提供情報を変換することが好ましい。更に、無線通信装置や情報送信装置による無線情報の送信を制限するようにしてもよい。
【００４７】
又、情報送信装置と端末装置との間のネットワークの状況、情報送信装置と端末装置との間の通信リソースの状況、情報送信装置の状況、無線通信装置の状況、端末装置の状況、通信ポリシーの達成度の少なくとも１つを取得することが好ましい。更に、通信方法は、提供情報を利用するための処理を行うことが好ましい。又、提供情報の送受信に関する通信料金を課金することが好ましい。又、無線通信装置が、他の無線通信装置による無線情報の送信に関する送信情報に基づいて、無線情報を送信するようにしてもよい。
【００４８】
【発明の実施の形態】
以下、図面を参照して本発明の実施の形態について説明する。
【００４９】
［第１の実施の形態］
〈通信システム〉
まず、通信システム１全体について説明する。図１に示すように、通信システム１は、複数の無線通信装置１０ａ，１０ｂ，１０ｃ，１０ｄと、管理サーバ２０と、複数の端末装置３０ａ，３０ｂと、複数の配信サーバ４０ａ，４０ｂと、中継装置５０と、処理サーバ６０と、課金サーバ７０とを備える。
【００５０】
通信システム１では、無線通信装置１０ａ〜１０ｄが、端末装置３０ａ，３０ｂに近距離無線により無線情報を送信する。ここで近距離とは、移動体通信で行われる移動機と基地局間のような距離に比べて、はるかに近い距離を指し、ＲＦ−ＩＤ（Ｒａｄｉｏ  Ｆｒｅｑｕｅｎｃｙ  ＩＤｅｎｔｉｆｉｃａｔｉｏｎ）、無線ＬＡＮ（Ｌｏｃａｌ  Ａｒｅａ  Ｎｅｔｗｏｒｋ）、ブルートゥース（Ｂｌｕｅｔｏｏｔｈ、登録商標）、赤外線等で提供される近距離通信にて提供される交信可能距離をいう。端末装置３０ａ，３０ｂは、近距離無線通信により無線情報を送受信する機構を装備する。
【００５１】
無線情報は、無線通信装置１０ａ〜１０ｄが近距離無線により端末装置３０ａ，３０ｂに送信する情報である。端末装置３０ａ，３０ｂが、無線情報を受信する。そして、通信システム１は、端末装置３０ａ，３０ｂが受信した無線情報に基づいて、提供情報を特定する。提供情報は、配信サーバ４０ａ，４０ｂが端末装置３０ａ，３０ｂに送信する情報である。提供情報の特定は、無線通信装置１０ｄ、管理サーバ２０、端末装置３０ａ又は配信サーバ４０ａのいずれが行ってもよい。尚、通信システム１は、提供情報の特定に加え、処理サーバ６０が行う処理を特定してもよい。
【００５２】
更に、通信システム１は、配信サーバ４０ａ，４０ｂから端末装置３０ａ，３０ｂに、特定した提供情報を送信する際の通信ポリシーを、オブジェクト単位毎に決定し、設定する。通信ポリシーの設定は、無線通信装置１０ｄ、管理サーバ２０、端末装置３０ａ、配信サーバ４０ａ、中継装置５０のいずれが行ってもよい。又、通信ポリシーの設定は、無線通信装置１０ｄ、管理サーバ２０、端末装置３０ａ、配信サーバ４０ａ、中継装置５０のいずれが単独で行ってもよく、２つ以上が共同で行ってもよい。通信ポリシーの設定には、通信ポリシーを制御すること、通信ポリシーを調整すること、一度設定した通信ポリシーを再度設定し直して変更すること、通信ポリシーの適用を制限することなどが含まれる。更に、通信システム１は、提供情報を送信する際の通信ポリシーに加え、処理サーバ６０が行う処理に関する情報（以下、「処理情報」という）を送信する際の通信ポリシーを決定し、設定してもよい。尚、通信システム１は、提供情報を送信する際の通信ポリシーを決定し、設定した後に、提供情報を特定してもよい。
【００５３】
そして、配信サーバ４０ａ，４０ｂが、設定した通信ポリシーに基づいて、オブジェクト単位毎に、特定した提供情報を端末装置３０ａ，３０ｂに送信する。配信サーバ４０ａ，４０ｂは、処理サーバ６０による処理を受けた提供情報や、処理サーバ６０が行う処理に用いる処理情報も送信する。又、処理サーバ６０が、処理を行った提供情報や、処理情報を端末装置３０ａ，３０ｂに送信する場合もある。
【００５４】
尚、配信サーバ４０ａ，４０ｂや処理サーバ６０は、提供情報や処理情報を、無線情報を受信した端末装置に送信してもよく、無線情報を受信した端末装置以外の端末装置に送信してもよい。配信サーバ４０ａ，４０ｂや処理サーバ６０は、提供情報や処理情報を、端末装置３０ａ，３０ｂに、直接送信してもよい。又、配信サーバ４０ａ，４０ｂや処理サーバ６０は、提供情報や処理情報を、端末装置３０ａ，３０ｂに、無線通信装置１０ｃ，１０ｄ、管理サーバ２０又は中継装置５０を介して送信してもよい。
【００５５】
このように、通信システム１は、配信サーバ４０ａ，４０ｂと無線通信装置１０ｃ，１０ｄと端末装置３０ａ，３０ｂの少なくとも二者間で行われる提供情報の送受信を行う通信システムである。
【００５６】
配信サーバ４０ａ，４０ｂ、処理サーバ６０が、提供情報や処理情報を、端末装置３０ａ，３０ｂに送信する場合の経路は、以下に示すように複数存在する。配信サーバ４０ａ，４０ｂ、処理サーバ６０が、端末装置３０ａ，３０ｂに直接送信する場合の経路には、経路１ａ〜１ｄがある。又、配信サーバ４０ａ，４０ｂ、処理サーバ６０が、中継装置５０を介して端末装置３０ａ，３０ｂに送信する場合の経路には、配信サーバ４０ａ，４０ｂ、処理サーバ６０から中継装置５０までの経路２ａ〜２ｃと、中継装置５０から端末装置３０ａ，３０ｂまでの経路３ａ，３ｂとを組み合わせた経路がある。又、配信サーバ４０ｂ、処理サーバ６０が、管理サーバ２０及び無線通信装置１０ｃ，１０ｄを介して端末装置３０ｂに送信する場合の経路には、配信サーバ４０ｂ、処理サーバ６０から管理サーバ２０までの経路４ａ，４ｂと、管理サーバ２０から無線通信装置１０ｃ，１０ｄまでの経路５ａ，５ｂと、無線通信装置１０ｃ，１０ｄから端末装置３０ｂまでの経路６ａ，６ｂとを組み合わせた経路がある。
【００５７】
更に、配信サーバ４０ａ，４０ｂ、処理サーバ６０が、中継装置５０、管理サーバ２０及び無線通信装置１０ｃ，１０ｄを介して端末装置３０ｂに送信する場合の経路には、配信サーバ４０ａ，４０ｂ、処理サーバ６０から中継装置５０までの経路２ａ〜２ｃと、中継装置５０から管理サーバ２０までの経路４ｃと、管理サーバ２０から無線通信装置１０ｃ，１０ｄまでの経路５ａ，５ｂと、無線通信装置１０ｃ，１０ｄから端末装置３０ｂまでの経路６ａ，６ｂとを組み合わせた経路がある。尚、配信サーバ４０ａ，４０ｂと処理サーバ６０との間で、提供情報や処理情報を送受信する経路には、経路７ａ，７ｂがある。
【００５８】
そして、端末装置３０ａ，３０ｂは、送信された提供情報や処理情報を受信する。尚、端末装置３０ａ，３０ｂは、無線通信装置１０ａ〜１０ｄからの無線情報の受信と、配信サーバ４０ａ，４０ｂ、処理サーバ６０からの提供情報や処理情報の受信を並行して行ってもよい。更に、通信システム１では、課金サーバ７０が、このような無線情報や提供情報、処理情報の送受信に関する通信料金、処理サーバ６０による処理に関する処理料金を課金する。そのため、端末装置３０ａ、管理サーバ２０、配信サーバ４０ａ，４０ｂ、中継装置５０、処理サーバ６０は、図１中点線で示すように、通信料金の算出に必要な情報（以下、「算出情報」という）を、課金サーバ７０に送信する。尚、本実施形態では、算出情報には処理料金の算出に必要な情報も含まれる。
【００５９】
又、通信システム１において、無線通信装置１０ａ〜１０ｄと端末装置３０ａ，３０ｂとは、無線を介して通信する。端末装置３０ａ，３０ｂと、配信サーバ４０ａ，４０ｂや中継装置５０、処理サーバ６０とは、ネットワークを介して通信する。管理サーバ２０、配信サーバ４０ａ，４０ｂ、中継装置５０、処理サーバ６０、課金サーバ７０は、相互にネットワークを介して通信する。無線通信装置１０ａ，１０ｂと管理サーバ２０とは、ネットワークを介して通信する。ネットワークの種類は、特に限定されない。例えば、ネットワークとしては、移動通信網、有線通信網、インターネット、専用線、仮想プライベートネットワーク（ＶＰＮ：Ｖｉｒｔｕａｌ  Ｐｒｉｖａｔｅ  Ｎｅｔｗｏｒｋ）、ＡＴＭ（Ａｓｙｎｃｈｒｏｎｏｕｓ  Ｔｒａｎｓｆｅｒ  Ｍｏｄｅ）網、ＡＤＳＬ（Ａｓｙｍｍｅｔｒｉｃ  Ｄｉｇｉｔａｌ  Ｓｕｂｓｃｒｉｂｅｒ  Ｌｉｎｅ）網、ＣＡＴＶ（Ｃａｂｌｅ  Ｔｅｌｅｖｉｓｉｏｎ）網、光ファイバ網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）等を用いることができる。又、ネットワークは、公衆の通信網であってもよく、私設のローカル通信網であってもよい。
【００６０】
次に、各装置について詳細に説明する。
【００６１】
〔無線通信装置〕
無線通信装置１０ａ〜１０ｄは、近距離無線により無線情報を端末装置３０ａ，３０ｂに送信する。無線通信装置１０ａ〜１０ｄは、あらゆる物体に付けられる。無線通信装置１０ａ〜１０ｄは、例えば、人、商品、所有物、印刷物、看板、ポスター、掲示板、装置、食料品、家電製品、荷物、バスや電車などの移動手段、建物や橋、信号機などの建造物などに付けられる。無線通信装置１０ａ〜１０ｄが付けられている物体を、その無線通信装置１０ａ〜１０ｄの対象物という。
【００６２】
無線情報には、対象物に関する対象物情報がある。対象物情報には、対象物を識別する識別子（以下「モノＩＤ」という）がある。モノＩＤとしては、例えば、装置や食料品の製造番号や製造記号、人、商品、所有物、看板、荷物、移動手段、建造物に付与した番号や記号、文字などを用いることができる。対象物情報は、例えば、対象物の説明文や説明図、対象物の映像、対象物と関連するサービス名、サービス内容、サービス利用料金、サービス提供時間などのサービス情報などがある。又、例えば、対象物が装置の場合、対象物情報には、装置の型番、構成部品、製造元等の装置に関する情報がある。対象物が食料品の場合、対象物情報には、食料品の種類、原材料、製造過程、値段、消費期限等の食料品に関する情報がある。対象物が建造物や看板の場合、対象物情報には、その位置情報などがある。対象物がバスや電車の場合、その運行経路、停留所名や停車駅名、時刻表、移動速度などがある。又、対象物が個人の所有物である鞄などの場合、対象物情報には、鞄に関する情報だけでなく、その鞄に入っている物に関する情報がある。同様に、対象物が部屋の壁である場合、対象物情報には、その部屋にある物に関する情報がある。このように、対象物情報は、対象物そのものだけでなく、対象物に関わる複数の物体に関する情報を含んでもよい。
【００６３】
又、複数の無線通信装置１０ａ〜１０ｄは、領域を特定できる。例えば、建物の壁や天井に付けられた複数の無線通信装置１０ａ〜１０ｄや、看板や橋、信号機に付けられた複数の無線通信装置１０ａ〜１０ｄが、領域を特定する。特定する領域は、２次元の領域であっても、３次元の領域であってもよい。複数の無線通信装置１０ａ〜１０ｄが特定する領域を、複数の無線通信装置１０ａ〜１０ｄの対象領域という。１つの無線通信装置が、重複して複数の対象領域の特定に加わってもよい。無線情報には、この対象領域に関する対象領域情報がある。対象領域情報には、対象領域を識別する識別子（以下「領域ＩＤ」という）がある。領域ＩＤとしては、対象領域に付与した番号や記号、文字などを用いることができる。又、対象領域情報には、領域に存在する物や人に関する情報や、領域の位置情報、温度や湿度等の領域の状況などがある。
【００６４】
更に、無線情報には、無線通信装置１０ａ〜１０ｄに関する無線通信装置情報がある。無線通信装置情報には、無線通信装置１０ａ〜１０ｄを識別する識別子（以下「タグＩＤ」という）がある。タグＩＤとしては、無線通信装置１０ａ〜１０ｄに付与した番号や記号、文字などを用いることができる。又、無線通信装置情報には、無線通信装置１０ａ〜１０ｄ全体に関する情報と、無線通信装置１０ａ〜１０ｄを構成する各構成に関する情報がある。又、無線通信装置情報には、無線通信装置１０ａ〜１０ｄの位置情報、無線通信装置１０ａ〜１０ｄの処理能力や通信速度、容量などの無線通信装置の性能に関する情報、無線通信装置１０ａ〜１０ｄの負荷状況や処理状況、無線通信装置１０ａ〜１０ｄが希望する通信ポリシー、通信料金の希望上限額、提供してもよい無線通信装置１０ａ〜１０ｄに関する通信リソース、希望するオブジェクト単位、要求する品質、要求されるリアルタイム性などがある。尚、要求されるリアルタイム性とは、情報の送信を急ぐ程度をいう。情報の送信を急ぐほど、要求されるリアルタイム性が高く、情報の送信がゆっくりであってもよいほど、要求されるリアルタイム性が低い。
【００６５】
具体的には、送信完了予定時刻が早いほど、送信開始から完了までの送信所要時間や許容遅延時間が短いほど、移動速度が大きいほど、現在の送信完了予定時刻が現在時刻に近いほど、通信速度が大きいほど、許容ジッターが小さいほど、課金単価が高いほど、未送信のデータ容量が大きいほど、要求されるリアルタイム性が高くなるように定められる。
【００６６】
又、複数の無線通信装置１０ａ〜１０ｄは、グループを形成してもよい（以下、複数の無線通信装置が形成するグループを「タググループ」という）。例えば、特定の領域に存在する無線通信装置１０ａ〜１０ｄでタググループを形成できる。又、タググループに属することができる一定数を定め、任意の無線通信装置１０ａ〜１０ｄが一定数集合することによりタググループを形成できる。又、特定の領域に存在する無線通信装置１０ａ〜１０ｄを、一定数で区切ったタググループを形成できる。無線通信装置情報には、このタググループを識別する識別子（以下「タググループＩＤ」という）や、タググループに関する情報がある。タググループＩＤとしては、タググループに付与した番号や記号、文字などを用いることができる。
【００６７】
更に、無線情報には、ユーザに通知する広告情報がある。広告情報には、不特定多数のユーザを対象に通知する情報や、特定のユーザを対象に通知する情報がある。広告情報には、例えば、講演会や学会発表、討論会、コンサートなどのイベント情報、会議の開催情報、テレビやラジオなどの放送情報、店舗情報、遊戯施設情報、観光情報、映画情報、商品やサービスに関する情報、アドレス情報、配信情報などがある。イベント情報や開催情報には、例えば、場所や開始時刻などがある。放送情報には、放送開始時刻や番組内容、出演者情報などがある。店舗情報や遊戯施設情報、観光情報には、場所、利用時間、値段、割引情報などがある。商品やサービスに関する情報は、名称、特徴、値段などがある。アドレス情報には、ＵＲＬ（Ｕｎｉｆｏｒｍ  Ｒｅｓｏｕｒｃｅ  Ｌｏｃａｔｏｒ）で表記されたアドレスや、そのリストなどがある。
【００６８】
配信情報は、提供情報の送信に関する情報である。配信情報には、提供情報の送信を予告する予告通知がある。予告通知には、送信開始日時、送信される提供情報の受信の準備の指示などが含まれる。尚、無線通信装置１０ａ〜１０ｄは、配信情報を、特定の領域に存在する端末装置３０ａ，３０ｂや、特定のユーザに限って送信してもよい。又、複数の無線通信装置１０ａ〜１０ｄが、配信情報を送信してもよい。又、広告情報は、無線通信装置１０ａ〜１０ｄが存在する位置や時間に応じた情報を用いることが好ましい。
【００６９】
無線通信装置１０ａ〜１０ｄは、広告情報に応じて配置されることが好ましい。具体的には、無線通信装置１０ａ〜１０ｄは、広告情報を必要とするユーザや、広告情報を利用する可能性のあるユーザが多数存在する場所にある物体に付けられて、配置される。例えば、講演会や学会発表に関する情報を送信する無線通信装置１０ａ〜１０ｄは、学校や研究所などに配置する。コンサートに関する情報を送信する無線通信装置１０ａ〜１０ｄは、コンサート会場周辺に配置する。会議の開催情報を送信する無線通信装置１０ａ〜１０ｄは、会社に配置する。店舗情報や遊戯施設情報を送信する無線通信装置１０ａ〜１０ｄは、店舗や遊戯施設内に配置する。観光情報を送信する無線通信装置１０ａ〜１０ｄは、観光地に配置する。又、無線通信装置１０ａ〜１０ｄは、無線通信装置１０ａ〜１０ｄの性能に応じて配置されてもよい。
【００７０】
無線通信装置１０ａ〜１０ｄの種類には、機能により分類した場合、アクティブタグ、パッシブタグ、セミパッシブタグがある。アクティブタグは、無線通信装置の方から無線情報を送信する無線通信装置である。パッシブタグは、要求を受けて無線情報を送信する無線通信装置である。セミパッシブタグは、無線装置の方から無線情報を送信し、かつ、要求を受けた場合には要求に応じて無線情報送信する無線通信装置である。即ち、セミパッシブタグは、アクティブタグとパッシブタグ両方の機能を備えている。前者ほど、低価格化、小型化が可能であり、大量に物体に付けられる利点がある。又、アクティブタグとセミパッシブタグは、無線通信装置の方から無線情報を送信する場合、定期的に送信してもよく、ランダムに送信してもよい。アクティブタグ、パッシブタグ、セミパッシブタグは、無線情報をマルチキャスト送信できる。
【００７１】
又、図２（ａ）〜（ｃ）、図３に示すように、無線通信装置１０ａ〜１０ｄは、無線通信部１１ａ〜１１ｄを備える。無線通信部１１ａ〜１１ｄは、近距離無線により無線情報を、端末装置３０ａ，３０ｂに送信する近距離無線送信手段である。無線通信部１１ａ〜１１ｄは、端末装置３０ａ，３０ｂから近距離無線により情報を受信する。無線通信部１１ａ〜１１ｄは、電波や赤外線を用いて情報を送受信する。
【００７２】
無線通信装置１０ａ〜１０ｄの種類には、この無線通信部１１ａ〜１１ｄの種類により分類した場合、例えば、無線通信部１１ａ〜１１ｄにＩｒＤＡを用いるＩｒＤＡタグ、無線通信部１１ａ〜１１ｄにブルートゥース（登録商標）を用いるブルートゥースタグ、無線通信部１１ａ〜１１ｄがＲＦ電波による通信を行うＲＦタグやＲＦ−ＩＤタグ、無線通信部１１ａ〜１１ｄに無線ＬＡＮインタフェースを用いる無線ＬＡＮタグ、無線通信部１１ａ〜１１ｄにバーコードを用いるバーコードタグ、無線通信部１１ａ〜１１ｄにＤＳＲＣを用いるＤＳＲＣタグがある。
【００７３】
次に、無線通信装置１０ａ〜１０ｄの具体的な構成について説明する。図２（ａ）に示すように、無線通信装置１０ａは、無線通信部１１ａと、無線情報記憶部１２とを備える。無線情報記憶部１２は、無線情報を記憶する無線情報記憶手段である。無線通信部１１ａは、無線情報記憶部１２から、定期的に又はランダムに無線情報を取得する。無線通信部１１ａは、取得した無線情報を端末装置３０ａ，３０ｂに送信する。このように無線通信装置１０ａは、アクティブタグとして機能する。
【００７４】
図２（ｂ）に示すように、無線通信装置１０ｂは、無線通信部１１ｂと、無線情報記憶部１２と、無線情報提供部１２ｂと、ユーザ情報データベース１３とを備える。ユーザ情報データベース１３は、端末装置３０ａ，３０ｂに関する端末情報を記憶する端末情報記憶手段である。
【００７５】
端末情報には、端末装置３０ａ，３０ｂを使用するユーザを識別する識別子（以下「ユーザＩＤ」という）がある。ユーザＩＤとしては、例えば、電話番号、ＵＩＭ（Ｕｓｅｒ  Ｉｄｅｎｔｉｆｙ  Ｍｏｄｕｌｅ）カードＩＤ、社員番号、クレジットカード番号、契約者番号、自動車運転免許証番号、銀行口座番号、住民番号、端末装置３０ａ，３０ｂの識別子（以下「端末ＩＤ」という）、ユーザに付与した番号や記号、文字などを用いることができる。又、端末情報には、パスワードがある。
【００７６】
又、端末情報には、例えば、ユーザの年齢、性別、資産、住所、職業、嗜好、提供情報を送信する宛先アドレス、契約内容などのユーザの属性情報がある。又、端末情報には、端末装置３０ａ，３０ｂ全体に関する情報と、端末装置３０ａ，３０ｂを構成する各構成に関する情報がある。端末情報には、端末装置３０ａ，３０ｂの位置情報、端末装置の処理能力や通信速度、容量などの端末装置の性能に関する情報、端末装置の負荷状況や処理状況、端末装置３０ａ，３０ｂが希望する通信ポリシーや情報、処理の種類、通信料金や処理料金の希望上限額、提供してもよい端末装置３０ａ，３０ｂに関する通信リソース、希望するオブジェクト単位、要求する品質、要求されるリアルタイム性などがある。例えば、端末装置３０ａ，３０ｂは、通信ポリシーとして、端末装置の性能や、端末装置３０ａ，３０ｂが受信する他の提供情報や処理情報を考慮して、提供情報の送信に適用可能な通信ポリシーを要求する。又、端末情報には、端末装置３０ａ，３０ｂがこれまでに受信した無線情報、提供情報、処理情報、端末装置３０ａ，３０ｂがこれまでに利用した処理に関する情報などの履歴に関する情報がある。
【００７７】
又、複数の端末装置３０ａ，３０ｂは、グループを形成してもよい（以下、複数の端末装置が形成するグループを「端末グループ」という）。例えば、特定の領域に存在する端末装置３０ａ，３０ｂで端末グループを形成できる。又、端末グループに属することができる一定数を定め、任意の端末装置３０ａ，３０ｂが一定数集合することにより端末グループを形成できる。又、特定の領域に存在する端末装置３０ａ，３０ｂを、一定数で区切った端末グループを形成できる。端末情報には、この端末グループを識別する識別子（以下「端末グループＩＤ」という）や、端末グループに関する情報がある。端末グループＩＤとしては、端末グループに付与した番号や記号、文字などを用いることができる。
【００７８】
無線情報には、不特定多数のユーザが利用できる情報と、特定のユーザにその利用を限定した情報がある。無線情報の利用を許可されたユーザを、特に無線情報ユーザという。同様に、提供情報には、不特定多数のユーザが利用できる情報と、特定のユーザにその利用を限定した情報がある。提供情報の利用を許可されたユーザを、特に提供情報ユーザという。処理サーバ６０が行う処理には、不特定多数のユーザが利用できる処理と、特定のユーザにその利用を限定した処理がある。処理の利用を許可されたユーザを、特に処理ユーザという。
【００７９】
例えば、会社や学校、団体が、その社員や生徒、会員だけに利用を許可する場合には、社員や生徒、会員が無線情報ユーザ、提供情報ユーザ、処理ユーザとなる。無線情報や提供情報、処理を提供する事業者が、その利用について契約をした者だけに利用を許可する場合には、契約者が無線情報ユーザ、提供情報ユーザ、処理ユーザとなる。無線通信装置が個人の所有物に付されている場合や、個人が提供情報を提供する場合には、所有者自身や提供者自身、所有者や提供者が利用を許可する家族や友人が、無線情報ユーザ、提供情報ユーザとなる。端末情報には、ユーザが無線情報ユーザであるか否か、ユーザが提供情報ユーザであるか否か、ユーザが処理ユーザであるか否かも含まれる。ユーザ情報データベース１３は、ユーザＩＤに対応付けて、その他の端末情報を記憶する。
【００８０】
無線通信部１１ｂは、端末装置３０ａ，３０ｂから、無線情報の送信の要求を受信する。無線通信部１１ｂは、受信した要求を無線情報提供部１２ｂに入力する。無線情報の送信の要求には、ユーザＩＤとパスワードが含まれる。又、無線通信部１１ｂは、無線情報提供部１２ｂから無線情報を取得する。無線通信部１１ｂは、取得した無線情報を端末装置３０ａ，３０ｂに送信する。
【００８１】
無線情報提供部１２ｂは、無線通信部１１ｂから、無線情報の送信の要求を取得する。無線情報提供部１２ｂは、要求してきたユーザが、無線情報ユーザであるか否かを認証する。具体的には、無線情報提供部１２ｂは、無線情報の送信の要求に含まれるユーザＩＤとパスワードが、ユーザ情報データベース１３に記憶された無線情報ユーザのユーザＩＤとパスワードと一致するかを判断する。無線情報提供部１２ｂは、ユーザＩＤとパスワードが一致する場合には、無線情報ユーザであると判断する。そして、無線情報提供部１２ｂは、無線情報記憶部１２から無線情報を取得する。無線情報提供部１２ｂは、取得した無線情報を無線通信部１１ｂに入力する。一方、無線情報提供部１２ｂは、ユーザＩＤとパスワードが一致しない場合には、無線情報ユーザではないと判断する。この場合、無線情報提供部１２ｂは無線情報を取得しない。そのため、無線情報ユーザでない場合には無線情報は送信されない。このようにして、無線情報提供部１２ｂは、無線情報の送信を無線情報ユーザに制限する。
【００８２】
又、無線情報提供部１２ｂは、同時に無線情報を送信するユーザ数を制限してもよい。無線情報提供部１２ｂは、無線通信部１１ｂが無線情報を送信している端末装置３０ａ，３０ｂの数を、無線通信部１１ｂから取得する。そして、無線情報提供部１２ｂは、無線情報の送信の要求を取得した際に、制限するユーザ数と、無線情報を送信している端末装置３０ａ，３０ｂの数とを比較する。無線情報提供部１２ｂは、無線情報を送信している端末装置３０ａ，３０ｂの数が、制限するユーザ数未満の場合には、無線情報記憶部１２から無線情報を取得する。一方、無線情報提供部１２ｂは、無線情報を送信している端末装置３０ａ，３０ｂの数が、制限するユーザ数以上の場合には、無線情報を取得しない。
【００８３】
又、無線通信装置１０ｂは、無線通信装置１０ｂの方から無線情報を送信する際に、端末装置３０ａ，３０ｂに対して、ユーザＩＤとパスワードを要求してもよい。この場合、無線情報提供部１２ｂが、ユーザＩＤとパスワードの要求を無線通信部１１ｂに入力する。無線通信部１１ｂは、端末装置３０ａ，３０ｂに、ユーザＩＤとパスワードの要求を送信する。無線通信部１１ｂは、端末装置３０ａ，３０ｂからのユーザＩＤとパスワードを含む応答を受信する。無線通信部１１ｂは、受信した応答を無線情報提供部１２ｂに入力する。そして、無線情報提供部１２ｂが、応答してきたユーザが、無線情報ユーザであるか否かを認証する。無線情報提供部１２ｂは、ユーザＩＤとパスワードが一致する場合には、無線情報記憶部１２から無線情報を取得する。一方、無線情報提供部１２ｂは、ユーザＩＤとパスワードが一致しない場合には、無線情報を取得しない。このようにして、無線通信装置１０ｂの方から無線情報を送信する場合であっても、無線情報の送信を無線情報ユーザに制限できる。
【００８４】
更に、無線情報提供部１２ｂは、端末装置３０ａ，３０ｂの性能に応じて、無線情報の送信を制限してもよい。この場合には、無線情報提供部１２ｂは、無線情報の受信に必要な端末装置３０ａ，３０ｂの性能を記憶しておく。無線情報提供部１２ｂは、要求や応答に含まれるユーザＩＤに基づいて、ユーザ情報データベース１３から端末装置の性能に関する情報を取得する。無線情報提供部１２ｂは、取得した端末装置の性能に関する情報と必要な性能を比較して、無線情報の送信を制限する。又、無線情報提供部１２ｂは、ユーザの年齢などの属性情報に応じて、無線情報の送信を制限してもよい。この場合には、無線情報提供部１２ｂは、無線情報の送信が可能なユーザの属性情報を記憶しておく。無線情報提供部１２ｂは、要求や応答に含まれるユーザＩＤに基づいて、ユーザ情報データベース１３からユーザの属性情報を取得する。無線情報提供部１２ｂは、取得した属性情報と送信が可能な属性情報を比較して、無線情報の送信を制限する。
【００８５】
このように、無線情報提供部１２ｂは、無線通信部１１ｂによる無線情報の送信を制限する無線情報制限手段として機能する。これにより、無線通信装置１０ｂは、無線情報の利用が特定のユーザに限られている場合に、そのユーザにのみ無線情報を送信できる。又、無線通信装置１０ｂは、無線情報を同時に送信できるユーザ数を制限したい場合に、制限された数のユーザにだけ無線情報を送信できる。又、無線通信装置１０ｂは、アクティブタグ、パッシブタグ、セミパッシブタグのいずれとしても機能できる。
【００８６】
図２（ｃ）に示すように、無線通信装置１０ｃは、無線通信部１１ｃと、通信部１４ｃとを備える。通信部１４ｃは、管理サーバ２０から、無線情報、ユーザＩＤやパスワードの要求、提供情報、処理情報、提供情報の特定に関する情報（以下、「特定情報」という）、提供情報の特定結果、通信ポリシーの設定に関する情報（以下、「通信ポリシー設定情報」という）、設定した通信ポリシーに関する情報（以下、「設定情報」という）、提供情報の送信の制御に関する情報（以下、「送信制御情報」という）を受信する。尚、本実施形態では、特定情報や特定結果には、処理の特定に関する情報や処理の特定結果も含まれる。又、送信制御情報には、処理情報の送信の制御に関する情報も含まれる。
【００８７】
通信部１４ｃは、受信した情報を無線通信部１１ｃに入力する。尚、通信部１４ｃが受信する無線情報は、無線通信装置１０ｃの方から端末装置３０ａ，３０ｂに送信する無線情報であってもよく、端末装置３０ａ，３０ｂからの要求に応じて送信する無線情報であってもよく、両者であってもよい。通信部１４ｃは、無線通信部１１ｃから、無線情報の送信の要求、ユーザＩＤやパスワードを含む応答、特定した提供情報の送信の要求、特定した処理の実行の要求、特定情報、特定結果、通信ポリシー設定情報、設定情報、送信制御情報を取得する。通信部１４ｃは、取得した要求や情報を管理サーバ２０に送信する。
【００８８】
無線通信部１１ｃは、通信部１４ｃから情報を取得する。無線通信部１１ｃが取得する情報は、端末装置３０ａ，３０ｂに対する情報と、無線通信装置１０ｃに対する情報に分けられる。無線通信部１１ｃは、端末装置３０ａ，３０ｂに対する情報を、端末装置３０ａ，３０ｂに送信する。端末装置３０ａ，３０ｂに対する情報には、例えば、無線情報、ユーザＩＤやパスワードの要求、提供情報、処理情報、特定情報、特定結果、通信ポリシー設定情報、設定情報、送信制御情報がある。このようにして、通信部１４ｃと無線通信部１１ｃとは、配信サーバ４０ａ，４０ｂや処理サーバ６０から端末装置３０ａ，３０ｂへの提供情報、処理情報の送信を中継する中継手段として機能する。又、無線通信部１１ｃは、無線通信装置１０ｃに対する情報に含まれる指示に従う。例えば、無線通信部１１ｃは、無線通信装置１０ｃに対する送信制御情報に従い、端末装置３０ａ，３０ｂに提供情報を送信する。
【００８９】
無線通信部１１ｃは、端末装置３０ａ，３０ｂから、無線情報の送信の要求、ユーザＩＤやパスワードを含む応答、特定した提供情報の送信の要求、特定した処理の実行の要求、特定情報、特定結果、通信ポリシー設定情報、設定情報、送信制御情報を受信する。無線通信部１１ｃは、受信した要求や情報を通信部１４ｃに入力する。
【００９０】
このように、無線通信装置１０ｃは、管理サーバ２０から、無線通信装置１０ｃの方からが端末装置３０ａ，３０ｂに送信する無線情報、端末装置３０ａ，３０ｂからの要求に応じて送信する無線情報のいずれか、又は、両者を受信し、端末装置３０ａ，３０ｂに送信できる。よって、無線通信装置１０ｃは、アクティブタグ、パッシブタグ、セミパッシブタグのいずれとしても機能できる。
【００９１】
図３に示すように、無線通信装置１０ｄは、無線通信部１１ｄと、無線情報記憶部１２と、無線情報提供部１２ｄと、ユーザ情報データベース１３と、通信部１４ｄと、提供情報特定部１５と、通信ポリシー設定部１６と、通信ポリシーデータベース１６ａと、通信制御部１７と、変換部１８と、監視部１９ａと、時計部１９ｂと、無線装置情報記憶部１９ｃと、測定部１９ｄとを備える。
【００９２】
無線通信部１１ｄは、端末装置３０ａ，３０ｂから、ユーザＩＤを含む無線情報の送信の要求を受信する。あるいは、無線通信部１１ｄは、無線情報提供部１２ｄから、ユーザＩＤの要求を取得する。無線通信部１１ｄは、端末装置３０ａ，３０ｂに、取得したユーザＩＤの要求を送信する。無線通信部１１ｄは、端末装置３０ａ，３０ｂからユーザＩＤを含む応答を受信する。無線通信部１１ｄは、受信した要求や応答を無線情報提供部１２ｄに入力する。又、無線通信部１１ｄは、無線情報提供部１２ｄから無線情報を取得する。無線通信部１１ｄは、取得した無線情報を端末装置３０ａ，３０ｂに送信する。
【００９３】
無線情報提供部１２ｄは、無線通信部１１ｄから、無線情報の送信の要求や、ユーザＩＤの要求に対する応答を取得する。無線情報提供部１２ｄは、要求や応答に含まれるユーザＩＤに基づいて、ユーザ情報データベース１３を検索する。そして、無線情報提供部１２ｄは、ユーザＩＤに対応付けられている端末情報を取得する。又、無線情報提供部１２ｄは、時計部１９ｂから現在時刻などの時間情報を取得する。時計部１９ｂは、時刻を提供する。又、時計部１９ｂは、時間を測定する。
【００９４】
無線情報提供部１２ｄは、取得した端末情報、時間情報に基づいて、無線情報記憶部１２を検索する。そして、無線情報提供部１２ｄは、端末情報、時間情報に適した無線情報を特定する。無線情報提供部１２ｄは、特定した無線情報を、無線情報記憶部１２から取得する。無線情報提供部１２ｄは、取得した無線情報を無線通信部１１ｄに入力する。このように、無線情報提供部１２ｄは、送信する無線情報を特定する無線情報特定手段として機能する。
【００９５】
又、無線通信装置１０ｄが、無線情報ユーザへの無線情報を送信する場合には、無線通信部１１ｄ及び無線情報提供部１２ｄは、図２（ｂ）に示した無線通信部１１ｂ及び無線情報提供部１２ｂと同様にして、無線情報ユーザであるか否かの認証を行い、無線情報の送信を無線情報ユーザに制限する。無線通信部１１ｄ及び無線情報提供部１２ｄは、無線通信部１１ｂ及び無線情報提供部１２ｂと同様にして、同時に無線情報を送信するユーザ数を制限してもよい。又、無線通信部１１ｄ及び無線情報提供部１２ｄは、端末装置３０ａ，３０ｂの性能やユーザの属性情報に応じて、無線情報の送信を制限してもよい。又、無線通信装置１０ｄは、アクティブタグ、パッシブタグ、セミパッシブタグのいずれとしても機能できる。
【００９６】
通信部１４ｄは、管理サーバ２０から、無線情報記憶部１２に格納する無線情報を受信する。無線情報提供部１２ｄは、通信部１４ｄから、受信した無線情報を取得する。無線情報提供部１２ｄは、取得した無線情報を無線情報記憶部１２に格納する。これにより、無線情報記憶部１２が記憶する無線情報が更新される。このように、無線情報提供１２ｄは、無線情報を更新する無線情報更新手段としても機能する。
【００９７】
監視部１９ａは、配信サーバ４０ａ，４０ｂと端末装置３０ａ，３０ｂとの間のネットワークの状況を監視する。具体的には、監視部１９ａは、無線通信部１１ｄを介して、配信サーバ４０ａ，４０ｂと端末装置３０ａ，３０ｂとの間のネットワークのうち、例えば、図１に示した無線通信装置１０ｄと端末装置３０ｂとの間の経路６ｂの状況を取得する。監視部１９ａは、通信部１４ｄを介して、配信サーバ４０ａ，４０ｂと端末装置３０ａ，３０ｂとの間のネットワークのうち、図１に示した無線通信装置１０ｄと管理サーバ２０との間の経路５ｂの状況を取得する。
【００９８】
ネットワークの状況には、ネットワークにおけるトラヒック量（通信量）、輻輳状況、それらの変化量、平均値などがある。トラヒック量は、ネットワーク全体のトラヒック量であってもよく、ある領域におけるトラヒック量であってもよい。領域におけるトラヒック量には、領域に存在する端末装置３０ａ，３０ｂの数、領域内で、ある時点において通信を行っている端末装置３０ａ，３０ｂの数（以下「同時利用数」という）がある。トラヒック量を監視する領域は、新たに設定してもよく、基地局がカバーするセルなどの既存の領域を用いてもよい。監視部１９ａは、例えば、通信部１４ｄを介して、ネットワーク上に配置された監視装置から、ネットワークの状況を取得する。又、監視部１９ａは、通信部１４ｄを介して、ネットワークを構成する基地局から、基地局がカバーするセルにおけるトラヒック量などを取得できる。
【００９９】
又、監視部１９ａは、配信サーバ４０ａ，４０ｂと端末装置３０ａ，３０ｂとの間の通信リソースの状況を監視する。具体的には、監視部１９ａは、無線通信部１１ｄから、配信サーバ４０ａ，４０ｂと端末装置３０ａ，３０ｂとの間の通信リソースのうち、無線通信装置１０ｄと端末装置３０ｂとの間の通信リソースの状況を取得する。通信リソースの状況は、ネットワーク全体の通信リソースの状況であってもよく、ある領域における通信リソースの状況であってもよい。監視部１９ａは、通信部１４ｄから、配信サーバ４０ａ，４０ｂと端末装置３０ａ，３０ｂとの間の通信リソースのうち、無線通信装置１０ｄと管理サーバ２０との間の通信リソースの状況を取得する。通信リソースの状況には、情報の送受信に使用している使用通信リソース量、使用していない空き通信リソース量、それらの変化量、平均値がある。
【０１００】
更に、監視部１９ａは、無線通信部１１ｄ、通信部１４ｄ、通信制御部１７、変換部１８の状況を監視する。監視部１９ａは、無線通信部１１ｄ、通信部１４ｄ、通信制御部１７、無線情報提供部１２ｄ、変換部１８から、その負荷状況や処理状況を取得する。例えば、監視部１９ａは、無線通信部１１ｄが情報の送受信をしている通信中の端末装置３０ａ，３０ｂの数、無線通信部１１ｄと端末装置３０ａ，３０ｂとの間の通信路の数、通信部１４ｄが管理サーバ２０と送受信しているデータ量、通信制御部１７が制御している通信路の数、無線情報提供部１２ｄが行う処理量、変換部１８が行うデータ変換量などの負荷状況を取得する。監視部１９ａは、無線通信部１１ｄや通信部１４ｄが送受信を終了させた情報の割合、無線情報提供部１２ｄが終了させた処理量の割合、変換部１８が変換を終了させたデータ量の割合などの処理状況を取得する。更に、監視部１９ａは、無線通信部１１ｄ、通信部１４ｄ、通信制御部１７、変換部１８の負荷状況や処理状況から、無線通信装置１０ａ〜１０ｄ全体の負荷状況や処理状況を求めてもよい。
【０１０１】
又、監視部１９ａは、通信ポリシーの達成度を監視する。監視部１９ａは、通信ポリシー設定部１６から、設定した通信ポリシーを取得する。監視部１９ａは、無線通信部１１ｄ、通信部１４ｄ、通信制御部１７、変換部１８から、設定した通信ポリシーに関係する実際の状況を取得する。監視部１９ａは、取得した通信ポリシーと、実際の状況とを比較することにより、通信ポリシーの達成度を求める。尚、通信ポリシーの達成度は、通信ポリシーをどの程度達成できたかを表すものであればよい。そのため、通信ポリシーの達成度は、通信ポリシーを達成できた割合で示してもよく、通信ポリシーを達成できなかった割合、即ち、通信ポリシーと実際の状況との乖離割合で示してもよい。又、監視部１９ａは、通信ポリシーとは関係なく、通信品質やデータ品質、通信スケジュールの実際の状況を監視してもよい。
【０１０２】
このようなネットワークの状況、通信リソースの状況、無線通信部１１ｄ、通信部１４ｄ、通信制御部１７、変換部１８の状況、通信ポリシーの達成度、通信品質やデータ品質、通信スケジュールの実際の状況などの監視部１９ａが監視する情報を監視情報という。このように、監視部１９ａは、監視情報を取得する取得手段として機能する。監視部１９ａは、監視情報を、提供情報特定部１５、通信ポリシー設定部１６、通信制御部１７に入力する。監視部１９ａは、現在の監視情報を入力してもよく、過去の監視情報を入力してもよい。
【０１０３】
監視部１９ａは、監視情報の取得、監視情報の提供情報特定部１５、通信ポリシー設定部１６、通信制御部１７への入力を、定期的に行ってもよく、ランダムに行ってもよく、連続的に行ってもよい。更に、監視部１９ａは、提供情報特定部１５や通信ポリシー設定部１６、通信制御部１７から、監視情報の提供の要求を受ける。そして、監視部１９ａは、その要求に応じて、監視情報を提供情報特定部１５や通信ポリシー設定部１６、通信制御部１７に入力してもよい。無線通信装置情報記憶部１９ｃは、無線通信装置情報を記憶する。
【０１０４】
測定部１９ｄは、無線通信装置１０ｄに関する状態を測定する無線通信装置測定手段である。測定部１９ｄは、無線通信装置１０ｄに関する状態として、例えば、無線通信装置１０ｄ自体、無線通信装置１０ｄが備える各構成、無線通信装置１０ｄ周辺の状態を測定する。具体的には、測定部１９ｄは、無線通信装置１０ｄの位置、無線通信装置１０ｄ周辺の気温や湿度、無線通信装置１０ｄの進行方向、無線通信装置１０ｄ周辺の映像、無線通信装置１０ｄの移動速度、無線通信装置１０ｄと端末装置３０ａ，３０ｂとの距離や相対速度、無線通信装置１０ｄから所定の範囲内に存在する端末装置３０ａ，３０ｂの数を測定する。そのため、測定部１９ｄとしては、例えば、ＧＰＳ（Ｇｌｏｂａｌ  Ｐｏｓｉｔｉｏｎｉｎｇ  Ｓｙｓｔｅｍ）装置、温度計、湿度計、方位センサ、カメラ等の撮影手段、速度計を用いることができる。
【０１０５】
又、測定部１９ｄは、無線通信装置１０ｄと端末装置３０ａ，３０ｂとの距離を、例えば、以下のようにして測定できる。無線通信部１１ａは、端末装置３０ａ，３０ｂから、端末装置３０ａ，３０ｂの位置情報を受信する。測定部１９ｄは、無線通信部１１ａから、端末装置３０ａ，３０ｂの位置情報を取得する。更に、測定部１９ｄは、無線通信装置１０ｄの位置をＧＰＳ衛星などを用いて測定する。測定部１９ｄは、取得した端末装置３０ａ，３０ｂの位置情報と、測定した無線通信装置１０ｄの位置とから、無線通信装置１０ｄと端末装置３０ａ，３０ｂとの距離を求める。
【０１０６】
又、測定部１９ｄは、端末装置３０ａ，３０ｂから受信する複数の電波の強度を測定する。測定部１９ｄは、強度が閾値以上の電波の数を求めることにより、無線通信装置１０ｄから所定の範囲内に存在する端末装置３０ａ，３０ｂの数を求める。測定部３２は、電波の強度の閾値を、範囲の広さに応じて設定する。
【０１０７】
このように、測定した状態に関する情報を測定情報という。測定は、定期的に行ってもよく、ランダムに行ってもよく、連続的に行ってもよい。又、測定部１９ｄは、提供情報特定部１５、通信ポリシー設定部１６、通信制御部１７からの測定情報の提供の要求に応じて、測定してもよい。測定部１９ｄは、測定情報を、提供情報特定部１５、通信ポリシー設定部１６、通信制御部１７に入力する。測定部１９ｄは、現在の測定情報を入力してもよく、過去の測定情報を入力してもよい。
【０１０８】
無線通信部１１ｄは、無線通信部１１ｄが送信した無線情報を受信した端末装置３０ａ，３０ｂから、特定情報、特定結果、特定した提供情報の送信の要求、特定した処理の実行の要求を受信する。無線通信部１１ｄは、受信した特定情報を提供情報特定部１５に入力する。無線通信部１１ｄは、受信した特定情報、特定結果、特定した提供情報の送信の要求、特定した処理の実行の要求を通信部１４ｄに入力する。又、無線通信部１１ｄは、提供情報特定部１５又は通信部１４ｄから特定情報、特定結果を取得する。無線通信部１１ｄは、取得した特定情報、特定結果を端末装置３０ａ，３０ｂに送信する。
【０１０９】
通信部１４ｄは、管理サーバ２０から、特定情報、特定結果を受信する。通信部１４ｄは、受信した特定情報を提供情報特定部１５又は無線通信部１１ｄに入力する。通信部１４ｄは、受信した特定結果を無線通信部１１ｄに入力する。又、通信部１４ｄは、提供情報特定部１５から、特定情報、特定結果、特定した提供情報の送信の指示、特定した処理の実行の指示を取得する。又、通信部１４ｄは、無線通信部１１ｄから、特定情報、特定結果、特定した提供情報の送信の要求、特定した処理の実行の要求を取得する。通信部１４ｄは、取得した特定情報、特定結果、提供情報の送信の要求、処理の実行の要求を管理サーバ２０に送信する。
【０１１０】
提供情報特定部１５は、端末装置３０ａ，３０ｂが受信した無線情報に基づいて、提供情報を特定する提供情報特定手段である。提供情報特定部１５は、提供情報の特定に加えて、処理を特定してもよい。又、提供情報特定部１５は、特定情報を通知する特定情報通知手段としても機能する。
【０１１１】
提供情報特定部１５は、無線情報通信部１１ｄから、特定情報を取得する。提供情報特定部１５は、ユーザＩＤに基づいて、ユーザ情報データベース１３を検索する。そして、提供情報特定部１５は、ユーザＩＤに対応付けられている端末情報を取得する。提供情報特定部１５は、時計部１９ｂから時間情報を取得する。提供情報特定部１５は、監視部１９ａから監視情報を取得する。提供情報特定部１５は、無線通信装置情報記憶部１９ｃから、無線通信装置情報を取得する。提供情報特定部１５は、測定部１９ｄから測定情報を取得する。
【０１１２】
提供情報特定部１５は、取得した特定情報、端末情報、時間情報、監視情報、無線通信装置情報、測定情報に基づいて、提供情報、処理を特定する。提供情報特定部１５は、特定した特定結果を通信ポリシー設定部１６に入力する。又、提供情報特定部１５は、配信サーバ４０ａ，４０ｂや処理サーバ６０に対して、特定した提供情報の送信や、特定した処理の実行を指示する。提供情報特定部１５は、特定した提供情報の送信の指示や、特定した処理の実行の指示、特定結果、特定情報を、通信部１４ｄに入力する。提供情報特定部１５は、特定結果、特定情報を、無線通信部１１ｄに入力する。
【０１１３】
又、提供情報特定部１５は、取得した特定情報、端末情報、時間情報、監視情報、無線通信装置情報、測定情報に基づいて、特定情報を通知する。提供情報特定部１５は、端末装置３０ａ、管理サーバ２０、配信サーバ４０ａに特定情報を通知する。提供情報特定部１５は、通知する特定情報を、無線通信部１１ｄ、通信部１４ｄに入力する。
【０１１４】
通信ポリシーデータベース１６ａは、通信ポリシーに関する情報を記憶する通信ポリシー記憶手段である。通信ポリシーデータベース１６ａは、通信ポリシーの設定規則、通信ポリシーの設定条件、オブジェクト単位の決定規則、通信ポリシーの達成目標値の算出規則を記憶する。又、通信ポリシーデータベース１６ａは、設定した通信ポリシー、通信ポリシーの達成目標値、オブジェクト単位、通信ポリシーの達成度、これまでに設定した通信ポリシーの履歴に関する情報を、端末装置毎、提供情報や処理情報毎に記憶する。
【０１１５】
無線通信部１１ｄは、端末装置３０ａ，３０ｂから、通信ポリシー設定情報、設定情報を受信する。通信部１４ｄは、管理サーバ２０から、通信ポリシー設定情報、設定情報を受信する。無線通信部１１ｄは、受信した通信ポリシー設定情報や設定情報を、通信ポリシー設定部１５や通信部１４ｄ、通信制御部１７に入力する。通信部１４ｄは、受信した通信ポリシー設定情報や設定情報を、通信ポリシー設定部１５や無線通信部１１ｄ、通信制御部１７に入力する。
【０１１６】
無線通信部１１ｄは、通信ポリシー設定部１６や通信部１４ｄから通信ポリシー設定情報や設定情報を取得する。無線通信部１１ｄは、取得した通信ポリシー設定情報や設定情報を端末装置３０ａ，３０ｂに送信する。通信部１４ｄは、通信ポリシー設定部１６や無線通信部１１ｄから通信ポリシー設定情報や設定情報を取得する。通信部１４ｄは、取得した通信ポリシー設定情報や設定情報を管理サーバ２０に送信する。
【０１１７】
通信ポリシー設定部１６は、配信サーバ４０ａ，４０ｂから端末装置３０ａ，３０ｂに、提供情報を送信する際の通信ポリシーを、オブジェクト単位毎に決定し、設定する通信ポリシー設定手段である。通信ポリシー設定部１６は、処理情報を送信する際の通信ポリシーも設定する。又、通信ポリシー設定部１６は、通信ポリシー設定情報を通知する設定情報通知手段としても機能する。
【０１１８】
通信ポリシー設定部１６は、無線情報通信部１１ｄ、通信部１４ｄから、通信ポリシー設定情報、設定情報を取得する。通信ポリシー設定部１６は、提供情報特定部１５から特定結果を取得する。通信ポリシー設定部１６は、ユーザＩＤに基づいて、ユーザ情報データベース１３を検索する。そして、通信ポリシー設定部１６は、ユーザＩＤに対応付けられている端末情報を取得する。通信ポリシー設定部１６は、時計部１９ｂから時間情報を取得する。通信ポリシー設定部１６は、監視部１９ａから監視情報を取得する。通信ポリシー設定部１６は、無線通信装置情報記憶部１９ｃから、無線通信装置情報を取得する。通信ポリシー設定部１６は、測定部１９ｄから測定情報を取得する。通信ポリシー設定部１６は、通信ポリシーデータベース１６ａから、通信ポリシーの設定規則、通信ポリシーの設定条件、オブジェクト単位の決定規則、達成目標値の算出規則、通信ポリシーの達成度、通信ポリシーの履歴に関する情報を取得する。
【０１１９】
通信ポリシー設定部１６は、取得した特定結果、通信ポリシー設定情報、端末情報時間情報、監視情報、無線通信装置情報、測定情報、通信ポリシーの設定規則、通信ポリシーの設定条件、オブジェクト単位の決定規則、通信ポリシーの達成度、通信ポリシーの履歴に関する情報に基づいて、通信ポリシーを決定し、設定する。又、通信ポリシー設定部１６は、設定した通信ポリシー、達成目標値の算出規則に基づいて、通信ポリシーの達成目標値を設定する。通信ポリシー設定部１６は、通信ポリシー設定情報、設定情報を、無線通信部１１ｄ、通信部１４ｄに入力する。通信ポリシー設定部１６は、設定情報を通信制御部１７に入力する。
【０１２０】
尚、通信ポリシー設定部１６が通信ポリシーを決定し、設定してから、提供情報特定部１５が提供情報を特定してもよい。この場合、通信ポリシー設定部１６は、特定結果以外の情報に基づいて、通信ポリシーを決定し、設定する。そして、通信ポリシー設定部１６は、設定情報を提供情報特定部１５に入力する。提供情報特定部１５は、通信ポリシー設定部１６から、設定情報を取得する。そして、提供情報特定部１５は、取得した設定情報に基づいて提供情報を特定する。これらの点以外は、提供情報特定部１５が提供情報を特定してから、通信ポリシー設定部１６が通信ポリシーを決定し、設定する場合と同様である。
【０１２１】
又、通信ポリシー設定部１６は、取得した特定結果、通信ポリシー設定情報、端末情報、時間情報、監視情報、無線通信装置情報、測定情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部１６は、端末装置３０ａ、管理サーバ２０、配信サーバ４０ａ、中継装置５０に通信ポリシー設定情報を通知する。通信ポリシー設定部１６は、通知する通信ポリシー設定情報を、無線通信部１１ｄ、通信部１４ｄに入力する。
【０１２２】
又、通信ポリシー設定部１６は、設定した通信ポリシーや達成目標値、オブジェクト単位、取得した設定情報、取得した監視情報を、通信ポリシーデータベース１６ａに格納する。これにより、通信ポリシーデータベース１６ａが更新される。又、通信ポリシー設定部１６は、通信ポリシーデータベース１６ａから、設定した通信ポリシーを取得し、監視部１９ａに入力する。
【０１２３】
通信制御部１７は、設定した通信ポリシーに基づいて、提供情報の送信をオブジェクト単位毎に制御する通信制御手段である。通信制御部１７は、処理情報の送信も制御する。通信制御部１７は、通信ポリシー設定部１６から、設定情報を取得する。又、通信制御部１７は、無線通信部１１ｄ、通信部１４ｄから、設定情報、通信ポリシー設定情報を取得する。通信制御部１７は、ユーザ情報データベース１３から、端末情報を取得する。通信制御部１７は、時計部１９ｂから時間情報を取得する。通信制御部１７は、監視部１９ａから監視情報を取得する。通信制御部１７は、無線通信装置情報記憶部１９ｃから、無線通信装置情報を取得する。通信制御部１７は、測定部１９ｄから測定情報を取得する。
【０１２４】
通信制御部１７は、取得した設定情報、通信ポリシー設定情報、端末情報、時間情報、監視情報、無線通信装置情報、測定情報に基づいて、オブジェクト単位毎に送信制御情報を決定する。通信制御部１７は、決定した送信制御情報を、無線通信部１１ｄ、通信部１４ｄに入力する。又、無線通信部１１ｄは、端末装置３０ａ，３０ｂから、送信制御情報を受信する。無線通信部１１ｄは、受信した送信制御情報を、通信部１４ｄ又は通信制御部１７に入力する。通信部１４ｄは、管理サーバ２０から、送信制御情報を受信する。通信部１４ｄは、受信した送信制御情報を、無線通信部１１ｄ又は通信制御部１７に入力する。無線通信部１１ｄは、通信制御部１７又は通信部１４ｄから送信制御情報を取得する。無線通信部１１ｄは、取得した送信制御情報を端末装置３０ａ，３０ｂに送信する。通信部１４ｄは、通信制御部１７又は無線通信部１１ｄから送信制御情報を取得する。通信部１４ｄは、取得した送信制御情報を管理サーバ２０に送信する。
【０１２５】
又、通信制御部１７は、時間情報と、決定した送信制御情報、又は、無線通信部１１ｄ、通信部１４ｄから取得した送信制御情報とに基づいて、無線通信部１１ｄ、通信部１４ｄ、変換部１８を制御する。このように、通信制御部１７は、通信ポリシー設定部１６が設定した通信ポリシーに関する設定情報に基づいて、オブジェクト単位毎に決定した送信制御情報を用いて、無線通信部１１ｄ、通信部１４ｄ、変換部１８を制御する。これにより、通信制御部１７は、設定した通信ポリシーに基づいて、提供情報の送信をオブジェクト単位毎に制御することができる。
【０１２６】
通信部１４ｄは、管理サーバ２０から、提供情報、処理情報を受信する。通信部１４ｄは、通信制御部１７の制御に従って、受信した提供情報、処理情報を、無線通信部１１ｄ又は変換部１８に入力する。無線通信部１１ｄは、通信部１４ｄ又は変換部１８から、提供情報、処理情報を取得する。無線通信部１１ｄは、通信制御部１７の制御に従って、取得した提供情報、処理情報をオブジェクト単位毎に端末装置３０ａ，３０ｂに送信する。
【０１２７】
このようにして、通信部１４ｄと、無線通信部１１ｄとは、配信サーバ４０ａ，４０ｂや処理サーバ６０から端末装置３０ａ，３０ｂへの提供情報、処理情報の送信を中継する中継手段として機能する。更に、無線通信部１１ｄは、通信制御部１７から、通信ポリシー設定部１６が設定した通信ポリシーに関する設定情報に基づいて決定した送信制御情報に基づいた制御を受ける。そのため、無線通信部１１ｄは、通信部１４ｄが受信した提供情報、処理情報を、通信ポリシーに基づいて端末装置３０ａ，３０ｂに送信できる。
【０１２８】
変換部１８は、設定した通信ポリシーに基づいて、提供情報を変換する変換手段である。変換部１８は、通信制御部１７から、通信ポリシー設定部１６が設定した通信ポリシーに関する設定情報に基づいて決定した送信制御情報による制御を受ける。変換部１８は、通信部１４ｄから提供情報、処理情報を取得する。変換部１８は、通信制御部１７の制御に従って、提供情報、処理情報をオブジェクト単位毎に変換する。変換部１８は、変換した提供情報、処理情報を無線通信部１１ｄに入力する。
【０１２９】
又、提供情報特定部１５、通信ポリシー設定部１６、通信制御部１７、監視部１９ａは、算出情報を、通信部１４ｄに入力する。通信部１４ｄは、取得した算出情報を、管理サーバ２０に送信する。
【０１３０】
〔管理サーバ〕
管理サーバ２０は、無線通信装置１０ｃ，１０ｄを制御する。例えば、管理サーバ２０は、配信サーバ４０ｂ、中継装置５０又は処理サーバ６０と、無線通信装置１０ｃ，１０ｄとの間の情報の送受信を中継する。管理サーバ２０は、無線通信装置１０ｃに代わり、端末情報や無線情報を管理する。そして、管理サーバ２０は、無線通信装置１０ｃに代わり、無線情報ユーザの認証や無線情報の送信の制限を行う。管理サーバ２０は、無線情報を無線通信装置１０ｃ，１０ｄに提供する。
【０１３１】
図４に示すように、管理サーバ２０は、無線情報データベース２２と、無線情報提供部２２ａと、ユーザ情報データベース２３と、通信部２４と、提供情報特定部２５と、通信ポリシー設定部２６と、通信ポリシーデータベース２６ａと、通信制御部２７と、変換部２８ａと、リソース割当部２８ｂと、監視部２９ａと、時計部２９ｂと、管理サーバ情報記憶部２９ｃとを備える。
【０１３２】
ユーザ情報データベース２３、通信ポリシーデータベース２６ａ、時計部２９ｂは、図３に示したユーザ情報データベース１３、通信ポリシーデータベース１６ａ、時計部１９ｂと同様である。通信部２４は、無線通信装置１０ｃ，１０ｄ、配信サーバ４０ｂ、中継装置５０、処理サーバ６０、課金サーバ７０と通信する。無線情報データベース２２は、無線情報記憶手段である。無線情報データベース２２は、無線情報を、無線通信装置１０ｃ，１０ｄ毎に記憶する。例えば、無線情報データベース２２は、タグＩＤに対応付けて、各無線通信装置１０ｃ，１０ｄが送信する無線情報を記憶する。
【０１３３】
無線通信装置１０ｃがアクティブタグ、セミパッシブタグとして機能する場合、無線情報提供部２２ａは、定期的又はランダムに無線情報データベース２２から無線情報を取得する。一方、無線通信装置１０ｃがパッシブタグ、セミパッシブタグとして機能する場合、通信部２４は、無線通信装置１０ｃから無線情報の要求を受信する。通信部２４は、受信した無線情報の要求を無線情報提供部２２ａに入力する。無線情報提供部２２ａは、無線情報の要求を取得した際に、無線情報データベース２２から無線情報を取得する。無線情報提供部２２ａは、無線通信装置１０ｃのタグＩＤに基づいて、そのタグＩＤに対応付けられた無線情報を取得する。無線情報提供部２２ａは、取得した無線情報を通信部２４に入力する。
【０１３４】
尚、無線情報提供部２２ａは、無線情報制限手段や無線情報特定手段としても機能できる。その場合、無線情報提供部２２ａは、ユーザＩＤやパスワードを含む無線情報の要求を取得する。又は、無線情報提供部２２ａは、ユーザＩＤやパスワードの要求を通信部２４に入力する。通信部２４は、無線通信装置１０ｃに、ユーザＩＤやパスワードの要求を送信する。通信部２４は、無線通信装置１０ｃから、ユーザＩＤやパスワードを含む応答を受信する。無線情報提供部２２ａは、通信部２４から、受信した応答を取得する。
【０１３５】
無線情報提供部２２ａは、図２（ｂ）に示した無線情報提供部１２ｂと同様にして、要求や応答に含まれるユーザＩＤ、パスワードと、ユーザ情報データベース２３に記憶されたユーザＩＤ、パスワードを用いて、無線情報ユーザであるか否かの認証を行う。そして、無線情報提供部２２ａは、無線情報の送信を無線情報ユーザに制限する。あるいは、無線情報提供部２２ａは、図２（ｂ）に示した無線情報提供部１２ｂと同様にして、同時に無線情報を送信するユーザ数を制限してもよい。又、無線情報提供部２２ａは、端末装置３０ａ，３０ｂの性能やユーザの属性情報に応じて、無線情報の送信を制限してもよい。
【０１３６】
これによれば、管理サーバ２０は、無線情報の利用が特定のユーザに限られている場合に、そのユーザにのみ無線情報を送信できる。又、管理サーバ２０は、無線情報を同時に送信できるユーザ数を制限したい場合に、制限された数のユーザにだけ無線情報を送信できる。尚、無線情報提供部２２ａは、無線情報の送信を制限するユーザ数を、例えば、ネットワークの状況や通信リソースの状況、配信サーバ４０ａ，４０ｂ、処理サーバ６０、中継装置５０、管理サーバ２０、無線通信装置１０ｄ、端末装置３０ａ，３０ｂの処理状況や負荷状況、通信ポリシーの達成度、通信品質やデータ品質、通信スケジュールの実際の状況などに基づいて定めることができる。
【０１３７】
又、無線情報提供部２２ａは、図３に示した無線情報提供部１２ｄと同様にして、要求や応答に含まれるユーザＩＤに基づいて、ユーザ情報データベース２３から、端末情報を取得する。時計部２９ｂから、時間情報を取得する。そして、無線情報提供部２２ａは、端末情報に基づいて、無線情報を特定する。無線情報提供部２２ａは、特定した無線情報を、無線情報データベース２２から取得する。
【０１３８】
更に、無線情報提供部２２ａは、無線通信装置１０ｄに格納する無線情報を、無線情報データベース２２から取得する。無線情報提供部２２ａは、無線通信装置１０ｄのタグＩＤに基づいて、そのタグＩＤに対応付けられた無線情報を取得する。無線情報提供部２２ａは、取得した無線情報を通信部２４に入力する。
【０１３９】
通信部２４は、無線情報提供部２２ａから、無線情報を取得する。通信部２４は、取得した無線情報を無線通信装置１０ｃ，１０ｄに送信する。このように、通信部２４は、無線通信装置１０ｃ，１０ｄに無線情報を提供する無線情報提供手段として機能する。尚、通信部２４は、複数の無線通信装置１０ｃに、無線情報を送信してもよい。
【０１４０】
監視部２９ａは、図３に示した監視部１９ａと同様にして、監視情報を取得する。具体的には、通信部２９ａは、通信部２４を介して、配信サーバ４０ｂと端末装置３０ａ，３０ｂとの間のネットワークのうち、例えば、図１に示した無線通信装置１０ｃ，１０ｄと管理サーバ２０との間の経路５ａ，５ｂの状況、配信サーバ４０ｂ、中継装置５０又は処理サーバ６０と、管理サーバ２０との間の経路４ａ，４ｃ，４ｂの状況を取得する。又、監視部２９ａは、リソース割当部２８ｂ又は通信部２４から、配信サーバ４０ｂと端末装置３０ａ，３０ｂとの間の通信リソースのうち、無線通信装置１０ｃ，１０ｄと管理サーバ２０との間の通信リソースの状況、配信サーバ４０ｂ、中継装置５０又は処理サーバ６０と、管理サーバ２０との間の通信リソースの状況を取得する。
【０１４１】
更に、監視部２９ａは、通信部２４、通信制御部２７、変換部２８ａ、リソース割当部２８ｂの状況を監視する。監視部２９ａは、通信部２４、通信制御部２７、変換部２８ａ、リソース割当部２８ｂから、その負荷状況や処理状況を取得する。例えば、監視部２９ａは、通信部２４が情報の送受信を行っている通信中の無線通信装置１０ｃ，１０ｄ、配信サーバ４０ｂ、中継装置５０、処理サーバ６０の数、通信部２４と、無線通信装置１０ｃ，１０ｄ、配信サーバ４０ｂ、中継装置５０、処理サーバ６０との間の通信路の数、通信部２４が送受信しているデータ量、通信制御部２７が制御している通信路の数、変換部２８ａが行うデータ変換量、リソース割当部２８ｂが行う処理量などの負荷状況を取得する。監視部２９ａは、通信部２４が送受信を終了させた情報の割合、変換部２８ａが変換を終了させたデータ量の割合、リソース割当部２８ｂが終了させた処理量の割合などの処理状況を取得する。更に、監視部２９ａは、通信部２４、通信制御部２７、変換部２８ａ、リソース割当部２８ｂの負荷状況や処理状況から、管理サーバ２０全体の負荷状況や処理状況を求めてもよい。
【０１４２】
又、監視部２９ａは、通信ポリシーの達成度や、通信品質やデータ品質、通信スケジュールの実際の状況を監視する。その際、監視部２９ａは、通信ポリシー設定部２６から、設定した通信ポリシーを取得する。監視部２９ａは、通信部２４、通信制御部２７、変換部２８ａ、リソース割当部２８ｂから、設定した通信ポリシーに関係する実際の状況を取得する。又、監視部２９ａは、提供情報特定部２５、通信ポリシー設定部２６からの監視情報の提供の要求に応じて、監視情報を取得する。監視部２９ａは、監視情報を、提供情報特定部２５、通信ポリシー設定部２６、通信制御部２７に入力する。監視部２９ａは、現在の監視情報を入力してもよく、過去の監視情報を入力してもよい。
【０１４３】
管理サーバ情報記憶部２９ｃは、管理サーバ２０に関する管理サーバ情報を記憶する。管理サーバ情報には、管理サーバ２０の識別子（以下「管理サーバＩＤ」という）、管理サーバ２０の位置情報、管理サーバ２０の処理能力や通信速度、容量などの管理サーバ２０の性能に関する情報、管理サーバ２０の負荷状況や処理状況、管理サーバ２０が希望する通信ポリシー、通信料金の希望上限額、提供してもよい管理サーバ２０に関する通信リソース、希望するオブジェクト単位、要求する品質、要求されるリアルタイム性などがある。又、管理サーバ情報には、管理サーバ２０全体に関する情報と、管理サーバ２０を構成する各構成に関する情報がある。尚、管理サーバ情報記憶部２９ｃは、管理サーバ２０が管理する無線通信装置１０ｃ，１０ｄの無線通信装置情報も記憶する。尚、管理サーバＩＤとしては、管理サーバ２０に付与した番号や記号、文字などを用いることができる。
【０１４４】
通信部２４は、配信サーバ４０ｂ、中継装置５０から、特定情報、特定結果を受信する。通信部２４は、無線通信装置１０ｃ，１０ｄから、特定情報、特定結果、特定した提供情報の送信の要求、特定した処理の実行の要求、特定した提供情報の送信の指示、特定した処理の実行の指示を受信する。通信部２４は、処理サーバ６０から、特定情報を受信する。通信部２４は、受信した特定情報を提供情報特定部２５に入力する。
【０１４５】
通信部２４は、提供情報特定部２５から特定情報、特定結果、特定した提供情報の送信の指示、特定した処理の実行の指示を取得する。通信部２４は、無線通信装置１０ｃ，１０ｄに、受信した特定情報、特定結果、又は、提供情報特定部２５から取得した特定情報、特定結果を送信する。通信部２４は、配信サーバ４０ｂ、中継装置５０、処理サーバ６０に、受信した特定情報、特定結果、特定した提供情報の送信の要求、特定した処理の実行の要求、特定した提供情報の送信の指示、特定した処理の実行の指示、又は、提供情報特定部２５から取得した特定情報、特定結果、特定した提供情報の送信の指示、特定した処理の実行の指示を送信する。
【０１４６】
提供情報特定部２５は、図３に示した提供情報特定部１５と同様にして、提供情報、処理を特定する。又、提供情報特定部２５は、特定情報を、無線通信装置１０ｄ、端末装置３０ａ、配信サーバ４０ａに特定情報を通知する。その際、提供情報特定部２５は、通信部２４、ユーザ情報データベース２３、時計部２９ｂ、監視部２９ａ、管理サーバ情報記憶部２９ｃから、特定情報、端末情報、時間情報、監視情報、管理サーバ情報、無線通信装置情報を取得する。提供情報特定部２５は、特定した特定結果を通信ポリシー設定部２６に入力する。又、提供情報特定部２５は、配信サーバ４０ａ，４０ｂや処理サーバ６０に対して、特定した提供情報の送信や、特定した処理の実行を指示する。提供情報特定部２５は、特定した提供情報の送信の指示や、特定した処理の実行の指示、特定結果、特定情報を、通信部２４に入力する。
【０１４７】
通信部２４は、無線通信装置１０ｃ、配信サーバ４０ｂ、中継装置５０、処理サーバ６０から、通信ポリシー設定情報を受信する。又、通信部２４は、無線通信装置１０ｃ、配信サーバ４０ｂ、中継装置５０から、設定情報を受信する。通信部２４は、受信した通信ポリシー設定情報、設定情報を通信ポリシー設定部２５、通信制御部２７に入力する。通信部２４は、通信ポリシー設定部２６から通信ポリシー設定情報、設定情報を取得する。通信部２４は、受信した通信ポリシー設定情報、設定情報、又は、通信ポリシー設定部２６から取得した通信ポリシー設定情報、設定情報を、無線通信装置１０ｃ、配信サーバ４０ｂ、中継装置５０、処理サーバ６０に送信する。
【０１４８】
通信ポリシー設定部２６は、図３に示した通信ポリシー設定部１６と同様にして、提供情報、処理情報を送信する際の通信ポリシーを決定し、設定する。又、通信ポリシー設定部２６は、無線通信装置１０ｄ、端末装置３０ａ、配信サーバ４０ａ、中継装置５０に通信ポリシー設定情報を通知する。その際、通信ポリシー設定部２６は、提供情報特定部２５、通信部２４、ユーザ情報データベース２３、監視部２９ａ、時計部２９ｂ、管理サーバ情報記憶部２９ｃ、通信ポリシーデータベース２６ａから、特定結果、通信ポリシー設定情報、端末情報、監視情報、管理サーバ情報、無線通信装置情報、時間情報、通信ポリシーの設定規則、通信ポリシーの設定条件、オブジェクト単位の決定規則、達成目標値の算出規則、通信ポリシーの達成度、通信ポリシーの履歴に関する情報を取得する。
【０１４９】
通信ポリシー設定部２６は、通信ポリシー設定情報、設定情報を、通信部２４に入力する。通信ポリシー設定部２６は、設定情報を通信制御部２７に入力する。又、通信ポリシー設定部２６は、通信ポリシーの達成目標値の設定、設定した通信ポリシー及び達成目標値、オブジェクト単位、取得した設定情報、取得した監視情報の通信ポリシーデータベース２６ａへの格納を行う。又、通信ポリシー設定部２６は、通信ポリシーデータベース２６ａから、設定した通信ポリシーを取得し、監視部２９ａに入力する。尚、図３に示した提供情報特定部１５、通信ポリシー設定部１６と同様に通信ポリシー設定部２６が通信ポリシーを決定し、設定してから、提供情報特定部２５が提供情報を特定してもよい。
【０１５０】
通信制御部２７は、図３に示した通信制御部１７と同様にして、オブジェクト単位毎に送信制御情報を決定する。その際、通信制御部２７は、通信ポリシー設定部２６、通信部２４、ユーザ情報データベース２３、監視部２９ａ、時計部２９ｂ、管理サーバ情報記憶部２９ｃから、設定情報、通信ポリシー設定情報、端末情報、監視情報、管理サーバ情報、無線通信装置情報、時間情報を取得する。
【０１５１】
通信制御部２７は、決定した送信制御情報を、通信部２４に入力する。又、通信部２４は、無線通信装置１０ｃ，１０ｄ、配信サーバ４０ｂ、中継装置５０から送信制御情報を受信する。通信部２４は、通信制御部２７から取得した送信制御情報、又は、受信した送信制御情報を、無線通信装置１０ｃ，１０ｄ、配信サーバ４０ｂ、中継装置５０、処理サーバ６０に送信する。又、通信制御部２７は、時間情報と、決定した送信制御情報、又は、通信部２４から取得した送信制御情報に基づいて、通信部２４、変換部２８ａ、リソース割当部２８ｂを制御する。
【０１５２】
通信部２４は、配信サーバ４０ｂ、中継装置５０、処理サーバ６０から、提供情報、処理情報を受信する。通信部２４は、通信制御部２７の制御に従い、受信した提供情報、処理情報そのままを、オブジェクト単位毎に無線通信装置１０ｃ，１０ｄに送信する。あるいは、通信部２４は、通信制御部２７の制御に従い、受信した提供情報、処理情報を変換部２８ａに入力する。そして、通信部２４は、変換部２８ａから、変換された提供情報、処理情報を取得する。通信部２４は、通信制御部２７の制御に従い、取得した提供情報、処理情報を、オブジェクト単位毎に無線通信装置１０ｃ，１０ｄに送信する。このようにして、通信部２４は、配信サーバ４０ａ，４０ｂや処理サーバ６０から端末装置３０ａ，３０ｂへの提供情報、処理情報の送信を中継する中継手段として機能する。
【０１５３】
変換部２８ａは、通信部２４から提供情報を取得する。変換部２８ａは、通信制御部２７の制御に従って、オブジェクト単位毎に提供情報を変換する。変換部２８ａは、変換した提供情報を通信部２４に入力する。
【０１５４】
リソース割当部２８ｂは、通信制御部２７から、設定情報に基づいて決定した送信制御情報に基づいた制御を受ける。リソース割当部２８ｂは、通信制御部２７の制御に従い、提供情報、処理情報の送信に通信リソースを予め割り当てる。これにより、リソース割当部２８ｂは、提供情報、処理情報の送信に必要な通信リソースを予約確保する。そして、リソース割当部２８ｂは、通信制御部２７の制御に従い、予約確保した通信リソースの中から、実際に使用する通信リソースを提供情報、処理情報の送信に割り当てる。リソース割当部２８ｂは、無線通信装置１０ｃ，１０ｄと管理サーバ２０との間の通信リソース、配信サーバ４０ｂ、中継装置５０又は処理サーバ６０と、管理サーバ２０との間の通信リソースの割当を行う。このように、リソース割当部２８ｂは、設定した通信ポリシーに基づいて、提供情報、処理情報の送信に通信リソースを予め割り当てるリソース割当手段として機能する。
【０１５５】
又、リソース割当部２８ｂは、監視部２９ａにリソースの状況を入力する。リソース割当部２８ｂは、情報の送受信に割り当てて使用している使用通信リソース量、情報の送受信に割り当てておらず使用していない空き通信リソース量、それらの変化量などを、監視部２９ａに入力する。リソース割当部２８ｂは、定期的に又はランダムに、あるいは、連続的にリソースの状況を監視部２９ａに入力してもよく、監視部２９ａからの要求に応じてリソースの状況を監視部２９ａに入力してもよい。
【０１５６】
又、提供情報特定部２５、通信ポリシー設定部２６、通信制御部２７、監視部２９ａは、算出情報を、通信部２４に入力する。又、通信部２４は、無線通信装置１０ｄから、算出情報を受信する。通信部２４は、取得した算出情報や、受信した算出情報を、課金サーバ７０に送信する。
【０１５７】
〔端末装置〕
端末装置３０ａ，３０ｂは、無線情報、提供情報、処理情報を受信する。端末装置３０ａ，３０ｂは、例えば、携帯電話、ＰＨＳ（Ｐｅｒｓｏｎａｌ  Ｈａｎｄｙｐｈｏｎｅ  Ｓｙｓｔｅｍ）、携帯情報端末（ＰＤＡ：Ｐｅｒｓｏｎａｌ  Ｄｉｇｉｔａｌ  Ａｓｓｉｓｔａｎｔｓ）などの移動通信端末、コンピュータなどがある。図５に示すように、端末装置３０ａは、無線通信部３１ａと、測定部３２と、ユーザ情報記憶部３３と、通信部３４ａと、提供情報特定部３５と、通信ポリシー設定部３６と、通信ポリシーデータベース３６ａと、通信制御部３７ａと、入力部３８ａと、出力部３８ｂと、監視部３９ａと、時計部３９ｂとを備える。尚、通信ポリシーデータベース３６ａ、時計部３９ｂは、図３に示した通信ポリシーデータベース１６ａ、時計部１９ｂと同様である。
【０１５８】
ユーザ情報記憶部３３は、ユーザ情報記憶手段である。ユーザ情報記憶部３３は、端末装置３０ａのユーザのユーザＩＤ、パスワード、その他の端末情報を記憶する。
【０１５９】
無線通信部３１ａは、近距離無線により、無線通信装置１０ａ〜１０ｄと情報を送受信する。無線通信部３１ａは、電波や赤外線を用いて情報を送受信する。無線通信部３１ａとしては、例えば、ＩｒＤＡ、ブルートゥース（登録商標）、ＲＦ電波により情報を受信するリーダとＲＦ電波により情報を送信するライターを組み合わせたもの、無線ＬＡＮインタフェース、バーコードリーダ、ＤＳＲＣを用いることができる。
【０１６０】
無線通信部３１ａは、無線通信装置１０ａ〜１０ｄが送信した無線情報を受信する近距離無線受信手段である。無線通信部３１ａは、アクティブタグやセミパッシブタグとして機能する無線通信装置１０ａ〜１０ｄからは、定期的に又はランダムに無線情報を受信する。無線情報を受信する際に、無線通信部３１ａは、無線通信装置１０ｂ〜１０ｃから、ユーザＩＤやパスワードの要求を受信する場合がある。この場合には、無線通信部３１ａは、ユーザ情報記憶部３３からユーザＩＤやパスワードを取得する。無線通信部３１ａは、取得したユーザＩＤやパスワードを含む応答を、無線通信装置１０ｂ〜１０ｄに送信する。
【０１６１】
無線通信部３１ａは、パッシブタグやセミパッシブタグとして機能する無線通信装置１０ａ〜１０ｄに、無線情報の送信を要求する。そして、無線通信部３１ａは、無線通信装置１０ｂ〜１０ｄが無線情報の送信の要求に応じて送信した無線情報を受信する。無線通信部３１ａは、ユーザＩＤやパスワードを含む無線情報の送信の要求を送信できる。又、無線通信部３１ａは、ユーザＩＤやパスワードを含まない無線情報の送信の要求を送信してもよい。この場合に、無線通信部３１ａが、無線通信装置１０ｂ〜１０ｄからユーザＩＤやパスワードの要求を受けた場合には、ユーザＩＤやパスワードを含む応答を、無線通信装置１０ｂ〜１０ｄに送信する。いずれの場合にも、無線通信部３１ａは、ユーザ情報記憶部３３からユーザＩＤやパスワードを取得する。無線通信部３１ａは、時計部３９ｂから時間情報を取得し、所定の間隔で無線情報を要求したり、所定の時刻に無線情報を要求したりできる。又、無線通信部３１ａは、入力部３８ａから、無線情報の要求を受けた際に、無線情報を要求してもよい。あるいは、無線通信部３１ａは、ランダムに無線情報を要求してもよい。無線通信部３１ａは、受信した無線情報を、提供情報特定部３５に入力する。
【０１６２】
通信部３４ａ、無線通信部３１ａは、配信サーバ４０ｂが送信した提供情報を受信する提供情報受信手段である。通信部３４ａ、無線通信部３１ａは、処理情報も受信する。通信部３４ａは、配信サーバ４０ｂ、中継装置５０、処理サーバ６０、課金サーバ７０と通信する。
【０１６３】
測定部３２は、端末装置３０ａに関する状態を測定する端末測定手段である。測定部３２は、端末装置３０ａに関する状態として、例えば、端末装置３０ａ自体、端末装置３０ａが備える各構成、端末装置３０ａ周辺、端末装置３０ａを使用するユーザの状態を測定する。具体的には、測定部３２は、端末装置３０ａの位置、端末装置３０ａ周辺の気温や湿度、端末装置３０ａの進行方向、端末装置３０ａ周辺の映像、端末装置３０ａの移動速度、端末装置３０ａと無線通信装置１０ａ〜１０ｄとの距離や相対速度、通信端末３０ａから所定の範囲内に存在する無線通信装置１０ａ〜１０ｄの数、端末装置３０ａのユーザの体温、脈拍、心拍数、血圧、表面湿度、ユーザが握ることにより端末装置に加えられる圧力を測定する。そのため、測定部３２としては、例えば、ＧＰＳ装置、温度計、湿度計、方位センサ、カメラ等の撮影手段、速度計、脈拍計、心拍計、血圧計、圧力計を用いることができる。
【０１６４】
又、測定部３２は、端末装置３０ａと無線通信装置１０ａ〜１０ｄとの距離を、例えば、以下のようにして測定できる。無線通信部３１ａは、無線情報として、対象物の位置情報を含む対象物情報を受信する。測定部３２は、無線通信部３１ａから、対象物の位置情報を取得する。更に、測定部３２は、端末装置３０ａの位置をＧＰＳ衛星などを用いて測定する。測定部３２は、取得した対象物の位置情報と、測定した端末装置３０ａの位置から、端末装置３０ａと無線通信装置１０ａ〜１０ｄとの距離を求める。又、測定部３２は、無線通信部３１ａが、無線通信装置１０ａ〜１０ｄから受信する電波の強度を測定する。測定部３２は、測定した電波の強度から、端末装置３０ａと無線通信装置１０ａ〜１０ｄとの距離を求める。
【０１６５】
又、測定部３２は、無線通信装置１０ａ〜１０ｄから受信する複数の電波の強度を測定する。測定部３２は、強度が閾値以上の電波の数を求めることにより、通信端末３０ａから一定の範囲内に存在する無線通信装置１０ａ〜１０ｄの数を求める。測定部３２は、電波の強度の閾値を、範囲の広さに応じて設定する。
【０１６６】
測定は、定期的に行ってもよく、ランダムに行ってもよく、連続的に行ってもよい。又、測定部３２は、提供情報特定部３５、通信ポリシー設定部３６からの測定情報の提供の要求に応じて、測定してもよい。測定部３２は、測定情報を提供情報特定部３５、通信ポリシー設定部３６、通信制御部３７ａに入力する。測定部３２は、現在の測定情報を入力してもよく、過去の測定情報を入力してもよい。
【０１６７】
入力部３８ａは、情報や要求を入力する入力手段である。入力部３８ａは、ユーザ操作により情報や要求を入力する。入力部３８ａは、無線情報の送信の要求を無線通信部３１ａに入力する。入力部３８ａは、特定情報、特定結果を提供情報特定部３５に入力する。入力部３８ａは、通信ポリシー設定情報を通信ポリシー設定部３６、通信制御部３７ａに入力する。入力部３８ａは、提供情報の送信や処理の実行の要求を、通信部３４ａに入力する。入力部３８ａは、端末装置３０ａが希望する通信ポリシーや情報、処理の種類、通信料金や処理料金の希望上限額、希望するオブジェクト単位、要求する品質、要求されるリアルタイム性などを、ユーザ情報記憶部３３に格納する。
【０１６８】
出力部３８ｂは、情報を出力する出力手段である。出力部３８ｂは、例えば、無線通信部３１ａが受信した無線情報、無線通信部３１ａや通信部３４ａが受信した提供情報、処理情報、特定情報、特定結果、通信ポリシー設定情報、設定情報、送信制御情報、入力部３８ａが入力した情報や要求を出力する。
【０１６９】
監視部３９ａは、図３に示した監視部１９ａと同様にして、監視情報を取得する。具体的には、監視部３９ａは、通信部３４ａを介して、配信サーバ４０ｂと端末装置３０ａとの間のネットワークのうち、例えば、図１に示した配信サーバ４０ｂ、中継装置５０又は処理サーバ６０と、端末装置３０ａとの間の経路１ａ，３ａ，１ｃの状況を取得する。又、監視部３９ａは、通信部３４ａから、配信サーバ４０ｂと端末装置３０ａとの間の通信リソースのうち、配信サーバ４０ｂ、中継装置５０又は処理サーバ６０と、端末装置３０ａとの間の通信リソースの状況を取得する。
【０１７０】
更に、監視部３９ａは、無線通信部３１ａ、通信部３４ａ、通信制御部３７ａの状況を監視する。監視部３９ａは、無線通信部３１ａ、通信部３４ａ、通信制御部３７ａから、その負荷状況や処理状況を取得する。例えば、監視部３９ａは、無線通信部３１ａが情報の送受信を行っている通信中の無線通信装置１０ａ〜１０ｄの数、無線通信部３１ａと無線通信装置１０ａ〜１０ｄとの間の通信路の数、無線通信部３１ａが送受信しているデータ量、通信部３４ａが情報の送受信を行っている通信中の配信サーバ４０ｂ、中継装置５０、処理サーバ６０の数、通信部３４ａと、配信サーバ４０ｂ、中継装置５０、処理サーバ６０との間の通信路の数、通信部３４ａが送受信しているデータ量、通信制御部３７ａが制御している通信路の数などの負荷状況を取得する。監視部３９ａは、無線通信部３１ａや通信部３４ａが送受信を終了させた情報の割合などの処理状況を取得する。更に、監視部３９ａは、無線通信部３１ａ、通信部３４ａ、通信制御部３７ａの負荷状況や処理状況から、端末装置３０ａ全体の負荷状況や処理状況を求めてもよい。
【０１７１】
更に、監視部３９ａは、通信ポリシーの達成度や、通信品質やデータ品質、通信スケジュールの実際の状況を監視する。その際、監視部３９ａは、通信ポリシー設定部２６から、設定した通信ポリシーを取得する。監視部３９ａは、通信部３４ａ、通信制御部３７ａ、出力部３８ｂから、設定した通信ポリシーに関係する実際の状況を取得する。監視部３９ａは、図３に示した監視部１９ａと同様に、定期的、ランダム又は連続的に、あるいは、提供情報特定部３５、通信ポリシー設定部３６からの監視情報の提供の要求に応じて、監視情報を取得する。監視部３９ａは、監視情報を、提供情報特定部３５、通信ポリシー設定部３６、通信制御部３７ａに入力する。監視部３９ａは、現在の監視情報を入力してもよく、過去の監視情報を入力してもよい。
【０１７２】
無線通信部３１ａは、無線通信装置１０ｃ、１０ｄから、特定情報、特定結果を受信する。通信部３４ａは、配信サーバ４０ｂ、中継装置５０、処理サーバ６０から、特定情報を受信する。無線通信部３１ａ，通信部３４ａは、受信した特定情報、特定結果を提供情報特定部３５に入力する。
【０１７３】
無線通信部３１ａ、通信部３４ａは、提供情報特定部３５から、特定情報、特定結果、特定した提供情報の送信の要求、特定した処理の実行の要求を取得する。無線通信部３１ａは、特定情報、特定結果、特定した提供情報の送信の要求、特定した処理の実行の要求を、無線通信装置１０ｃ，１０ｄに送信する。通信部３４ａは、特定情報、特定結果、特定した提供情報の送信の要求、特定した処理の実行の要求を、配信サーバ４０ｂ、中継装置５０、処理サーバ６０に送信する。
【０１７４】
提供情報特定部３５は、提供情報、処理を特定する。又、提供情報特定部３５は、特定情報を通知する。その際、提供情報特定部３５は、無線通信部３１ａから受信した無線情報を取得する。又、提供情報特定部３５は、無線通信部３１ａ、通信部３４ａ、入力部３８ａから、特定情報を取得する。提供情報特定部３５は、測定部３２、ユーザ情報記憶部３３、時計部３９ｂ、監視部３９ａから、測定情報、端末情報、時間情報、監視情報を取得する。
【０１７５】
提供情報特定部３５は、取得した受信した無線情報、特定情報、測定情報、端末情報、時間情報、監視情報に基づいて、提供情報、処理を特定する。提供情報特定部３５は、特定した特定結果を通信ポリシー設定部３６に入力する。又、提供情報特定部３５は、配信サーバ４０ａ，４０ｂや処理サーバ６０に対して、特定した提供情報の送信や、特定した処理の実行を要求する。提供情報特定部３５は、特定した提供情報の送信の要求や、特定した処理の実行の要求、特定結果、特定情報を、無線通信部３１ａ、通信部３４ａに入力する。
【０１７６】
又、提供情報特定部３５は、取得した受信した無線情報、特定情報、測定情報、端末情報、時間情報、監視情報に基づいて、特定情報を通知する。提供情報特定部３５は、無線通信装置１０ｄ、管理サーバ２０、配信サーバ４０ａに特定情報を通知する。提供情報特定部３５は、通知する特定情報を、無線通信部３１ａ、通信部３４ａに入力する。
【０１７７】
無線通信部３１ａは、無線通信装置１０ｃ、１０ｄから、通信ポリシー設定情報、設定情報を受信する。通信部３４ａは、中継装置５０から、通信ポリシー設定情報、設定情報を受信する。通信部３４ａは、配信サーバ４０ｂ、処理サーバ６０から、通信ポリシー設定情報を受信する。無線通信部３１ａ、通信部３４ａは、受信した通信ポリシー設定情報、設定情報を通信ポリシー設定部３６、通信制御部３７ａに入力する。無線通信部３１ａは、受信した通信ポリシー設定情報、設定情報を通信部３４ａに入力する。通信部３４ａは、受信した通信ポリシー設定情報、設定情報を無線通信部３１ａに入力する。無線通信部３１ａ、通信部３４ａは、通信ポリシー設定部３６から通信ポリシー設定情報、設定情報を取得する。無線通信部３１ａは、取得した通信ポリシー設定情報、設定情報を、無線通信装置１０ｃ，１０ｄに送信する。通信部３４ａは、取得した通信ポリシー設定情報、設定情報を、配信サーバ４０ｂ、中継装置５０、処理サーバ６０に送信する。
【０１７８】
通信ポリシー設定部３６は、提供情報、処理情報を送信する際の通信ポリシーを決定し、設定する。又、通信ポリシー設定部３６は、通信ポリシー設定情報を通知する。その際、通信ポリシー設定部３６は、提供情報特定部３５、無線通信部３１ａ、通信部３４ａ、入力部３８ａ、測定部３２、ユーザ情報記憶部３３、監視部３９ａ、時計部３９ｂ、通信ポリシーデータベース３６ａから、特定結果、通信ポリシー設定情報、測定情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報を取得する。
【０１７９】
通信ポリシー設定部３６は、取得した特定結果、通信ポリシー設定情報、測定情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報に基づいて、提供情報、処理情報を送信する際の通信ポリシーを決定し、設定する。通信ポリシー設定部３６は、通信ポリシー設定情報、設定情報を、無線通信部３１ａ，通信部３４ａに入力する。通信ポリシー設定部３６は、設定情報を通信制御部３７ａに入力する。
【０１８０】
又、通信ポリシー設定部３６は、通信ポリシーの達成目標値の設定、設定した通信ポリシー及び達成目標値、オブジェクト単位、取得した設定情報、取得した監視情報の通信ポリシーデータベース３６ａへの格納を行う。又、通信ポリシー設定部３６は、通信ポリシーデータベース３６ａから、設定した通信ポリシーを取得し、監視部３９ａに入力する。尚、図３に示した提供情報特定部１５、通信ポリシー設定部１６と同様に通信ポリシー設定部３６が通信ポリシーを決定し、設定してから、提供情報特定部３５が提供情報を特定してもよい。
【０１８１】
又、通信ポリシー設定部３６は、取得した特定結果、通信ポリシー設定情報、測定情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部３６は、無線通信装置１０ｄ、管理サーバ２０、配信サーバ４０ａ、中継装置５０に通信ポリシー設定情報を通知する。通信ポリシー設定部３６は、通知する通信ポリシー設定情報を、無線通信部３１ａ、通信部３４ａに入力する。
【０１８２】
通信制御部３７ａは、通信ポリシー設定部３６、入力部３８ａ、無線通信部３１ａ、通信部３４ａ、測定部３２、ユーザ情報記憶部３３、監視部３９ａ、時計部３９ｂから、設定情報、通信ポリシー設定情報、測定情報、端末情報、監視情報、時間情報を取得する。通信制御部３７ａは、取得した設定情報、通信ポリシー設定情報、測定情報、端末情報、監視情報、時間情報に基づいて、オブジェクト単位毎に送信制御情報を決定する。通信制御部３７は、決定した送信制御情報を、無線通信部３１ａ、通信部３４ａに入力する。又、無線通信部３１ａは、無線通信装置１０ｃ，１０ｄから、送信制御情報を受信する。無線通信部３１ａは、受信した送信制御情報を通信部３４ａ、通信制御部３７ａに入力する。通信部３４ａは、配信サーバ４０ｂ、中継装置５０から送信制御情報を受信する。通信部３４ａは、受信した送信制御情報を無線通信部３１ａ、通信制御部３７ａに入力する。無線通信部３１ａは、取得した送信制御情報を無線通信装置１０ｃ，１０ｄに送信する。通信部３４ａは、取得した送信制御情報を配信サーバ４０ｂ、中継装置５０、処理サーバ６０に送信する。
【０１８３】
又、通信制御部３７ａは、時間情報と、決定した送信制御情報、又は、無線通信部３１ａ、通信部３４ａから取得した送信制御情報に基づいて、無線通信部３１ａ、通信部３４ａを制御する。通信制御部３７ａは、無線通信部３１ａ、通信部３４ａが、送信制御情報に従って、提供情報、処理情報を受信するように制御する。又、提供情報特定部３５、通信ポリシー設定部３６、監視部３９ａは、算出情報を通信部３４ａに入力する。通信部３４ａは、取得した算出情報を課金サーバ７０に送信する。
【０１８４】
又、図６に示すように、端末装置３０ｂは、無線通信部３１ｂと、測定部３２と、ユーザ情報記憶部３３と、通信部３４ｂと、通信制御部３７ｂと、通知部３８と、入力部３８ａと、出力部３８ｂと、時計部３９ｂとを備える。
【０１８５】
図６に示す無線通信部３１ｂ、測定部３２、ユーザ情報記憶部３３、通信部３４ｂ、通信制御部３７ｂ、入力部３８ａ、出力部３８ｂ、時計部３９ｂは、図５に示した無線通信部３１ａ、測定部３２、ユーザ情報記憶部３３、通信部３４ａ、通信制御部３７ａ、入力部３８ａ、出力部３８ｂ、時計部３９ｂと実質的に同様である。但し、図６に示す無線通信部３１ｂ、測定部３２、通信部３４ｂ、通信制御部３７ｂ、入力部３８ａは、以下に説明する点においては、図５と異なっている。
【０１８６】
通知部３８は、特定情報通知手段である。無線通信部３１ｂは、受信した無線情報を通知部３８に入力する。無線通信部３１ｂは、無線通信装置１０ｃ，１０ｄから特定情報、特定結果を受信する。通信部３４ｂは、配信サーバ４０ａ、中継装置５０、処理サーバ６０から特定情報、特定結果を受信する。無線通信部３１ｂ、通信部３４ｂは、受信した特定情報、特定結果を通知部３８に入力する。入力部３８ａは、特定情報を通知部３８に入力する。測定部３２は、測定情報を通知部３８に入力する。又、測定部３２は、通知部３８からの測定情報の提供の要求に応じて測定してもよい。
【０１８７】
通知部３８は、無線通信部３１ｂ、通信部３４ｂ、入力部３８ａ、測定部３２、ユーザ情報記憶部３３から、受信した無線情報、特定情報、測定情報、端末情報、を取得する。通知部３８は、取得した特定情報、無線情報、測定情報、端末情報に基づいて、特定情報を通知する。通知部３８は、無線通信装置１０ｄ、管理サーバ２０、配信サーバ４０ａに、特定情報を通知する。又、通知部３８は、取得した特定結果に基づいて、特定した提供情報の送信や特定した処理の実行を、配信サーバ４０ａ，４０ｂ、処理サーバ６０に要求する。通知部３８は、通知する特定情報、特定した提供情報の送信の要求や特定した処理の実行の要求を、無線通信部３１ｂ、通信部３４ｂに入力する。無線通信部３１ｂは、特定情報、特定した提供情報の送信の要求や特定した処理の実行の要求を無線通信装置１０ｃ，１０ｄに送信する。又、通信部３４ｂは、特定情報、特定した提供情報の送信の要求や特定した処理の実行の要求を配信サーバ４０ａ、中継装置５０、処理サーバ６０に送信する。
【０１８８】
更に、通知部３８は、制御情報通知手段としても機能する。無線通信部３１ｂは、無線通信装置１０ｃ，１０ｄから通信ポリシー設定情報を受信する。通信部３４ｂは、配信サーバ４０ａ、中継装置５０、処理サーバ６０から通信ポリシー設定情報を受信する。無線通信部３１ｂ、通信部３４ｂは、受信した通信ポリシー設定情報を通知部３８に入力する。入力部３８ａは、通信ポリシー設定情報を通知部３８に入力する。通知部３８は、無線通信部３１ｂ、通信部３４ｂ、入力部３８ａ、測定部３２、ユーザ情報記憶部３３から、受信した通信ポリシー設定情報、測定情報、端末情報を取得する。通知部３８は、取得した通信ポリシー設定情報、測定情報、端末情報に基づいて、通信ポリシー設定情報を通知する。通知部３８は、無線通信装置１０ｄ、管理サーバ２０、配信サーバ４０ａ、中継装置５０に、通信ポリシー設定情報を通知する。通知部３８は、通知する通信ポリシー設定情報を無線通信部３１ｂ、通信部３４ｂに入力する。無線通信部３１ｂは、取得した通信ポリシー設定情報を無線通信装置１０ｃ，１０ｄに送信する。通信部３４ｂは、取得した通信ポリシー設定情報を配信サーバ４０ａ、中継装置５０に送信する。
【０１８９】
通信制御部３７ｂは、無線通信部３１ｂ、通信部３４ｂ、測定部３２、ユーザ情報記憶部３３、時計部３９ｂから、設定情報、通信ポリシー設定情報、測定情報、端末情報、時間情報を取得する。通信制御部３７ｂは、取得した設定情報、通信ポリシー設定情報、測定情報、端末情報、時間情報に基づいて、オブジェクト単位毎に送信制御情報を決定する。
【０１９０】
〔配信サーバ〕
配信サーバ４０ａ，４０ｂは、端末装置３０ａ，３０ｂに提供情報を送信する情報送信装置である。提供情報は、配信サーバ４０ａ，４０ｂが端末装置３０ａ，３０ｂに送信する情報である。提供情報には、そのデータの種類によって分類した場合、テキスト情報、静止画像情報、動画像情報、音声情報、プログラム情報、これらの情報を複合したマルチメディアコンテンツなどがある。又、提供情報は、そのデータのリアルタイム性によって分類した場合、非リアルタイムコンテンツ、リアルタイムコンテンツ、通信端末、ＲＦ−ＩＤタグの移動速度に対応するリアルタイム性の指標をメタデータその他のコンテンツ制御情報に記載したコンテンツがある。又、提供情報は、無線情報との関係によって分類した場合、対象物情報に関連する対象物関連情報、対象領域情報に関連する対象領域関連情報、無線通信装置情報に関連する無線通信装置関連情報、広告情報に関連する広告関連情報がある。
【０１９１】
図７に示すように、配信サーバ４０ａは、提供情報提供部４１ａと、提供情報データベース４２と、ユーザ情報データベース４３と、通信部４４ａと、提供情報特定部４５ａと、通信ポリシー設定部４６と、通信ポリシーデータベース４６ａと、設定条件制御部４６ｂと、通信制御部４７ａと、変換部４８ａと、リソース割当部４８ｂと、監視部４９ａと、時計部４９ｂと、配信サーバ情報記憶部４９ｃとを備える。
【０１９２】
ユーザ情報データベース４３、通信ポリシーデータベース４６ａ、時計部４９ｂは、図３に示したユーザ情報データベース１３、通信ポリシーデータベース１６ａ、時計部１９ｂと同様である。通信部４４ａは、端末装置３０ｂ、中継装置５０、処理サーバ６０、課金サーバ７０と通信する。
【０１９３】
監視部４９ａは、図３に示した監視部１９ａと同様にして、監視情報を取得する。具体的には、監視部４９ａは、通信部４４ａを介して、配信サーバ４０ａと端末装置３０ｂとの間のネットワークのうち、例えば、図１に示した端末装置３０ｂ又は中継装置５０と、配信サーバ４０ａとの間の経路１ｂ，２ｂの状況を取得する。更に、監視部４９ａは、図１に示した処理サーバ６０と配信サーバ４０ａとの間の経路７ａの状況も取得する。又、監視部４９ａは、リソース割当部４８ｂ又は通信部４４ａから、配信サーバ４０ａと端末装置３０ｂとの間の通信リソースのうち、端末装置３０ｂ又は中継装置５０と、配信サーバ４０ａとの間の通信リソースの状況を取得する。更に、監視部４９ａは、処理サーバ６０と配信サーバ４０ａとの間の通信リソースの状況も取得する。
【０１９４】
又、監視部４９ａは、提供情報提供部４１ａ、通信部４４ａ、通信制御部４７ａ、変換部４８ａ、リソース割当部４８ｂの状況を監視する。監視部４９ａは、提供情報提供部４１ａ、通信部４４ａ、通信制御部４７ａ、変換部４８ａ、リソース割当部４８ｂから、その負荷状況や処理状況を取得する。例えば、監視部４９ａは、提供情報提供部４１ａが行う処理量、通信部４４ａが情報の送受信を行っている通信中の端末装置３０ｂ、中継装置５０、処理サーバ６０の数、通信部４４ａと、端末装置３０ｂ、中継装置５０、処理サーバ６０との間の通信路の数、通信部４４ａが送受信しているデータ量、通信制御部４７ａが制御している通信路の数、変換部４８ａが行うデータ変換量、リソース割当部４８ｂが行う処理量などの負荷状況を取得する。監視部４９ａは、提供情報提供部４１ａが終了させた処理量の割合、通信部４４ａが送受信を終了させた情報の割合、変換部４８ａが変換を終了させたデータ量の割合、リソース割当部４８ｂが終了させた処理量の割合などの処理状況を取得する。更に、監視部４９ａは、提供情報提供部４１ａ、通信部４４ａ、通信制御部４７ａ、変換部４８ａ、リソース割当部４８ｂの負荷状況や処理状況から、配信サーバ４０ａ全体の負荷状況や処理状況を求めてもよい。
【０１９５】
更に、監視部４９ａは、通信ポリシーの達成度や、通信品質やデータ品質、通信スケジュールの実際の状況を監視する。その際、監視部４９ａは、通信ポリシー設定部４６から、設定した通信ポリシーを取得する。監視部４９ａは、提供情報提供部４１ａ、通信部４４ａ、通信制御部４７ａ、変換部４８ａ、リソース割当部４８ｂから、設定した通信ポリシーに関係する実際の状況を取得する。監視部４９ａは、提供情報特定部４５ａ、通信ポリシー設定部４６からの監視情報の提供の要求に応じて、監視情報を取得する。監視部４９ａは、監視情報を、提供情報特定部４５ａ、通信ポリシー設定部４６、設定条件制御部４６ｂ、通信制御部４７ａに入力する。監視部４９ａは、現在の監視情報を入力してもよく、過去の監視情報を入力してもよい。
【０１９６】
配信サーバ情報記憶部４９ｃは、配信サーバ４０ａに関する配信サーバ情報を記憶する。配信サーバ情報には、配信サーバ４０ａの識別子（以下「配信サーバＩＤ」という）、配信サーバ４０ａの位置情報、配信サーバ４０ａの処理能力や通信速度、容量などの配信サーバ４０ａの性能に関する情報、配信サーバ４０ａの負荷状況や処理状況、配信サーバ４０ａが希望する通信ポリシー、通信料金の希望上限額、提供してもよい配信サーバ４０ａに関する通信リソース、希望するオブジェクト単位、要求する品質、要求されるリアルタイム性などがある。又、配信サーバ情報には、配信サーバ４０ａ全体に関する情報と、配信サーバ４０ａを構成する各構成に関する情報がある。尚、配信サーバＩＤとしては、配信サーバ４０ａに付与した番号や記号、文字などを用いることができる。
【０１９７】
提供情報データベース４２は、提供情報を記憶する提供情報記憶手段である。提供情報データベース４２は、提供情報そのものだけでなく、提供情報に関する情報を記憶する。提供情報に関する情報には、その提供情報を特定する無線情報、提供情報を識別する識別子（以下「コンテンツＩＤ」という）、提供情報の名称、内容の説明、提供情報のサンプル、提供情報のデータ量、提供情報を利用可能な時間、送信開始予定時刻、提供情報の送信に要する平均時間、提供情報を構成するデータの種類、提供情報のデータ品質、提供情報の送信に推奨する通信ポリシー（以下「推奨通信ポリシー」という）、提供情報の要求されるリアルタイム性、提供情報を区切るオブジェクト単位、提供情報の利用状況、提供情報の料金などがある。提供情報データベース４２は、コンテンツＩＤに対応付けて、提供情報、提供情報に関する情報を記憶する。尚、コンテンツＩＤとしては、提供情報に付与した番号や記号、文字などを用いることができる。
【０１９８】
通信部４４ａは、端末装置３０ｂ、中継装置５０から、特定情報、特定結果、特定した提供情報の送信の要求、特定した処理の実行の要求、特定した提供情報の送信の指示、特定した処理の実行の指示を受信する。通信部４４ａは、処理サーバ６０から、特定情報を受信する。通信部４４ａは、受信した特定情報を提供情報特定部４５ａに入力する。通信部４４ａは、受信した特定結果、特定した提供情報の送信の要求、特定した提供情報の送信の指示を、提供情報提供部４１ａに入力する。又、通信部４４ａは、提供情報特定部４５ａから特定情報、特定結果、特定した処理の実行の指示を取得する。通信部４４ａは、受信又は取得した特定情報や特定結果を、端末装置３０ｂ、中継装置５０、処理サーバ６０に送信する。又、通信部４４ａは、受信又は取得した特定した処理の実行の要求や指示を、処理サーバ６０に送信する。
【０１９９】
提供情報特定部４５ａは、通信部４４ａから特定情報を取得する。提供情報特定部４５ａは、ユーザＩＤに基づいて、ユーザ情報データベース４３から端末情報を取得する。更に、提供情報特定部４５ａは、時計部４９ｂ、監視部４９ａ、配信サーバ情報記憶部４９ｃから、時間情報、監視情報、配信サーバ情報を取得する。
【０２００】
提供情報特定部４５ａは、取得した特定情報、端末情報、時間情報、監視情報、配信サーバ情報に基づいて、提供情報データベース４２を検索する。そして、提供情報特定部４５ａは、特定情報、端末情報、時間情報、監視情報、配信サーバ情報に適した提供情報を特定する。
【０２０１】
又、提供情報特定部４５ａは、提供情報データベース４２から、特定した提供情報に関する情報を取得する。提供情報特定部４５ａは、取得した特定情報、端末情報、時間情報、監視情報、配信サーバ情報、特定した提供情報に関する情報に基づいて、処理を特定する。
【０２０２】
提供情報特定部４５ａは、特定した特定結果を、通信ポリシー設定部４６、提供情報提供部４１ａに入力する。又、提供情報特定部４５ａは、処理サーバ６０に対して、特定した処理の実行を指示する。提供情報特定部４５ａは、特定した処理の実行の指示、特定情報、特定結果を通信部４４ａに入力する。
【０２０３】
又、提供情報特定部４５ａは、図３、図４、図５に示した提供情報特定部１５，２５，３５に対して、提供情報に関する情報を提供する提示手段としても機能する。提供情報特定部４５ａは、取得した特定情報、端末情報、時間情報、監視情報、配信サーバ情報に基づいて、提供情報データベース４２を検索する。提供情報特定部４５ａは、特定情報、端末情報、時間情報、監視情報、配信サーバ情報に適した提供情報に関する情報を、提供する情報として決定する。
【０２０４】
提供情報特定部４５ａは、決定した提供情報に関する情報を、提供情報データベース４２から取得する。提供情報特定部４５ａは、取得した提供情報に関する情報を特定情報として、提供情報特定部１５，２５，３５に対して提供する。又、提供情報特定部４５ａは、提供情報データベース４２から、任意の提供情報に関する情報を取得して、提供情報特定部１５，２５，３５に対して提供してもよい。
【０２０５】
更に、提供情報特定部４５ａは、提供情報に関する情報以外の特定情報の通知も行う。提供情報特定部４５ａは、取得した特定情報、端末情報、時間情報、監視情報、配信サーバ情報に基づいて、特定情報を通知する。提供情報特定部４５ａは、無線通信装置１０ｄ、管理サーバ２０、端末装置３０ａに、特定情報を通知する。提供情報特定部４５ａは、特定情報を通信部４４ａに入力する。
【０２０６】
設定条件制御部４６ｂは、通信ポリシーの設定条件を制御する設定条件制御手段である。設定条件制御部４６ｂは、通信ポリシーの設定規則、オブジェクト単位の決定規則、通信ポリシーの達成目標値の算出規則についても制御する。設定条件制御部４６ｂは、監視部４９ａから監視情報を取得する。設定条件制御部４６ｂは、取得した監視情報に基づいて、通信ポリシーの設定条件、通信ポリシーの設定規則、オブジェクト単位の決定規則、通信ポリシーの達成目標値の算出規則を制御してもよい。設定条件制御部４６ｂは、制御した設定条件、設定規則、決定規則、算出規則を通信ポリシー設定部４６に入力する。又、設定条件制御部４６ｂは、制御した設定条件、設定規則、決定規則、算出規則を通信ポリシーデータベース４６ａに格納する。これにより、通信ポリシーデータベース４６ａが更新される。
【０２０７】
通信部４４ａは、端末装置３０ｂ、中継装置５０から、通信ポリシー設定情報、設定情報を受信する。通信部４４ａは、処理サーバ６０から、通信ポリシー設定情報を受信する。通信部４４ａは、受信した通信ポリシー設定情報、設定情報を通信ポリシー設定部４６、通信制御部４７ａに入力する。通信部４４ａは、通信ポリシー設定部４６から通信ポリシー設定情報、設定情報を取得する。通信部４４ａは、受信又は取得した通信ポリシー設定情報や設定情報を、端末装置３０ｂ、中継装置５０、処理サーバ６０に送信する。
【０２０８】
通信ポリシー設定部４６は、提供情報、処理情報を送信する際の通信ポリシーを決定し、設定する。又、通信ポリシー設定部４６は、通信ポリシー設定情報を通知する。その際、通信ポリシー設定部４６は、通信部４４ａから、通信ポリシー設定情報、設定情報を取得する。通信ポリシー設定部４６は、提供情報特定部４５ａから特定結果を取得する。通信ポリシー設定部４６は、提供情報データベース４２から提供情報に関する情報を取得する。通信ポリシー設定部４６は、ユーザＩＤに基づいて、ユーザ情報データベース４３から、端末情報を取得する。通信ポリシー設定部４６は、時計部４９ｂ、監視部４９ａ、配信サーバ情報記憶部４９ｃから、時間情報、監視情報、配信サーバ情報を取得する。通信ポリシー設定部４６は、通信ポリシーデータベース４６ａ又は設定条件制御部４６ｂから、通信ポリシーの設定規則、通信ポリシーの設定条件、オブジェクト単位の決定規則、達成目標値の算出規則、通信ポリシーの達成度、通信ポリシーの履歴に関する情報を取得する。
【０２０９】
通信ポリシー設定部４６は、取得した特定結果、通信ポリシー設定情報、提供情報に関する情報、端末情報、時間情報、監視情報、配信サーバ情報、通信ポリシーの設定規則、通信ポリシーの設定条件、オブジェクト単位の決定規則、達成目標値の算出規則、通信ポリシーの達成度、通信ポリシーの履歴に関する情報に基づいて、提供情報、処理情報を送信する際の通信ポリシーを決定し、設定する。通信ポリシー設定部４６は、通信ポリシー設定情報、設定情報を、通信部４４ａに入力する。通信ポリシー設定部４６は、設定情報を通信制御部４７ａに入力する。
【０２１０】
又、通信ポリシー設定部４６は、通信ポリシーの達成目標値の設定、設定した通信ポリシー及び達成目標値、オブジェクト単位、取得した設定情報、取得した監視情報の通信ポリシーデータベース４６ａへの格納を行う。又、通信ポリシー設定部４６は、通信ポリシーデータベース４６ａから、設定した通信ポリシーを取得し、監視部４９ａに入力する。尚、図３に示した提供情報特定部１５、通信ポリシー設定部１６と同様に通信ポリシー設定部４６が通信ポリシーを決定し、設定してから、提供情報特定部４５ａが提供情報を特定してもよい。
【０２１１】
又、通信ポリシー設定部４６は、取得した特定結果、通信ポリシー設定情報、提供情報に関する情報、端末情報、時間情報、監視情報、配信サーバ情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部４６は、無線通信装置１０ｄ、管理サーバ２０、端末装置３０ａ、中継装置５０に、通信ポリシー設定情報を通知する。通信ポリシー設定部４６は、通知する通信ポリシー設定情報を通信部４４ａに入力する。
【０２１２】
通信制御部４７ａは、図３に示した通信制御部１７と同様にして、オブジェクト単位毎に送信制御情報を決定する。その際、通信制御部４７ａは、通信ポリシー設定部４６、通信部４４ａ、提供情報データベース４２、ユーザ情報データベース４３、監視部４９ａ、時計部４９ｂ、配信サーバ情報記憶部４９ｃから、設定情報、通信ポリシー設定情報、提供情報に関する情報、端末情報、監視情報、時間情報、配信サーバ情報を取得する。通信制御部４７ａは、決定した送信制御情報を通信部４４ａに入力する。通信部４４ａは、受信又は取得した送信制御情報を、端末装置３０ｂ、中継装置５０、処理サーバ６０に送信する。
【０２１３】
又、通信制御部４７ａは、時計部４９ｂから時間情報を取得する。通信制御部４７ａは、時間情報と、決定した送信制御情報、又は、通信部４４ａから取得した送信制御情報に基づいて、提供情報提供部４１ａ、通信部４４ａ、変換部４８ａ、リソース割当部４８ｂを制御する。
【０２１４】
提供情報提供部４１ａは、提供情報を通信部４４ａに提供する提供情報提供手段である。提供情報提供部４１ａは、通信部４４ａから、受信した特定結果、特定した提供情報の送信の要求、特定した提供情報の送信の指示を取得する。又、提供情報提供部４１ａは、提供情報特定部４５ａから、特定した特定結果を取得する。提供情報提供部４１ａは、取得した特定結果、提供情報の送信の要求や指示に基づいて、提供情報を提供情報データベース４２から取得する。又、提供情報提供部４１ａは、取得した特定結果、提供情報の送信の要求や指示に基づいて、提供情報を送信する宛先アドレスを、ユーザ情報データベース４３から取得する。提供情報提供部４１ａは、提供情報に宛先アドレスを付加する。提供情報提供部４１ａは、通信制御部４７ａの制御に従い、宛先アドレスを付与した提供情報を通信部４４ａ又は変換部４８ａに入力する。
【０２１５】
変換部４８ａは、提供情報提供部４１ａから提供情報を取得する。変換部４８ａは、通信制御部４７ａの制御に従って、オブジェクト単位毎に提供情報を変換する。変換部４８ａは、変換した提供情報を通信部４４ａに入力する。
【０２１６】
通信部４４ａは、特定した提供情報を送信する情報送信手段である。通信部４４ａは、提供情報提供部４１ａ又は変換部４８ａから提供情報を取得する。又、通信部４４ａは、処理サーバ６０から、処理を受けた提供情報や処理情報を受信する。通信部４４ａは、通信制御部４７ａの制御に従い、取得した提供情報や、受信した提供情報や処理情報を、オブジェクト単位毎に、端末装置３０ｂ、中継装置５０又は処理サーバ６０に送信する。
【０２１７】
リソース割当部４８ｂは、図４に示したリソース割当部２８ｂと同様に、通信リソースの割当、通信リソースの状況の監視部４９ａへの入力を行う。リソース割当部４８ｂは、端末装置３０ｂ、中継装置５０又は処理サーバ６０と、配信サーバ４０ａとの間の通信リソースの割当を行う。
【０２１８】
又、提供情報特定部４５ａ、通信ポリシー設定部４６、通信制御部４７ａ、監視部４９ａは、算出情報を通信部４４ａに入力する。又、通信部４４ａは、端末装置３０ｂから、算出情報を受信する。通信部４４ａは、取得又は受信した算出情報を課金サーバ７０に送信する。
【０２１９】
図８に示すように、配信サーバ４０ｂは、提供情報提供部４１ｂと、提供情報データベース４２と、ユーザ情報データベース４３と、通信部４４ｂと、提供情報提示部４５ｂと、通知部４５ｃと、通信制御部４７ｂと、変換部４８ａと、リソース割当部４８ｃと、監視部４９ｄと、時計部４９ｂと、配信サーバ情報記憶部４９ｅとを備える。図８に示す提供情報データベース４２と、ユーザ情報データベース４３と、変換部４８ａと、時計部４９ｂと、配信サーバ情報記憶部４９ｅは、図７に示した提供情報データベース４２と、ユーザ情報データベース４３と、変換部４８ａと、時計部４９ｂと、配信サーバ情報記憶部４９ｃと実質的に同様である。通信部４４ｂは、端末装置３０ａ、中継装置５０、管理サーバ２０、処理サーバ６０、課金サーバ７０と通信する。
【０２２０】
監視部４９ｄは、図３に示した監視部１９ａと同様にして、監視情報を取得する。具体的には、監視部４９ｄは、通信部４４ｂを介して、配信サーバ４０ｂと端末装置３０ａとの間のネットワークのうち、例えば、図１に示した端末装置３０ａ、中継装置５０又は管理サーバ２０と、配信サーバ４０ｂとの間の経路１ａ，２ａ，４ａの状況を取得する。更に、監視部４９ｄは、図１に示した処理サーバ６０と配信サーバ４０ｂとの間の経路７ｂの状況も取得する。又、監視部４９ｄは、リソース割当部４８ｃ又は通信部４４ｂから、配信サーバ４０ｂと端末装置３０ａとの間の通信リソースのうち、端末装置３０ａ、中継装置５０又は管理サーバ２０と、配信サーバ４０ｂとの間の通信リソースの状況を取得する。更に、監視部４９ｄは、処理サーバ６０と配信サーバ４０ｂとの間の通信リソースの状況も取得する。監視部４９ｄは、監視情報を、提供情報提示部４５ｂ、通知部４５ｃに入力する。
【０２２１】
監視部４９ｄは、これらの点以外は、図７に示した監視部４９ａと実質的に同様である。尚、監視部４９ｄは、通信ポリシーの達成度を監視する際に、通信制御部４７ｂから設定した通信ポリシーを取得する。
【０２２２】
通信部４４ｂは、端末装置３０ａ、中継装置５０、管理サーバ２０から、特定情報、特定結果、特定した提供情報の送信の要求、特定した処理の実行の要求、特定した提供情報の送信の指示、特定した処理の実行の指示を受信する。通信部４４ｂは、処理サーバ６０から、特定情報を受信する。通信部４４ｂは、受信した特定情報を提供情報提示部４５ｂに入力する。通信部４４ｂは、受信した特定結果を通知部４５ｃに入力する。通信部４４ｂは、受信した特定結果、特定した提供情報の送信の要求、特定した提供情報の送信の指示を、提供情報提供部４１ｂに入力する。又、通信部４４ｂは、提供情報提示部４５ｂから特定情報を取得する。通信部４４ｂは、受信した特定結果、特定情報、又は、取得した特定情報を、端末装置３０ａ、中継装置５０、管理サーバ２０、処理サーバ６０に送信する。通信部４４ｂは、受信した処理の実行の要求や指示を処理サーバ６０に送信する。
【０２２３】
提供情報提示部４５ｂは、図７に示した提供情報特定部４５ａと同様にして、提供情報特定部１５，２５，３５に対して、提供情報に関する情報の提供、提供情報に関する情報以外の特定情報の通知を行う。提供情報提示部４５ｂは、特定情報を通信部４４ｂに入力する。
【０２２４】
通信部４４ｂは、端末装置３０ａ、中継装置５０、管理サーバ２０から、通信ポリシー設定情報、設定情報を受信する。通信部４４ｂは、処理サーバ６０から、通信ポリシー設定情報を受信する。通信部４４ｂは、受信した通信ポリシー設定情報を通知部４５ｃに入力する。通信部４４ｂは、受信した設定情報、通信ポリシー設定情報を通信制御部４７ｂに入力する。通信部４４ｂは、通知部４５ｃから通信ポリシー設定情報を取得する。通信部４４ｂは、受信した通信ポリシー設定情報、設定情報、又は、取得した通信ポリシー設定情報を、端末装置３０ａ、中継装置５０、管理サーバ２０、処理サーバ６０に送信する。
【０２２５】
通知部４５ｃは、通信部４４ｂ、提供情報データベース４２、ユーザ情報データベース４３、監視部４９ｄ、配信サーバ情報記憶部４９ｅから、受信した特定結果、通信ポリシー設定情報、提供情報に関する情報、端末情報、監視情報、配信サーバ情報を取得する。通知部４５ｃは、取得した特定結果、通信ポリシー設定情報、提供情報に関する情報、端末情報、監視情報、配信サーバ情報に基づいて、通信ポリシー設定情報を通知する。通知部４５ｃは、無線通信装置１０ｄ、管理サーバ２０、端末装置３０ａ、中継装置５０に、通信ポリシー設定情報を通知する。通知部４５ｃは、通知する通信ポリシー設定情報を通信部４４ｂに入力する。
【０２２６】
通信制御部４７ｂは、通信部４４ｂから設定情報、通信ポリシー設定情報を取得する。又、提供情報提供部４１ｂは、通信部４４ｂから、受信した特定結果、特定した提供情報の送信の要求、特定した提供情報の送信の指示を取得する。これらの点以外は、通信制御部４７ｂ、提供情報提供部４１ｂは、図７に示した通信制御部４７ａ、提供情報提供部４１ａと実質的に同様である。
【０２２７】
リソース割当部４８ｃは、図４に示したリソース割当部２８ｂと同様に、通信リソースの割当、通信リソースの状況の監視部４９ｄへの入力を行う。リソース割当部４８ｃは、端末装置３０ａ、中継装置５０又は管理サーバ２０、処理サーバ６０と、配信サーバ４０ｂとの間の通信リソースの割当を行う。
【０２２８】
通信部４４ｂは、図７に示した通信部４４ａと同様にして、提供情報、処理情報を、端末装置３０ａ、中継装置５０、管理サーバ２０又は処理サーバ６０に送信する。又、通信部４４ｂは、通信制御部４７ｂから取得した送信制御情報、又は、端末装置３０ａ、中継装置５０、管理サーバ２０から受信した送信制御情報を、端末装置３０ａ、管理サーバ２０、中継装置５０、処理サーバ６０に送信する。提供情報提示部４５ｂ、通知部４５ｃ、通信制御部４７ｂ、監視部４９ｄは、算出情報を通信部４４ｂに入力する。又、通信部４４ｂは、端末装置３０ａから、算出情報を受信する。通信部４４ｂは、取得又は受信した算出情報を課金サーバ７０に送信する。
【０２２９】
〔中継装置〕
中継装置５０は、配信サーバ４０ａ，４０ｂから端末装置３０ａ，３０ｂへの提供情報の送信を中継する。中継装置５０は、端末装置３０ａ，３０ｂと、配信サーバ４０ａ，４０ｂと、管理サーバ２０と、処理サーバ６０との間で送受信される情報を中継する。
【０２３０】
図９に示すように、中継装置５０は、ユーザ情報データベース５３と、通信部５４と、通知部５５と、通信ポリシー設定部５６と、通信ポリシーデータベース５６ａと、設定条件制御部５６ｂと、通信制御部５７と、変換部５８ａと、リソース割当部５８ｂと、監視部５９ａと、時計部５９ｂと、中継装置情報記憶部５９ｃとを備える。
【０２３１】
ユーザ情報データベース５３、通信ポリシーデータベース５６ａ、時計部５９ｂは、図３に示したユーザ情報データベース１３、通信ポリシーデータベース１６ａ、時計部１９ｂと同様である。変換部５８ａは、図４に示した変換部２８ａと同様である。設定条件制御部５６ｂは、図７に示した設定条件制御部５６ｂと同様である。通信部５４は、端末装置３０ａ，３０ｂ、配信サーバ４０ａ，４０ｂ、管理サーバ２０、処理サーバ６０、課金サーバ７０と通信する。
【０２３２】
監視部５９ａは、図３に示した監視部１９ａと同様にして、監視情報を取得する。具体的には、監視部５９ａは、通信部５４を介して、配信サーバ４０ａ，４０ｂと端末装置３０ａ，３０ｂとの間のネットワークのうち、例えば、図１に示した配信サーバ４０ａ，４０ｂ又は処理サーバ６０と、中継装置５０との間の経路２ｂ，２ａ，２ｃの状況を取得する。又、監視部５９ａは、端末装置３０ａ，３０ｂ又は管理サーバ２０と、中継装置５０との間の経路３ａ，３ｂ，４ｃの状況を取得する。又、監視部５９ａは、リソース割当部５８ｂ又は通信部５４から、配信サーバ４０ａ，４０ｂと端末装置３０ａ，３０ｂとの間の通信リソースのうち、配信サーバ４０ａ，４０ｂ又は処理サーバ６０と、中継装置５０との間の通信リソースの状況を取得する。又、監視部５９ａは、端末装置３０ａ，３０ｂ又は管理サーバ２０と、中継装置５０との間の通信リソースの状況を取得する。
【０２３３】
更に、監視部５９ａは、通信部５４、通信制御部５７、変換部５８ａ、リソース割当部５８ｂの状況を監視する。監視部５９ａは、通信部５４、通信制御部５７、変換部５８ａ、リソース割当部５８ｂから、その負荷状況や処理状況を取得する。例えば、監視部５９ａは、通信部５４が情報の送受信を行っている通信中の端末装置３０ａ，３０ｂ、管理サーバ２０、配信サーバ４０ａ、４０ｂ、処理サーバ６０の数、通信部５４と、端末装置３０ａ，３０ｂ、管理サーバ２０、配信サーバ４０ａ、４０ｂ、処理サーバ６０との間の通信路の数、通信部５４が送受信しているデータ量、通信制御部５７が制御している通信路の数、変換部５８ａが行うデータ変換量、リソース割当部５８ｂが行う処理量などの負荷状況を取得する。監視部５９ａは、通信部５４が送受信を終了させた情報の割合、変換部５８ａが変換を終了させたデータ量の割合、リソース割当部５８ｂが終了させた処理量の割合などの処理状況を取得する。更に、監視部５９ａは、通信部５４、通信制御部５７、変換部５８ａ、リソース割当部５８ｂの負荷状況や処理状況から、中継装置５０全体の負荷状況や処理状況を求めてもよい。
【０２３４】
又、監視部５９ａは、図４に示した監視部２９ａと同様にして、通信ポリシーの達成度、通信品質やデータ品質、通信スケジュールの実際の状況を監視する。監視部５９ａは、通知部５５、通信ポリシー設定部５６からの監視情報の提供の要求に応じて、監視情報を取得する。監視部５９ａは、監視情報を、通知部５５、通信ポリシー設定部５６、設定条件制御部５６ｂ、通信制御部５７に入力する。監視部５９ａは、現在の監視情報を入力してもよく、過去の監視情報を入力してもよい。
【０２３５】
中継装置情報記憶部５９ｃは、中継装置５０に関する中継装置情報を記憶する。中継装置情報には、中継装置５０の識別子（以下「中継装置ＩＤ」という）、中継装置５０の位置情報、中継装置５０の処理能力や通信速度、容量などの中継装置５０の性能に関する情報、中継装置５０の負荷状況や処理状況、中継装置５０が希望する通信ポリシー、通信料金の希望上限額、提供してもよい中継装置５０に関する通信リソース、希望するオブジェクト単位、要求する品質、要求されるリアルタイム性などがある。又、中継装置情報には、中継装置５０全体に関する情報と、中継装置５０を構成する各構成に関する情報がある。尚、中継装置ＩＤとしては、中継装置５０に付与した番号や記号、文字などを用いることができる。
【０２３６】
通信部５４は、端末装置３０ａ，３０ｂ、配信サーバ４０ａ，４０ｂ、管理サーバ２０から、特定情報、特定結果、特定した提供情報の送信の要求、特定した処理の実行の要求、特定した提供情報の送信の指示、特定した処理の実行の指示を受信する。通信部５４は、処理サーバ６０から特定情報を受信する。通信部５４は、受信した特定情報を通知部５５に入力する。通信部５４は、通知部５５から特定情報を取得する。通信部５４は、受信した特定情報、特定結果、特定した提供情報の送信の要求、特定した処理の実行の要求、特定した提供情報の送信の指示、特定した処理の実行の指示、取得した特定情報を、端末装置３０ａ，３０ｂ、配信サーバ４０ａ，４０ｂ、管理サーバ２０、処理サーバ６０に送信する。
【０２３７】
通知部５５は、通信部５４、ユーザ情報データベース５３、通信ポリシー設定部５６、監視部５９ａ、中継装置情報記憶部５９ｃから、特定情報、端末情報、設定情報、監視情報、中継装置情報を取得する。通知部５５は、取得した特定情報、端末情報、設定情報、監視情報、中継装置情報に基づいて、特定情報を通知する。通知部５５は、無線通信装置１０ｄ、管理サーバ２０、端末装置３０ａ、配信サーバ４０ａに、特定情報を通知する。
【０２３８】
通信部５４は、端末装置３０ａ，３０ｂ、配信サーバ４０ａ，４０ｂ、管理サーバ２０から、通信ポリシー設定情報、設定情報を受信する。通信部５４は、処理サーバ６０から、通信ポリシー設定情報を受信する。通信部５４は、受信した通信ポリシー設定情報、設定情報を通信ポリシー設定部５６、通信制御部５７に入力する。通信部５４は、通信ポリシー設定部５６から通信ポリシー設定情報、設定情報を取得する。通信部５４は、受信又は取得した通信ポリシー設定情報や設定情報を、端末装置３０ａ，３０ｂ、配信サーバ４０ａ，４０ｂ、管理サーバ２０、処理サーバ６０に送信する。
【０２３９】
通信ポリシー設定部５６は、提供情報、処理情報を送信する際の通信ポリシーを決定し、設定する。又、通信ポリシー設定部５６は、通信ポリシー設定情報を通知する。その際、通信ポリシー設定部５６は、通信部５４から、通信ポリシー設定情報、設定情報を取得する。通信ポリシー設定部５６は、ユーザＩＤに基づいて、ユーザ情報データベース５３から、端末情報を取得する。通信ポリシー設定部５６は、時計部５９ｂ、監視部５９ａ、中継装置情報記憶部５９ｃから、時間情報、監視情報、中継装置情報を取得する。通信ポリシー設定部５６は、通信ポリシーデータベース５６ａ又は設定条件制御部５６ｂから、通信ポリシーの設定規則、通信ポリシーの設定条件、オブジェクト単位の決定規則、達成目標値の算出規則、通信ポリシーの達成度、通信ポリシーの履歴に関する情報を取得する。
【０２４０】
通信ポリシー設定部５６は、取得した通信ポリシー設定情報、端末情報、時間情報、監視情報、中継装置情報、通信ポリシーの設定規則、通信ポリシーの設定条件、オブジェクト単位の決定規則、達成目標値の算出規則、通信ポリシーの達成度、通信ポリシーの履歴に関する情報に基づいて、提供情報、処理情報を送信する際の通信ポリシーを決定し、設定する。通信ポリシー設定部５６は、通信ポリシー設定情報、設定情報を、通信部５４に入力する。通信ポリシー設定部５６は、設定情報を通信制御部５７、通知部５５に入力する。
【０２４１】
又、通信ポリシー設定部５６は、通信ポリシーの達成目標値の設定、設定した通信ポリシー及び達成目標値、オブジェクト単位、取得した設定情報、取得した監視情報の通信ポリシーデータベース５６ａへの格納を行う。又、通信ポリシー設定部５６は、通信ポリシーデータベース５６ａから、設定した通信ポリシーを取得し、監視部５９ａに入力する。
【０２４２】
通信ポリシー設定部５６は、取得した通信ポリシー設定情報、端末情報、時間情報、監視情報、中継装置情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部５６は、無線通信装置１０ｄ、管理サーバ２０、端末装置３０ａ、配信サーバ４０ａに、通信ポリシー設定情報を通知する。通信ポリシー設定部５６は、通知する通信ポリシー設定情報を、通信部５４に入力する。
【０２４３】
通信制御部５７は、図３に示した通信制御部１７と同様にして、オブジェクト単位毎に送信制御情報を決定する。その際、通信制御部５７は、通信ポリシー設定部５６、通信部５４、ユーザ情報データベース５３、監視部５９ａ、時計部５９ｂ、中継装置情報記憶部５９ｃから、設定情報、通信ポリシー設定情報、端末情報、監視情報、中継装置情報、時間情報を取得する。
【０２４４】
通信制御部５７は、決定した送信制御情報を、通信部５４に入力する。又、通信部５４は、端末装置３０ａ，３０ｂ、配信サーバ４０ａ，４０ｂ、管理サーバ２０、処理サーバ６０から送信制御情報を受信する。通信部５４は、通信制御部５７から取得した送信制御情報、又は、受信した送信制御情報を、端末装置３０ａ，３０ｂ、配信サーバ４０ａ，４０ｂ、管理サーバ２０、処理サーバ６０に送信する。又、通信制御部５７は、時間情報と、決定した送信制御情報、又は、通信部５４から取得した送信制御情報に基づいて、通信部５４、変換部５８ａ、リソース割当部５８ｂを制御する。
【０２４５】
リソース割当部５８ｂは、図４に示したリソース割当部２８ｂと同様に、通信リソースの割当、通信リソースの状況の監視部５９ａへの入力を行う。リソース割当部５８ｂは、配信サーバ４０ａ，４０ｂ又は処理サーバ６０と、中継装置５０との間の通信リソース、端末装置３０ａ，３０ｂ又は管理サーバ２０と、中継装置５０との間の通信リソースの割当を行う。
【０２４６】
通信部５４は、配信サーバ４０ａ，４０ｂの通信部４４ａ，４４ｂから、端末装置３０ａ，３０ｂの通信部３１ａ，３１ｂへの提供情報の送信を中継する中継手段である。通信部５４は、配信サーバ４０ａ，４０ｂ、処理サーバ６０から、提供情報、処理情報を受信する。通信部５４は、通信制御部５７の制御に従い、受信した提供情報、処理情報そのままを、オブジェクト単位毎に端末装置３０ａ，３０ｂ、管理サーバ２０に送信する。あるいは、通信部５４は、通信制御部５７の制御に従い、受信した提供情報、処理情報を変換部５８ａに入力する。そして、通信部５４は、変換部５８ａから、変換された提供情報、処理情報を取得する。通信部５４は、通信制御部５７の制御に従い、取得した提供情報、処理情報を、オブジェクト単位毎に端末装置３０ａ，３０ｂ、管理サーバ２０に送信する。
【０２４７】
又、通知部５５、通信ポリシー設定部５６、通信制御部５７、監視部５９ａは、算出情報を通信部５４に入力する。通信部５４は、取得した算出情報を課金サーバ７０に送信する。
【０２４８】
〔処理サーバ〕
処理サーバ６０は、提供情報を利用するための処理を行う。提供情報を利用するための処理には、例えば、提供情報の翻訳、提供情報を実行するためのプログラムの提供、提供情報のアナログ／デジタル変換などがある。図１０に示すように、処理サーバ６０は、処理データベース６１と、処理部６２と、ユーザ情報データベース６３と、通信部６４と、通知部６５と、通信制御部６７と、リソース割当部６８と、監視部６９ａと、時計部６９ｂと、処理サーバ情報記憶部６９ｃとを備える。ユーザ情報データベース６３、時計部６９ｂは、図３に示したユーザ情報データベース１３、時計部１９ｂと同様である。
【０２４９】
処理データベース６１は、処理に関する情報を記憶する。処理に関する情報は、処理を識別する識別子（以下「サービスＩＤ」という）、処理情報、処理の名称、処理内容の説明、処理のサンプル、処理情報のデータ量、処理を利用可能な時間、送信開始予定時刻、処理に要する平均時間、処理情報を構成するデータの種類、処理情報のデータ品質、処理の品質、処理情報の推奨通信ポリシー、処理情報を区切るオブジェクト単位、処理の利用状況、処理情報の要求されるリアルタイム性、処理の料金などがある。処理情報には、処理サーバ６０が提供するプログラムなどある。処理データベース６１は、サービスＩＤに対応付けて情報を記憶する。尚、サービスＩＤとしては、処理に付与した番号や記号、文字などを用いることができる。
【０２５０】
処理サーバ情報記憶部６９ｃは、処理サーバ６０に関する処理サーバ情報を記憶する。処理サーバ情報には、処理サーバ６０の識別子（以下「処理サーバＩＤ」という）、処理サーバ６０の位置情報、処理サーバ６０の処理能力や通信速度、容量などの処理サーバ６０の性能に関する情報、処理サーバ６０の負荷状況や処理状況、処理サーバ６０が希望する通信ポリシー、通信料金の希望上限額、提供してもよい処理サーバ６０に関する通信リソース、希望するオブジェクト単位、要求する品質、要求されるリアルタイム性などがある。又、処理サーバ情報には、処理サーバ６０全体に関する情報と、処理サーバ６０を構成する各構成に関する情報がある。尚、処理サーバＩＤとしては、処理サーバ６０に付与した番号や記号、文字などを用いることができる。
【０２５１】
通信部６４は、端末装置３０ａ，３０ｂ、配信サーバ４０ａ，４０ｂ、中継装置５０、管理サーバ２０、課金サーバ７０と通信する。処理部６２は、提供情報を利用するための処理を行う処理手段である。処理部６２は、提供情報の翻訳、提供情報のアナログ／デジタル変換などを行う。通信部６４が、端末装置３０ａ，３０ｂ、配信サーバ４０ａ，４０ｂ、中継装置５０、管理サーバ２０から、特定結果、処理の実行の要求、処理の実行の指示を受信する。通信部６４は、配信サーバ４０ａ，４０ｂから提供情報を受信する。通信部６４は、受信した特定結果、処理の実行の要求や指示、提供情報を、処理部６２に入力する。
【０２５２】
処理部６２は、通信部６４から、特定結果、処理の実行の要求や指示、提供情報を取得する。処理部６２は、取得した特定結果、処理の実行の要求や指示に従って、処理を行う。例えば、処理部６２は、取得した提供情報に対して、翻訳、アナログ／デジタル変換などを行う。処理部６２は、翻訳、変換を行った提供情報を、通信部６４に入力する。又、処理部６２は、提供情報を実行するためのプログラムなどの処理情報の提供を行う。処理部６２は、処理データベース６１から、プログラムなどの処理情報を取得して、提供する。処理部６２は、取得した処理情報を通信部６４に入力する。
【０２５３】
通信部６４は、処理部６２から翻訳、変換などの処理を受けた提供情報、処理情報を取得する。通信部６４は、特定結果、処理の実行の要求や指示に基づいて、ユーザ情報データベース６３から、処理を受けた提供情報や処理情報を送信する端末装置３０ａ，３０ｂの宛先アドレスを取得する。通信部６４は、提供情報や処理情報に宛先アドレスを付加する。通信部６４は、通信制御部６７の制御に従って、処理を受けた提供情報、処理情報を、端末装置３０ａ，３０ｂ、配信サーバ４０ａ，４０ｂ、中継装置５０、管理サーバ２０に、オブジェクト単位毎に送信する。このように、通信部６４は、特定した提供情報や処理情報を送信する情報送信手段として機能する。
【０２５４】
通信部６４は、端末装置３０ａ，３０ｂ、配信サーバ４０ａ，４０ｂ、中継装置５０、管理サーバ２０から、設定情報、送信制御情報を受信する。通信部６４は、受信した設定情報、送信制御情報を、通信制御部６７に入力する。通信制御部６７は、図３に示した通信制御部１７と同様にして、オブジェクト単位毎に送信制御情報を決定する。その際、通信制御部６７は、処理データベース６１、通信部６４、ユーザ情報データベース６３、監視部６９ａ、時計部６９ｂ、処理サーバ情報記憶部６９ｃから、処理に関する情報、設定情報、通信ポリシー設定情報、端末情報、監視情報、時間情報、処理サーバ情報を取得する。
【０２５５】
通信制御部６７は、決定した送信制御情報又は取得した送信制御情報に基づいて、通信部６４、リソース割当部６８を制御する。又、通信制御部６７は、決定した送信制御情報を通信部６４に入力する。通信部６４は、取得した送信制御情報を、端末装置３０ａ，３０ｂ、配信サーバ４０ａ，４０ｂ、中継装置５０、管理サーバ２０に送信する。
【０２５６】
リソース割当部６８は、図４に示したリソース割当部２８ｂと同様に、通信リソースの割当、通信リソースの状況の監視部６９ａへの入力を行う。リソース割当部６８は、端末装置３０ａ，３０ｂ、配信サーバ４０ａ，４０ｂ、中継装置５０又は管理サーバ２０と、処理サーバ６０との間の通信リソースの割当を行う。
【０２５７】
監視部６９ａは、図３に示した監視部１９ａと同様にして、監視情報を取得する。監視部６９ａは、処理サーバ６０と端末装置３０ａ，３０ｂとの間のネットワークの状況を監視する。具体的には、監視部６９ａは、通信部６４を介して、端末装置３０ａ，３０ｂ、配信サーバ４０ａ，４０ｂ、中継装置５０又は管理サーバ２０と、処理サーバ６０との間の経路１ｃ，１ｄ，７ａ，７ｂ，２ｃ，４ｂの状況を取得する。又、監視部６９ａは、処理サーバ６０と端末装置３０ａ，３０ｂとの間の通信リソースの状況を監視する。具体的には、監視部６９ａは、リソース割当部６８又は通信部６４から、端末装置３０ａ，３０ｂ、配信サーバ４０ａ，４０ｂ、中継装置５０又は管理サーバ２０と、処理サーバ６０との間の通信リソースの状況を取得する。
【０２５８】
更に、監視部６９ａは、通信部６４、通信制御部６７、リソース割当部６８、処理部６２の状況を監視する。監視部６９ａは、通信部６４、通信制御部６７、リソース割当部６８、処理部６２から、その負荷状況や処理状況を取得する。例えば、監視部６９ａは、通信部６４が情報の送受信を行っている通信中の端末装置３０ａ，３０ｂ、管理サーバ２０、配信サーバ４０ａ、４０ｂ、中継装置５０の数、通信部６４と、端末装置３０ａ，３０ｂ、管理サーバ２０、配信サーバ４０ａ、４０ｂ、中継装置５０との間の通信路の数、通信部６４が送受信しているデータ量、通信制御部６７が制御している通信路の数、リソース割当部６８や処理部６２が行う処理量などの負荷状況を取得する。監視部６９ａは、通信部６４が送受信を終了させた情報の割合、リソース割当部６８や処理部６２が終了させた処理量の割合などの処理状況を取得する。更に、監視部６９ａは、通信部６４、通信制御部６７、リソース割当部６８、処理部６２の負荷状況や処理状況から、処理サーバ６０全体の負荷状況や処理状況を求めてもよい。
【０２５９】
又、監視部６９ａは、通信ポリシーの達成度や、通信品質やデータ品質、通信スケジュールの実際の状況を監視する。その際、監視部６９ａは、通信制御部６７から、設定した通信ポリシーを取得する。監視部６９ａは、通信部６４、通信制御部６７、リソース割当部６８から、設定した通信ポリシーに関係する実際の状況を取得する。監視部６９ａは、通知部６５からの監視情報の提供の要求に応じて、監視情報を取得する。監視部６９ａは、監視情報を通知部６５に入力する。監視部６９ａは、現在の監視情報を入力してもよく、過去の監視情報を入力してもよい。
【０２６０】
通信部６４は、特定情報、通信ポリシー設定情報を、端末装置３０ａ，３０ｂ、配信サーバ４０ａ，４０ｂ、中継装置５０、管理サーバ２０から受信する。通信部６４は、受信した特定情報、通信ポリシー設定情報を通知部６５に入力する。
【０２６１】
通知部６５は、通信部６４、ユーザ情報データベース６３、監視部６９ａ、処理サーバ情報記憶部６９ｃから、特定情報、端末情報、監視情報、処理サーバ情報を取得する。通知部６５は、取得した特定情報、監視情報、処理サーバ情報に基づいて、処理データベース６１を検索する。通知部６５は、特定情報、端末情報、監視情報、処理サーバ情報に適した処理に関する情報を、提供する情報として決定する。通知部６５は、決定した処理に関する情報を、処理データベース６１から取得する。通知部６５は、取得した処理に関する情報を特定情報として、提供情報特定部１５，２５，３５，４５ａに対して提供する。又、通知部６５は、処理サーバ６１から任意の処理に関する情報を取得して提供してもよい。更に、通知部６５は、処理に関する情報以外の特定情報の通知も行う。通知部６５は、取得した特定情報、端末情報、監視情報、処理サーバ情報に基づいて、特定情報を通知する。通知部６５は、無線通信装置１０ｄ、管理サーバ２０、端末装置３０ａ、配信サーバ４０ａに特定情報を通知する。
【０２６２】
通知部６５は、通信部６４、ユーザ情報データベース６３、監視部６９ａ、処理サーバ情報記憶部６９ｃ、処理データベース６１から、通信ポリシー設定情報、監視情報、端末情報、処理サーバ情報、処理に関する情報を取得する。通知部６５は、取得した通信ポリシー設定情報、監視情報、処理サーバ情報、処理に関する情報に基づいて、通信ポリシー設定情報を通知する。通知部６５は、無線通信装置１０ｄ、管理サーバ２０、端末装置３０ａ、配信サーバ４０ａ、中継装置５０に、通信ポリシー設定情報を通知する。通知部６５、通知する特定情報、通信ポリシー設定情報を通信部６４に入力する。通信部６４は、取得した特定情報、通信ポリシー設定情報を、端末装置３０ａ，３０ｂ、配信サーバ４０ａ，４０ｂ、中継装置５０、管理サーバ２０に送信する。
【０２６３】
処理部６２、通知部６５、通信制御部６７、監視部６９ａは、算出情報を通信部６４に入力する。通信部６４は、取得した算出情報を課金サーバ７０に送信する。
【０２６４】
〔課金サーバ〕
課金サーバ７０は、無線情報、提供情報、処理情報の送受信に関する通信料金、処理サーバ６０による処理料金など、通信システム１において発生する料金を課金する。図１１に示すように、課金サーバ７０は、通信部７１と、課金部７２と、課金データベース７３とを備える。
【０２６５】
課金データベース７３は、課金に関する課金情報を記憶する課金情報記憶手段である。課金データベース７３は、課金情報として、例えば、算出情報、料金を算出する料金算出規則、課金する課金料金を記憶する。課金データベース７３は、ユーザＩＤに対応付けて、算出情報、課金料金を記憶する。通信部７１は、配信サーバ４０ａ，４０ｂ、中継装置５０、管理サーバ２０、処理サーバ６０と通信する。通信部７１は、配信サーバ４０ａ，４０ｂ、中継装置５０、管理サーバ２０、処理サーバ６０から、算出情報を受信する。通信部７１は、受信した算出情報を課金部７２に入力する。
【０２６６】
課金部７２は、通信料金を課金する課金手段である。課金部７２は、通信料金だけでなく、処理料金など通信システム１において発生する料金を課金する。課金部７２は、通信部７１から算出情報を取得する。課金部７２は、課金データベース７３から、料金算出規則を取得する。課金部７２は、算出情報、料金算出規則に基づいて、通信料金、処理料金などの通信システム１において発生する料金を算出する。課金部７２は、算出した料金を、課金料金として課金する。課金部７２は、取得した算出情報、課金した課金料金を課金データベース７３に格納する。これにより、課金データベース７３が更新される。尚、課金部７２が、課金料金を通信部７１に入力し、通信部７１が、取得した課金料金を端末装置３０ａ，３０ｂに送信してもよい。
【０２６７】
次に、提供情報の特定、通信ポリシーの設定、提供情報の送信、通信料金の算出について、詳細に説明する。
【０２６８】
〔提供情報の特定〕
図３、図４、図５、図７に示した提供情報特定部１５，２５，３５，４５ａは、端末装置３０ａ，３０ｂの無線通信部３１ａ，３１ｂが受信した無線情報に基づいて、提供情報を特定する。受信した無線情報が対象物情報の場合、提供情報特定部１５，２５，３５，４５ａは、例えば、提供情報として対象物関連情報を特定する。例えば、提供情報特定部１５，２５，３５，４５ａは、対象物情報が装置の型番の場合、その装置の取り扱い方法を記載したテキスト情報を特定する。提供情報特定部１５，２５，３５，４５ａは、対象物情報が食料品の種類の場合、その食料品を用いた料理方法を動画像と音声で説明する情報を特定する。提供情報特定部１５，２５，３５，４５ａは、対象物情報が看板の位置情報の場合、その位置情報周辺の地図を表した静止画像情報を特定する。提供情報特定部１５，２５，３５，４５ａは、対象物情報が電車の停車駅の場合、その停車駅周辺の店舗情報を静止画像とテキストで説明する情報を特定する。
【０２６９】
受信した無線情報が対象領域情報の場合、提供情報特定部１５，２５，３５，４５ａは、例えば、提供情報として対象領域関連情報を特定する。例えば、提供情報特定部１５，２５，３５，４５ａは、対象領域情報が領域ＩＤとその領域の温度の場合、その領域で火災が発生している可能性があるか否かを音声で通知する災害情報を特定する。受信した無線情報が無線通信装置情報の場合、提供情報特定部１５，２５，３５，４５ａは、例えば、提供情報として無線通信装置関連情報を特定する。例えば、提供情報特定部１５，２５，３５，４５ａは、無線通信装置情報が無線通信装置１０ｃ，１０ｄのタグＩＤの場合、そのタグＩＤの無線通信装置１０ａ〜１０ｄ周辺の交通情報を音声で説明する情報を特定する。提供情報特定部１５，２５，３５，４５ａは、無線通信装置情報がタググループＩＤの場合、そのタググループＩＤを受信したユーザに限定された情報を特定する。
【０２７０】
受信した無線情報が広告情報の場合、提供情報特定部１５，２５，３５，４５ａは、例えば、提供情報として広告関連情報を特定する。例えば、提供情報特定部１５，２５，３５，４５ａは、広告情報が講演会や学会発表、討論会などのイベント情報の場合、その講演会や学会発表、討論会を動画像と音声で中継する情報や、イベント会場の地図を表した静止画像情報を特定できる。提供情報特定部１５，２５，３５，４５ａは、広告情報が番組内容などの放送情報の場合、より詳細な番組内容をテキストと静止画像で説明する情報を特定できる。提供情報特定部１５，２５，３５，４５ａは、広告情報が観光地の場所を示す観光情報の場合、その観光地までの行き方を、音声と静止画像を用いてナビゲーションする情報を特定する。提供情報特定部１５，２５，３５，４５ａは、広告情報がアドレス情報の場合、そのアドレスで提供されている情報を特定する。提供情報特定部１５，２５，３５，４５ａは、広告情報が予告通知のような配信情報の場合、その予告通知された情報を特定する。
【０２７１】
提供情報には、無線情報に対して固定的に特定される提供情報がある。そのため、提供情報特定部１５，２５，３５，４５ａは、受信した無線情報が、提供情報を特定する無線情報である提供情報を特定することができる。
【０２７２】
更に、提供情報特定部１５，２５，３５，４５ａは、受信した無線情報に加えて、測定情報、位置情報、時間情報、配信サーバ４０ａ，４０ｂと端末装置３０ａ，３０ｂとの間のネットワークの状況、配信サーバ４０ａ，４０ｂと端末装置３０ａ，３０ｂとの間の通信リソースの状況、処理サーバ６０と端末装置３０ａ，３０ｂとの間のネットワークの状況、処理サーバ６０と端末装置３０ａ，３０ｂとの間の通信リソースの状況、提供情報に関する情報、処理に関する情報、配信サーバ情報、中継装置情報、処理サーバ情報、端末情報、無線通信装置情報、管理サーバ情報、端末装置３０ａ，３０ｂと無線通信装置１０ａ〜１０ｄとの関係、通信料金、処理料金、通信ポリシー設定部１６，２６，３６，４６，５６が設定した通信ポリシー又は要求されるリアルタイム性の少なくとも１つに基づいて、提供情報を特定することが好ましい。
【０２７３】
これらの情報は、一部重複するものもある。測定情報、ネットワークの状況、通信リソースの状況、提供情報に関する情報、処理に関する情報、配信サーバ情報、中継装置情報、処理サーバ情報、端末情報、無線通信装置情報、管理サーバ情報、通信料金、処理料金、通信ポリシー、要求されるリアルタイム性は、上述したとおりである。位置情報は、例えば、端末装置３０ａ，３０ｂの現在位置や移動先の位置、無線通信装置１０ａ〜１０ｄの位置、配信サーバ４０ａ，４０ｂと端末装置３０ａ，３０ｂとの位置関係などがある。尚、位置情報は、緯度、経度、方位などを用いて表すことができる。時間情報は、例えば、現在時刻、提供情報の送信完了を希望する時刻、処理や提供情報の利用時間などがある。
【０２７４】
端末装置３０ａ，３０ｂと無線通信装置１０ａ〜１０ｄとの関係は、より詳細には、端末装置３０ａ，３０ｂの無線通信部３１ａ，３１ｂと、無線通信装置１０ａ〜１０ｄの無線通信部１１ａ〜１１ｄとの関係に相当する。具体的には、端末装置３０ａ，３０ｂと無線通信装置１０ａ〜１０ｄとの関係には、端末装置３０ａ，３０ｂと無線通信装置１０ａ〜１０ｄとの距離や相対速度、通信端末３０ａ，３０ｂから所定の範囲内に存在する無線通信装置１０ａ〜１０ｄの数、無線通信装置１０ａ〜１０ｄが情報の送受信をしている通信中の端末装置３０ａ，３０ｂの数、無線通信装置１０ａ〜１０ｄと端末装置３０ａ，３０ｂとの間の通信路の数、端末装置３０ａ，３０ｂが情報の送受信をしている通信中の無線通信装置１０ａ〜１０ｄの数などがある。
【０２７５】
提供情報特定部１５，２５，３５，４５ａは、受信した無線情報に加えて、端末情報を用いる場合、例えば、ユーザの履歴情報にあった提供情報を特定する。例えば、提供情報特定部１５，２５，３５，４５ａは、ユーザがこれまでに最も多く受信している提供情報を特定する。提供情報特定部１５，２５，３５，４５ａは、受信した無線情報に加えて、測定情報を用いる場合、例えば、端末装置３０ａ周辺の気温や湿度、ユーザの状態にあった提供情報を特定する。例えば、提供情報特定部１５，２５，３５，４５ａは、ユーザの脈拍が閾値以下の場合には、医療機関の端末装置に身体の異常を音声で通知する医療情報を特定する。
【０２７６】
提供情報特定部１５，２５，３５，４５ａは、受信した無線情報に加えて、位置情報を用いる場合、例えば、位置情報にあった提供情報を特定する。例えば、提供情報特定部１５，２５，３５，４５ａは、ユーザの移動先の店舗情報を特定する。提供情報特定部１５，２５，３５，４５ａは、受信した無線情報に加えて、時間情報を用いる場合、例えば、時間情報にあった提供情報を特定する。例えば、提供情報特定部１５，２５，３５，４５ａは、現在時刻で利用可能な遊戯施設に関する情報を特定する。
【０２７７】
提供情報特定部１５，２５，３５，４５ａは、受信した無線情報に加えて、配信サーバ４０ａ，４０ｂと端末装置３０ａ，３０ｂとの間のネットワークの状況を用いる場合には、例えば、ネットワークのトラフィック量にあった提供情報を特定する。例えば、提供情報特定部１５，２５，３５，４５ａは、ある領域に存在する端末装置３０ａ，３０ｂの数が多いほど、データ量の少ない提供情報を特定し、端末装置３０ａ，３０ｂの数が少ないほど、データ量の多い提供情報を特定する。提供情報特定部１５，２５，３５，４５ａは、受信した無線情報に加えて、配信サーバ４０ａ，４０ｂと端末装置３０ａ，３０ｂとの間の通信リソースの状況と、提供情報に関する情報を用いる場合には、例えば、空き通信リソース量で送信可能なデータ量の提供情報を特定する。
【０２７８】
提供情報特定部１５，２５，３５，４５ａは、受信した無線情報に加えて、配信サーバ情報や中継装置情報と、提供情報に関する情報を用いる場合には、例えば、配信サーバ４０ａ，４０ｂや中継装置５０の負荷状況で送信可能な提供情報を特定する。提供情報特定部１５，２５，３５，４５ａは、受信した無線情報に加えて、端末装置３０ａ，３０ｂに関する情報を用いる場合には、例えば、端末装置３０ａの出力部３８ｂで出力可能な映像情報を特定する。提供情報特定部１５，２５，３５，４５ａは、受信した無線情報に加えて、無線通信装置１０ａ〜１０ｄに関する情報や管理サーバ２０に関する情報を用いる場合には、例えば、無線通信装置１０ａ〜１０ｄや管理サーバ２０の処理状況で送信可能な提供情報を特定する。
【０２７９】
提供情報特定部１５，２５，３５，４５ａは、受信した無線情報に加えて、端末装置３０ａ，３０ｂと無線通信装置１０ａ〜１０ｄとの関係を用いる場合には、その関係にあった提供情報を特定する。例えば、端末装置３０ａ，３０ｂと無線通信装置１０ａ〜１０ｄとの相対速度から、端末装置３０ａ，３０ｂが無線通信装置１０ａ〜１０ｄと通信可能な距離にいる間に、送信が完了する提供情報を特定する。このような提供情報の特定は、例えば、無線通信装置１０ａ〜１０ｄがバスの停留所に付けられており、端末装置３０ａ，３０ｂがバスや電車などの移動手段に配置されている場合などに行われる。提供情報特定部１５，２５，３５，４５ａは、受信した無線情報に加えて、通信料金と提供情報に関する情報を用いる場合には、ユーザが要求する通信料金の上限値の範囲内で送信可能な料金の提供情報を特定する。
【０２８０】
又、提供情報特定部１５，２５，３５，４５ａは、提供情報や処理に関する情報に基づいて、特定しようとする提供情報を利用するために処理サーバ６０が行う処理が必要であるか否かを判断するようにしてもよい。提供情報特定部１５，２５，３５，４５ａは、特定しようとする提供情報に処理が必要な場合には、処理サーバ６０と端末装置３０ａ，３０ｂとの間のネットワークの状況、処理サーバ６０と端末装置３０ａ，３０ｂとの間の通信リソースの状況、処理に関する情報、処理サーバ６０に関する情報、処理料金などに基づいて、処理サーバ６０が処理できるかを判断する。提供情報特定部１５，２５，３５，４５ａは、処理できる場合には、その提供情報を特定する。一方、提供情報特定部１５，２５，３５，４５ａは、処理できない場合には、他の提供情報を特定する。
【０２８１】
提供情報特定部１５，２５，３５，４５ａは、受信した無線情報に加えて、設定した通信ポリシーを用いる場合には、設定された通信ポリシーにあった提供情報を特定する。例えば、提供情報特定部１５，２５，３５，４５ａは、設定した通信ポリシーで送信可能な提供情報を特定する。このように、提供情報特定部１５，２５，３５，４５ａは、提供情報を送信する際の通信ポリシーを設定した後に、その設定した通信ポリシーに基づいて提供情報を特定してもよい。
【０２８２】
提供情報特定部１５，２５，３５，４５ａは、受信した無線情報に加えて、要求されるリアルタイム性を用いる場合には、要求されるリアルタイム性にあった提供情報を特定する。例えば、提供情報特定部１５，２５，３５，４５ａは、要求されるリアルタイム性の高い人命救助や医療、災害に関する緊急情報を特定する。
【０２８３】
特定情報には、提供情報の特定に用いる情報がある。提供情報の特定に用いる情報には、これらの無線通信部３１ａ，３１ｂが受信した無線情報、測定情報、位置情報、時間情報、配信サーバ４０ａ，４０ｂと端末装置３０ａ，３０ｂとの間のネットワークの状況、配信サーバ４０ａ，４０ｂと端末装置３０ａ，３０ｂとの間の通信リソースの状況、処理サーバ６０と端末装置３０ａ，３０ｂとの間のネットワークの状況、処理サーバ６０と端末装置３０ａ，３０ｂとの間の通信リソースの状況、提供情報に関する情報、処理に関する情報、配信サーバ情報、中継装置情報、処理サーバ情報、端末情報、無線通信装置情報、管理サーバ情報、端末装置３０ａ，３０ｂと無線通信装置１０ａ〜１０ｄとの関係、通信料金、処理料金、設定された通信ポリシー、要求されるリアルタイム性などがある。
【０２８４】
提供情報特定部３５は、端末装置３０ａが受信、監視、記憶、測定、入力などにより把握している提供情報の特定に用いる情報に基づいて、提供情報を特定できる。又、無線通信装置１０ｄ、管理サーバ２０、端末装置３０ａ，３０ｂ、配信サーバ４０ａ，４０ｂ、中継装置５０、処理サーバ６０は、監視、受信、記憶、測定、入力などにより把握している提供情報の特定に用いる情報を、図３〜１０に示した提供情報特定部１５，２５，３５，４５ａ、通知部３８、５５，６５、提供情報提示部４５ｂを用いて、特定情報として相互に通知しあうことができる。そして、提供情報特定部１５，２５，３５，４５ａは、無線通信装置１０ｄ、管理サーバ２０、端末装置３０ａ、配信サーバ４０ａが把握している提供情報の特定に用いる情報と、通知された特定情報を用いて、提供情報を特定する。
【０２８５】
又、提供情報特定部１５，２５，３５，４５ａは、単独で提供情報を特定してもよく、相互に調整して提供情報を特定してもよい。例えば、提供情報を特定する主体の提供情報特定部が、他の提供情報特定部に、特定しようとする希望の提供情報を通知し、検討するように指示をする。他の提供情報特定部は、その通知内容を検討し、検討結果を主体の提供情報特定部に通知する。主体の提供情報特定部は、取得した検討結果に基づいて、提供情報を特定する。
【０２８６】
又、提供情報を特定する主体の提供情報特定部が、他の第１の提供情報特定部から、特定しようとする希望の提供情報の通知を受ける。主体の提供情報特定部は、希望の提供情報の通知を、第１の提供情報特定部以外の第２の提供情報特定部に通知し、検討するように指示する。第２の提供情報特定部は、その通知内容を検討し、検討結果を主体の提供情報特定部に通知する。主体の提供情報特定部は、取得した検討結果を、第１の提供情報特定部に通知して、検討するように指示をする。第１の提供情報特定部は、第２の提供情報特定部の検討結果に基づいて、再度、検討する。第１の提供情報特定部は、再検討した希望の提供情報を、主体の提供情報特定部に通知する。主体の提供情報特定部は、再検討された結果に基づいて、提供情報を特定する。
【０２８７】
そのため、特定情報には、このような通知のように提供情報を特定する際の調整に用いる情報もある。尚、提供情報特定部１５，２５，３５，４５ａは、このようなやりとりを複数回繰り返してもよい。
【０２８８】
更に、通知部３８、５５，６５、提供情報提示部４５ｂは、提供情報特定部１５，２５，３５，４５ａに対して、提供情報の特定を要求できる。そのため、特定情報には、提供情報の特定の要求もある。尚、通知部３８、５５，６５、提供情報提示部４５ｂは、提供情報の特定の要求に、提供情報の特定に用いる情報を含めてもよい。
【０２８９】
又、提供情報特定部１５，２５，３５，４５ａは、通知部３８、５５，６５、提供情報提示部４５ｂや、他の提供情報特定部１５，２５，３５，４５ａに、提供情報の特定に用いる情報を要求できる。要求を受けた通知部３８、５５，６５、提供情報提示部４５ｂや、他の提供情報特定部１５，２５，３５，４５ａは、要求に対する応答として、提供情報の特定に用いる情報を返す。そのため、特定情報には、このような要求、応答などの提供情報の特定に用いる情報をやりとりするための情報もある。尚、提供情報特定部１５，２５，３５，４５ａ、通知部３８、５５，６５、提供情報提示部４５ｂは、このようなやりとりを複数回繰り返してもよい。又、提供情報特定部１５，２５，３５，４５ａは、通知部３８、５５，６５、提供情報提示部４５ｂから、提供情報の特定の要求を受けた際に、提供情報の特定に用いる情報を要求してもよい。
【０２９０】
又、特定情報には、図７、図８に示す提供情報特定部４５ａ，提供情報提示部４５ｂが提供する提供情報に関する情報がある。提供情報特定部１５，２５，３５は、提供情報特定部４５ａ、提供情報提示部４５ｂが提供する提供情報の中から、提供情報を特定できる。又、図５、図６に示した出力部３８ｂが、提示された提供情報に関する情報を出力し、入力部３８ａが提供結果を入力することにより、提供情報を特定してもよい。
【０２９１】
提供情報特定部１５，２５，３５は、提供情報特定部４５ａ、提供情報提示部４５ｂに、提供情報に関する情報の提供を要求できる。提供情報に関する情報の提供の要求も特定情報である。提供情報特定部４５ａ、提供情報提示部４５ｂは、提供の要求に対して提供情報に関する情報を提供する。提供情報特定部１５，２５，３５と、提供情報特定部４５ａや提供情報提示部４５ｂは、このようなやりとりを複数回繰り返してもよい。
【０２９２】
提供情報特定部４５ａ、提供情報提示部４５ｂは、端末装置３０ａ，３０ｂの無線通信部３１ａ，３１ｂが受信した無線情報に基づいて、提供する提供情報に関する情報を決定する。更に、提供情報特定部４５ａ、提供情報提示部４５ｂは、受信した無線情報に加えて、測定情報、位置情報、時間情報、配信サーバ４０ａ，４０ｂと端末装置３０ａ，３０ｂとの間のネットワークの状況、提供情報に関する情報、配信サーバ４０ａ，４０ｂと端末装置３０ａ，３０ｂとの間の通信リソースの状況、処理サーバ６０と端末装置３０ａ，３０ｂとの間のネットワークの状況、処理サーバ６０と端末装置３０ａ，３０ｂとの間の通信リソースの状況、配信サーバ情報、中継装置情報、処理サーバ情報、端末情報、無線通信装置情報、管理サーバ情報、端末装置３０ａ，３０ｂと無線通信装置１０ａ〜１０ｄとの関係、通信料金、処理料金、設定された通信ポリシー、要求されるリアルタイム性の少なくとも１つに基づいて、提供する提供情報に関する情報を決定することが好ましい。
【０２９３】
提供情報特定部４５ａ、提供情報提示部４５ｂは、提供情報特定部１５，２５，３５，４５ａと同様に、配信サーバ４０ａ，４０ｂが把握している提供情報の特定に用いる情報に基づいて、提供する提供情報に関する情報を決定できる。又、提供情報特定部４５ａ、提供情報提示部４５ｂは、無線通信装置１０ｄ、管理サーバ２０、端末装置３０ａ，３０ｂ、中継装置５０、処理サーバ６０から、それらが把握している提供情報の特定に用いる情報を取得できる。そして、提供情報特定部４５ａ、提供情報提示部４５ｂは、配信サーバ４０ａ，４０ｂが把握している提供情報の特定に用いる情報と、通知された特定情報を用いて、提供する提供情報に関する情報を決定する。又、提供情報特定部４５ａ、提供情報提示部４５ｂは、通知部３８、５５，６５、提供情報特定部１５，２５，３５に、提供情報の特定に用いる情報を要求できる。
【０２９４】
このように、提供情報特定部４５ａや提供情報提示部４５ｂが、提供情報特定部１５，２５，３５に対して、提供情報に関する情報を提供し、提供情報特定部１５，２５，３５が、提供された提供情報に関する情報に基づいて、提供情報を特定することができる。そのため、提供情報特定部１５，２５，３５は、提供情報特定部４５ａや提供情報提示部４５ｂによって提供された提供情報に関する情報に基づいて、提供情報を容易に特定できる。
【０２９５】
尚、提供情報特定部１５，２５，３５，４５ａ、通知部３８、５５，６５、提供情報提示部４５ｂが、特定情報をやりとりする際には、ユーザＩＤに特定情報を対応付けてやりとりする。
【０２９６】
又、図３、図４、図７、図８に示す提供情報特定部１５，２５，４５ａや提供情報提示部４５ｂが、端末情報に基づいて、提供情報の特定や提供する提供情報に関する情報の決定を行うことにより、提供情報の送信を提供情報ユーザに制限できる。具体的には、提供情報特定部１５，２５，４５ａや提供情報提示部４５ｂは、特定情報に含まれるユーザＩＤとパスワードが、ユーザ情報データベース１３，２３，４３に記憶された提供情報ユーザのユーザＩＤとパスワードと一致するかを判断して、認証を行う。提供情報特定部１５，２５，４５ａや提供情報提示部４５ｂは、ユーザＩＤとパスワードが一致する場合には、提供情報ユーザであると判断する。この場合には、提供情報特定部１５，２５，４５ａや提供情報提示部４５ｂは、提供情報ユーザにその利用が限られた提供情報を特定したり、提供情報に関する情報を提供したりする。
【０２９７】
一方、提供情報特定部１５，２５，４５ａや提供情報提示部４５ｂは、ユーザＩＤとパスワードが一致しない場合には、提供情報ユーザではないと判断する。この場合には、提供情報特定部１５，２５，４５ａや提供情報提示部４５ｂは、提供情報ユーザにその利用が限られた提供情報を特定したり、提供情報に関する情報を提供したりしない。尚、特定情報にパスワードが含まれていない場合には、提供情報特定部１５，２５，４５ａや提供情報提示部４５ｂは、図５、図６に示す提供情報特定部３５や通知部３８に、パスワードを特定情報として通知するように要求する。
【０２９８】
又、図３、図４、図７、図８に示す提供情報特定部１５，２５，４５ａや提供情報提示部４５ｂが、配信サーバ４０ａ，４０ｂに関する情報に基づいて、提供情報の特定や提供する提供情報に関する情報の決定を行うことにより、同時に提供情報を送信するユーザ数を制限できる。具体的には、提供情報特定部１５，２５，４５ａや提供情報提示部４５ｂは、配信サーバ４０ａ，４０ｂの通信部４４ａ，４４ｂが情報の送受信を行っている通信中の端末装置３０ａ，３０ｂの数と、配信サーバ４０ａ，４０ｂが制限するユーザ数を比較する。
【０２９９】
提供情報特定部１５，２５，４５ａや提供情報提示部４５ｂは、通信中の端末装置３０ａ，３０ｂの数が、制限するユーザ数未満の場合には、ユーザ数を制限したい提供情報を特定したり、提供情報に関する情報を提供したりする。一方、提供情報特定部１５，２５，４５ａや提供情報提示部４５ｂは、通信中の端末装置３０ａ，３０ｂの数が、制限するユーザ数以上の場合には、ユーザ数を制限したい提供情報を特定したり、提供情報に関する情報を提供したりしない。このように、提供情報特定部１５，２５，４５ａや提供情報提示部４５ｂは、配信サーバ４０ａ，４０ｂの通信部４４ａ，４４ｂによる提供情報の送信を制限する提供情報制限手段として機能できる。尚、制限するユーザ数は、例えば、ネットワークの状況や通信リソースの状況、配信サーバ４０ａ，４０ｂ、処理サーバ６０、中継装置５０、管理サーバ２０、無線通信装置１０ｄ、端末装置３０ａ，３０ｂの処理状況や負荷状況、通信ポリシーの達成度、通信品質やデータ品質、通信スケジュールの実際の状況などに基づいて定めることができる。
【０３００】
これによれば、配信サーバ４０ａ，４０ｂは、提供情報の利用が特定のユーザに限られている場合に、そのユーザにのみ提供情報を送信できる。又、配信サーバ４０ａ，４０ｂが、提供情報を同時に送信できるユーザ数を制限したい場合に、制限された数のユーザにだけ提供情報を送信できる。
【０３０１】
又、端末装置３０ａ，３０ｂの無線通信部３１ａ，３１ｂが、複数の無線情報を受信する場合がある。無線通信部３１ａ，３１ｂは、同時に複数の無線情報を受信する場合や、一定時間内に複数の無線情報を受信する場合がある。この場合、提供情報特定部１５，２５，３５，４５ａは、無線情報の優先度に従って、複数の無線情報に基づく提供情報を順番に特定することが好ましい。例えば、優先度は、無線情報の料金に応じて設定できる。例えば、料金が高い無線情報ほど、高い優先度を設定する。優先度は、無線通信装置１０ａ〜１０ｄの存在する領域に応じて設定できる。例えば、特定の領域に存在する無線通信装置１０ａ〜１０ｄの無線情報に、高い優先度を設定する。又、優先度は、無線情報の種類に応じて設定できる。例えば、無線情報が対象物情報の場合、ユーザは自分の所有物に関する対象物情報に高い優先度を設定する。
【０３０２】
優先度は予め設定しておいてもよく、無線情報の受信後に設定してもよい。提供情報特定部１５，２５，３５，４５ａや通知部３８、５５，６５、提供情報提示部４５ｂは、優先度の設定条件を記憶する。優先度の設定条件には、無線情報の料金に応じて優先度を設定する設定条件、無線通信装置１０ａ〜１０ｄの存在する領域に応じて優先度を設定する設定条件、無線情報の種類に応じて優先度を設定する設定条件などがある。
【０３０３】
提供情報特定部３５、通知部３８は、無線通信部３１ａ，３１ｂから取得した無線情報に、設定条件に基づいて優先度を設定する。又、提供情報特定部１５，２５，４５ａや通知部５５，６５、提供情報提示部４５ｂは、特定情報に含まれる無線通信部３１ａ，３１ｂが受信した無線情報に、設定条件に基づいて優先度を設定する。このように、提供情報特定部１５，２５，３５，４５ａや通知部３８、５５，６５、提供情報提示部４５ｂは、複数の無線情報の優先度を設定する優先度設定手段として機能する。これによれば、通信システム１、配信サーバ４０ａ，４０ｂは、複数の無線情報の優先度を設定することができる。更に、通信システム１、配信サーバ４０ａ，４０ｂは、優先度の設定条件を変更することにより、無線情報の優先度を動的に変更できる。
【０３０４】
又、提供情報特定部１５，２５，３５，４５ａは、特定する順番に関する規則に従って、複数の無線情報に基づく提供情報を順番に特定してもよい。例えば、無線情報を受信した順番に従って特定する、無線情報の種類に応じて決められた順番に従って特定する、データ量に応じて決められた順番に従って特定するなどの規則を設定できる。具体的には、受信した順番が早い無線情報から先に用いて提供情報を特定する、受信した順番が遅い無線情報から先に用いて提供情報を特定する、データ量が大きい無線情報から先に用いて提供情報を特定するなどの規則を設定できる。
【０３０５】
尚、提供情報特定部１５，２５，３５，４５ａは、規則に関係なく、ランダムに複数の無線情報に基づく提供情報を特定してもよい。更に、提供情報特定部１５，２５，３５，４５ａは、優先度の低い無線情報については、その無線情報に基づく提供情報の特定を行わなくてもよい。又、提供情報特定部１５，２５，３５，４５ａは、無線情報の受信数の閾値を定めておき、閾値を越えて受信した無線情報については、その無線情報に基づく提供情報の特定を行わないようにしてもよい。又、提供情報特定部１５，２５，３５，４５ａは、受信した複数の無線情報を並行して処理してもよい。
【０３０６】
このように、端末装置３０ａ，３０ｂの無線通信部３１ａ，３１ｂが複数の無線情報を受信することにより、端末装置３０ａ，３０ｂのユーザは、複数の無線情報に基づく提供情報を取得できる。更に、提供情報特定部１５，２５，３５，４５ａが、無線情報の優先度に従って、複数の無線情報のうち、優先度が高いものから順番に用い、複数の無線情報に基づく提供情報を順番に特定することにより、ユーザは、ユーザにより適した提供情報から優先して取得することができる。
【０３０７】
提供情報特定部１５，２５，３５，４５ａは、このようにして提供情報を特定した後、通信ポリシー設定部１６，２６，３６，４６、提供情報提供部４１ａ、通信部１４ｄ，２４，３４ａ，４４ａ、無線通信部１１ｄ，３１ａに特定結果を入力する。又、提供情報特定部３５は、配信サーバ４０ａ，４０ｂに、特定した提供情報の送信を要求する。又、提供情報特定部１５，２５，４５ａは、配信サーバ４０ａ，４０ｂに、特定した提供情報の端末装置３０ａ，３０ｂへの送信を指示する。
【０３０８】
提供情報特定部１５，２５，３５，４５ａが通信ポリシー設定部１６，２６，４６、提供情報提供部４１ａ、通信部１４ｄ，２４，３４ａ，４４ａ、無線通信部１１ｄ，３１ａに入力する特定結果と、提供情報の送信の要求や指示には、少なくとも、ユーザＩＤと、特定した提供情報のコンテンツＩＤとが含まれる。又、提供情報特定部３５が通信ポリシー設定部３６に入力する特定結果には、少なくとも特定した提供情報のコンテンツＩＤが含まれる。
【０３０９】
そのため、提供情報提供部４１ａは、コンテンツＩＤに基づいて、提供情報データベース４２から提供情報を取得できる。又、提供情報提供部４１ａは、ユーザＩＤに基づいて、ユーザ情報データベース４３から端末装置３０ａ，３０ｂの宛先アドレスを取得できる。
【０３１０】
提供情報特定部１５，２５，３５，４５ａは、特定した提供情報に基づいて、処理を特定する。例えば、提供情報特定部１５，２５，３５，４５ａは、特定した提供情報が英語で表現された情報の場合には、処理として翻訳を特定する。提供情報特定部１５，２５，３５，４５ａは、特定した提供情報が動画像情報の場合には、処理としてその動画像情報を再生するプログラムの提供を特定する。提供情報特定部１５，２５，３５，４５ａは、特定した提供情報がアナログ情報の場合には、処理としてアナログ／デジタル変換を特定する。又、提供情報特定部４５ａ、提供情報提示部４５ｂは、特定した提供情報に基づいて、提供する処理に関する情報を決定する。
【０３１１】
そのため、提供情報の特定結果は、処理を特定する際の特定情報に含まれる。提供情報特定部１５，２５，３５，４５ａ、提供情報提示部４５ｂは、特定した提供情報に基づいて特定、決定する以外は、提供情報の特定や提供する提供情報に関する情報の決定と同様にして、処理の特定や提供する処理に関する情報の決定を行う。そのため、提供情報特定部１５，２５，４５ａや提供情報提示部４５ｂは、特定情報に含まれるユーザＩＤとパスワードが、ユーザ情報データベース１３，２３，４３に記憶された処理ユーザのユーザＩＤとパスワードと一致するかを判断して、処理ユーザの認証を行うこともできる。
【０３１２】
提供情報特定部１５，２５，３５，４５ａは、処理を特定した特定結果を、通信ポリシー設定部１６，２６，３６，４６、通信部１４ｄ，２４，３４ａ，４４ａ、無線通信部１１ｄ，３１ａに入力する。又、提供情報特定部３５は、処理サーバ６０に、特定した処理の実行を要求する。又、提供情報特定部１５，２５，４５ａは、処理サーバ６０に、特定した処理の実行を指示する。提供情報特定部１５，２５，３５，４５ａが通信ポリシー設定部１６，２６，４６、提供情報提供部４１ａ、通信部１４ｄ，２４，３４ａ，４４ａ、無線通信部１１ｄ，３１ａに入力する特定結果と、処理の実行の要求や指示には、少なくとも、ユーザＩＤと、特定した処理のサービスＩＤとが含まれる。又、提供情報特定部３５が通信ポリシー設定部３６に入力する特定結果には、少なくとも特定した処理のサービスＩＤが含まれる。
【０３１３】
そのため、処理部６２は、サービスＩＤに基づいて、処理を実行できる。又、通信部６４は、ユーザＩＤに基づいて、ユーザ情報データベース６３から端末装置３０ａ，３０ｂの宛先アドレスを取得できる。
【０３１４】
〔通信ポリシーの設定、提供情報の送信〕
（通信ポリシー）
通信ポリシーとは、情報を送信する側と、情報を受信する側との間の取り決めであり、送信側から受信側に情報を送信する際の取り決めである。通信ポリシーには、送信側から受信側に情報を送信する際の品質、通信形態、通信料金、処理料金、通信スケジュール、変換方法、同期制御方法、通信ポリシーの設定規則、要求されるリアルタイム性に関する取り決めがある。通信ポリシー設定部１６，２６，３６，４６，５６は、これらの通信ポリシーの項目の少なくとも１つを設定すればよい。以下、通信ポリシー設定部１６，２６，３６，４６，５６が設定する通信ポリシーの項目を「通信ポリシー設定項目」という。
【０３１５】
品質に関する取り決めには、提供情報の送信における通信品質と、提供情報のデータ品質に関する取り決めがある。通信品質に関する取り決めには、通信速度、スループット、遅延時間、ＲＲＴ（Ｒｏｕｎｄ  Ｔｒｉｐ  Ｔｉｍｅ）、誤り率、再送率、送信した情報が受信側に到達した割合（以下「到達度」という）、送信した情報が受信側に到達しなかった割合（以下「欠損率」という）、情報をパケット通信により送信した場合に、受信したパケットに含まれるデータに誤りが発生し、破棄した割合（以下「パケット破棄率」という）、ジッター、通信品質の決定規則、通信品質の保証方法などに関する取り決めがある。尚、到達度は、送信した情報のデータ量に対する受信した情報のデータ量の割合で表すことができる。データ品質に関する取り決めには、例えば、提供情報を受信側で再生する際の品質がある。具体的には、提供情報の表示サイズ、表示開始時刻、表示時間やその許容遅延時間、フレームレート、解像度、複数の提供情報を連続して表示する場合の表示順序、複数の提供情報を同時に表示する場合の配列、同期のタイミングやそのずれの許容値などがある。
【０３１６】
通信品質の保証方法には、規定範囲の通信品質を保証しなければならないギャランティモードと、通信品質を保証しなくてもよいベストエフォートモードがある。例えば、ギャランティモードの場合には、障害が発生しても通信品質を保証しなければならないが、ベストエフォートモードの場合には、障害発生時に通信品質を保証できなくなっても許容される。ベストエフォートモードには、目標とする通信品質の上限値を規定するモード、目標とする通信品質の下限値を規定するモード、目標とする通信品質の上限値と下限値を規定するモードがある。通信品質の上限値としては、例えば、最大許容遅延時間、最大許容ジッター値などがある。又、ベストエフォートモードにおいて、各通信品質に保証する優先度を設定し、優先度の高い通信品質から優先して保証するようにしてもよい。又、通信品質の方法には、保証する割合（以下「保証度」という）を定め、その保証度を保証する方法もある。この方法は、保証度が１００％であれば、ギャランティモードに分類され、１００％未満であれば、ベストエフォートモードに分類される。
【０３１７】
又、通信品質の保証方法には、保証する基準で分類すると、ネットワークの状況、通信リソースの状況、通信ポリシーの達成度、到達度、無線通信装置情報、端末情報、管理サーバ情報、配信サーバ情報、中継装置情報、処理サーバ情報、通信品質、通信形態などに応じて通信品質を保証する方法がある。例えば、ネットワークのトラフィック量が閾値以上の場合には、閾値未満の通信品質しか保証せず、トラフィック量が閾値未満の場合には、閾値以上の通信品質を保証するといった方法がある。又、通信品質の保証方法に関する取り決めには、再送方法などの通信品質を保証するために行う手法に関する取り決めがある。
【０３１８】
通信形態に関する取り決めには、通信プロトコル、帯域、通信リソース、負荷、情報のデータ構造、情報を構成するデータの表現形式、情報を構成するデータの収納形式、セッション数、コネクション数、トンネル数、利用するネットワーク、通信形態の決定規則などに関する取り決めがある。データの収納形式に関する取り決めには、例えば、パケットへのデータの収納形式、ペイロードフォーマット、データを収納する順番、データを収納する位置に関する取り決めがある。具体的なデータの収納形式に関する取り決めとしては、重要度の高いデータからパケットの先頭に収納するといった取り決めがある。又、コネクションとは、送信側と受信側との間に設定される通信路をいう。セッションとは、送信側と受信側との間で行う通信の開始から終了までの一連の処理をいう。トンネルとは、特定のプロトコルやアドレス体系に従う情報や、特定のユーザの情報等、特定の情報だけが通信可能な通信路をいう。そのため、情報は、特定のプロトコルやアドレスでカプセル化されたり、認証処理を受けたりして、トンネル上で通信される。
【０３１９】
通信料金、処理料金に関する取り決めには、通信料金や処理料金の上限値などの制約条件、料金算出規則などに関する取り決めがある。又、通信料金に関する取り決めには、通信料金全額についての取り決めや、通信料金の内訳についての取り決めがある。
【０３２０】
通信スケジュールに関する取り決めには、情報の送信開始予定時刻や送信完了予定時刻、各通信ポリシー設定項目を適用するタイミングや時刻、通信スケジュールの決定規則などに関する取り決めがある。
【０３２１】
変換方法に関する取り決めには、例えば、情報を構成するデータの変換方法、変換方法の決定規則などに関する取り決めがある。データの変換方法には、変換する対象で分類すると、例えば、データ構造、フレームレート、データの表現形式、データ品質、データの収納形式を変換する方法がある。又、データの変換方法には、変換する基準で分類すると、例えば、ネットワークの状況、通信リソースの状況、通信ポリシーの達成度、無線通信装置情報、端末情報、管理サーバ情報、配信サーバ情報、中継装置情報、処理サーバ情報、通信品質、データ品質、通信形態、要求されるリアルタイム性、ネットワークの切り替えなどに応じてデータを変換する方法がある。
【０３２２】
具体的な変換方法には、端末装置３０ａ，３０ｂで再生し、出力可能なデータに変換する方法、要求されるデータ品質に変換する方法、通信速度が閾値以上の場合にはデータを変換せず、閾値未満の場合にはデータ量を減らす変換を行う方法などがある。データ量を減らす変換には、フレームレートを下げる変換や、データを圧縮する変換がある。更に、変換方法には、データ構造を、情報を再生するために最低限必要なデータが上位の階層となり、再生品質を向上するために必要なデータが下位の階層となるように変換する方法、データの収納形式を、重要度の高いデータからパケットの先頭に収納されるように変換する方法などがある。又、変換手法には、ネットワークを切り替える際に、切り替わるネットワークに適したデータに変換する方法がある。
【０３２３】
同期制御方法に関する取り決めには、同期のタイミング、スケジュール、同期のとり方、同期制御方法の決定規則などに関する取り決めがある。尚、同期は、提供情報間、処理情報間、提供情報と処理情報との間、端末装置間、オブジェクト単位に区切られた提供情報間などでとる。
【０３２４】
通信ポリシーの設定規則は、通信ポリシーを設定する際の規則である。通信ポリシーの設定規則に関する取り決めには、設定規則そのもの、設定規則の切り替え条件、設定規則の選択方法に関する取り決めがある。
【０３２５】
要求されるリアルタイム性に関する取り決めには、要求されるリアルタイム性そのもの、要求されるリアルタイム性の決定規則に関する取り決めがある。
【０３２６】
（オブジェクト単位）
オブジェクト単位とは、情報の送信側や、情報の受信側が、ある情報を送信する場合に、１つの通信ポリシーの設定を望む情報の単位である。又、提供情報、処理情報をオブジェクト単位毎にしたものを「オブジェクト」という。
【０３２７】
オブジェクト単位には、例えば、情報を構成するデータによって情報を区切るデータ単位がある。データ単位には、例えば、情報を構成するデータの種類によって情報を区切る類型単位、情報を構成するデータの容量によって情報を区切る容量単位がある。データの種類には、テキストデータ、静止画像データ、動画像データ、音声データ、プログラムデータなどがある。
【０３２８】
又、オブジェクト単位には、送信側と受信側との間のコネクション、セッション、トンネルによって情報を区切るコネクション単位、セッション単位、トンネル単位がある。更に、オブジェクト単位には、１回の呼でネットワークに接続している間を１つの単位とする呼単位がある。又、オブジェクト単位には、１つの提供情報や処理情報の送信開始から受信完了までを１つのアクセスとし、アクセスによって情報を区切るアクセス単位がある。アクセス単位には、アクセスの回数によって情報を区切るアクセス数単位、アクセスしている時間によって情報を区切るアクセス時間単位がある。
【０３２９】
オブジェクト単位には、時間によって情報を区切る時間単位がある。時間単位には、例えば、情報を、送信開始時刻から送信完了時刻までの間の時刻によって区切る単位、情報を送信開始から一定時間毎に区切る単位などがある。又、オブジェクト単位には、情報を、端末装置３０ａ，３０ｂや無線通信装置１０ａ〜１０ｄが存在する特定の端末装置や無線通信装置に関する位置情報や位置情報に特定の範囲（例えばセルエリアやイベント会場など）を設定した領域毎に区切る領域単位がある。オブジェクト単位には、領域に存在する端末装置３０ａ，３０ｂの数や無線通信装置１０ａ〜１０ｄの数によって情報を区切る数単位がある。更に、オブジェクト単位には、課金対象毎に情報を区切る課金対象単位がある。
【０３３０】
オブジェクト単位には、情報を、情報を送信する配信サーバ４０ａ，４０ｂのような情報送信装置毎に区切る情報送信装置単位、情報を送信する処理サーバ６０毎に区切る処理サーバ単位がある。又、オブジェクト単位には、情報を、情報を中継する管理サーバ２０毎に区切る管理サーバ単位、情報を中継する中継装置５０毎に区切る中継装置単位がある。更に、オブジェクト単位には、提供情報や処理情報毎に情報を区切る提供情報単位、処理情報単位がある。又、オブジェクト単位には、処理サーバ６０の処理部６２が行う処理によって情報を区切る処理単位がある。例えば、処理単位には、処理部６２が提供情報の一部を翻訳する場合に、情報を翻訳する部分と、翻訳しない部分に区切る単位がある。
【０３３１】
オブジェクト単位には、情報を、その情報を受信する端末装置３０ａ，３０ｂ毎に区切る端末装置単位がある。又、オブジェクト単位には、情報をユーザ毎に区切るユーザ単位がある。例えば、ユーザ単位には、情報をユーザＩＤ毎に区切るユーザＩＤ単位がある。
【０３３２】
オブジェクト単位には、情報を、その情報を中継する無線通信装置１０ｃ，１０ｄの無線通信部１１ｃ，１１ｄのような近距離無線送信手段毎に区切る近距離無線送信手段単位がある。例えば、近距離無線送信手段単位には、情報をタグＩＤ毎に区切るタグＩＤ単位がある。又、オブジェクト単位には、情報を、その情報を中継する無線通信装置１０ｃ，１０ｄが付けられている対象物、対象領域毎に区切る対象物単位、対象領域単位がある。対象物単位、対象領域単位には、情報をモノＩＤ毎に区切るモノＩＤ単位、領域ＩＤ毎に区切る領域ＩＤ単位がある。
【０３３３】
又、オブジェクト単位には、グループ毎に情報を区切るコミュニティ単位がある。コミュニティ単位には、情報を、その情報を中継する複数の無線通信装置１０ｃ，１０ｄが形成するタググループ毎に区切るタググループ単位がある。タググループ単位には、情報をタググループＩＤ毎に区切るタググループＩＤ単位がある。又、コミュニティ単位には、情報を、その情報を受信する複数の端末装置３０ａ，３０ｂが形成する端末グループ毎に区切る端末グループ単位がある。端末グループ単位には、情報を端末グループＩＤ毎に区切る端末グループＩＤ単位がある。
【０３３４】
（通信ポリシーの設定方法）
図３、図４、図５、図７、図９に示した通信ポリシー設定部１６，２６，３６，４６，５６は、配信サーバ４０ａ，４０ｂの通信部４４ａ，４４ｂから端末装置３０ａ，３０ｂの通信部３４ａ，３４ｂ又は無線通信部３１ａ，３１ｂに提供情報、処理情報を送信する際の通信ポリシーを、オブジェクト単位毎に決定し、設定する。
【０３３５】
図１に示したように、配信サーバ４０ａ，４０ｂや処理サーバ６０が、配信情報や処理情報を、端末装置３０ａ，３０ｂに、直接送信する場合と、配信サーバ４０ａ，４０ｂや処理サーバ６０が、配信情報や処理情報を、端末装置３０ａ，３０ｂに、無線通信装置１０ｃ，１０ｄ、管理サーバ２０又は中継装置５０を介して送信する場合がある。そのため、配信サーバ４０ａ，４０ｂや処理サーバ６０は、提供情報、処理情報の送信側となり、端末装置３０ａ，３０ｂは、提供情報、処理情報の受信側になる。一方、配信サーバ４０ａ，４０ｂや処理サーバ６０と端末装置３０ａ，３０ｂとの間で、提供情報、処理情報を中継する無線通信装置１０ｃ，１０ｄ、管理サーバ２０、中継装置５０は、提供情報、処理情報の受信側となったり、送信側となったりする。
【０３３６】
通信ポリシーは、送信側から受信側に情報を送信する際の取り決めである。そのため、送信側と受信側との間の通信ポリシーは、送信側と受信側の組み合わせ毎に設定する。更に、通信ポリシーは、オブジェクト単位毎に決定し、設定する。
【０３３７】
例えば、図１２（ａ）に示すように、１つの配信サーバ４０ａが中継装置５０を介して、端末装置３０ａに１つの提供情報を送信する場合がある。提供情報は、経路２ｂと経路３ａを通って送信される。
【０３３８】
この場合、通信ポリシー設定部は、送信側の配信サーバ４０ａと受信側の中継装置５０との間の通信ポリシーと、送信側の中継装置５０と受信側の端末装置３０ａとの間の通信ポリシーとを設定する。更に、通信ポリシー設定部は、配信サーバ４０ａと中継装置５０との間の通信ポリシーを、オブジェクト単位毎に決定し、設定する。そして、配信サーバ４０ａは、提供情報をオブジェクト単位ごとに区切った３つのオブジェクトＡ〜Ｃを、配信サーバ４０ａと中継装置５０との間の各オブジェクトＡ〜Ｃの通信ポリシーに基づいて送信する。又、通信ポリシー設定部は、中継装置５０と端末装置３０ａとの間の通信ポリシーを、オブジェクト単位毎に決定し、設定する。そして、中継装置５０は、オブジェクトＡ〜Ｃを、中継装置５０と端末装置３０ａとの間の各オブジェクトＡ〜Ｃの通信ポリシーに基づいて送信する。端末装置３０ａは、１つの受信側からのオブジェクトＡ〜Ｃを受信することにより、１つの提供情報を受信する。
【０３３９】
又、図１２（ｂ）に示すように、複数の配信サーバ４０ａ，４０ｂと処理サーバ６０が中継装置５０を介して、端末装置３０ａに１つの提供情報を送信する場合がある。提供情報は、経路２ａ〜２ｃと経路３ａを通って送信される。
【０３４０】
この場合、通信ポリシー設定部は、送信側の配信サーバ４０ａ，４０ｂや処理サーバ６０と受信側の中継装置５０との間の通信ポリシーと、送信側の中継装置５０と受信側の端末装置３０ａとの間の通信ポリシーとを設定する。更に、通信ポリシー設定部は、配信サーバ４０ａ，４０ｂや処理サーバ６０と、中継装置５０との間の通信ポリシーを、オブジェクト単位毎に決定し、設定する。そして、配信サーバ４０ａ，４０ｂや処理サーバ６０は、提供情報をオブジェクト単位ごとに区切った３つのオブジェクトＡ〜Ｃを、配信サーバ４０ａ，４０ｂや処理サーバ６０と中継装置５０との間の各オブジェクトＡ〜Ｃの通信ポリシーに基づいて送信する。又、通信ポリシー設定部は、中継装置５０と端末装置３０ａとの間の通信ポリシーを、オブジェクト単位毎に決定し、設定する。そして、中継装置５０は、オブジェクトＡ〜Ｃを、中継装置５０と端末装置３０ａとの間の各オブジェクトＡ〜Ｃの通信ポリシーに基づいて送信する。端末装置３０ａは、複数の受信側からのオブジェクトＡ〜Ｃを受信することにより、提供情報全体を受信する。
【０３４１】
次に、具体的な通信ポリシーの設定方法について説明する。
【０３４２】
１．オブジェクト単位の決定
まず、通信ポリシー設定部１６，２６，３６，４６，５６は、特定結果を取得する。通信ポリシー設定部１６，２６，３６，４６はそれぞれ、提供情報特定部１５，２５，３５，４５ａから、直接特定結果を取得する。又、通信ポリシー設定部１６，２６，３６，４６，５６は、無線通信部１１ｄ，３１ａ、通信部１４ｄ，２４，３４ａ，４４ａ，５４を介して、通信ポリシー設定情報として特定結果を取得する。
【０３４３】
次に、通信ポリシー設定部１６，２６，３６，４６，５６は、特定した提供情報、処理情報を区切るオブジェクト単位を決定する。又、通信ポリシーの設定を提供情報、処理情報の特定よりも前に行う場合には、まず、提供情報、処理情報を区切るオブジェクト単位を決定する。
【０３４４】
提供情報、処理情報を区切るオブジェクト単位は、提供情報、処理情報毎に定めておくことができる。例えば、提供情報が図１３に示す動画像データのストリーミング映像８ａと、テキストデータの説明文８ｂと、静止画像データの写真８ｃと、動画像データのストリーミング映像８ｄから構成されるホームページ８の場合には、オブジェクト単位として類型単位を定めておくことができる。提供情報、処理情報毎に定められたオブジェクト単位は、例えば、提供情報データベース４２や処理データベース６１が記憶する。通信ポリシー設定部１６，２６，３６，４６，５６は、特定結果に含まれるコンテンツＩＤやサービスＩＤに基づいて、提供情報データベース４２や処理データベース６１から、特定した提供情報、処理情報に対応するオブジェクト単位を取得して、決定する。この場合、オブジェクト単位は、配信サーバ４０ａ、４０ｂや処理サーバ６０のような送信側が１つの通信ポリシーの設定を望む情報の単位となる。
【０３４５】
又、提供情報、処理情報を区切るオブジェクト単位は、オブジェクト単位を決定するオブジェクト単位の決定規則に従って、決定するようにしてもよい。例えば、オブジェクト単位の決定規則には、提供情報に関する情報、処理に関する情報、測定情報、位置情報、時間情報、配信サーバ４０ａ，４０ｂの通信部４４ａ，４４ｂと端末装置３０ａ，３０ｂの通信部３４ａ，３４ｂとの間のネットワークの状況、配信サーバ４０ａ，４０ｂの通信部４４ａ，４４ｂと端末装置３０ａ，３０ｂの通信部３４ａ，３４ｂとの間の通信リソースの状況、配信サーバ情報、端末情報、無線通信装置情報、管理サーバ情報、中継装置情報、処理サーバ情報、端末装置３０ａ，３０ｂと無線通信装置との関係、通信ポリシーの達成度、通信料金、処理料金、要求されるリアルタイム性に応じて、オブジェクト単位を決定する規則がある。例えば、オブジェクト単位の決定規則には、同時期に並行して送信する複数の提供情報に応じて、オブジェクト単位を決定する規則がある。
【０３４６】
オブジェクト単位の決定規則は、例えば、通信ポリシーデータベース１６ａ，２６ａ，３６ａ，４６ａ，５６ａが記憶する。そして、通信ポリシー設定部１６，２６，３６，４６，５６が、オブジェクト単位の決定規則に基づいて、用いるオブジェクト単位を決定する。この場合、オブジェクト単位は、オブジェクト単位の決定規則を定めた方が望む情報の単位となる。よって、オブジェクト単位の決定規則を配信サーバ４０ａ、４０ｂ、無線通信装置１０ｄ、管理サーバ２０、中継装置５０のような送信側が定めた場合には、オブジェクト単位は送信側が１つの通信ポリシーの設定を望む情報の単位となり、オブジェクト単位の決定規則を端末装置３０ａ，３０ｂ、無線通信装置１０ｄ、管理サーバ２０、中継装置５０のような受信側が定めた場合には、受信側が１つの通信ポリシーの設定を望む情報の単位となる。
【０３４７】
又、端末装置３０ａ，３０ｂ、無線通信装置１０ｄ、管理サーバ２０、配信サーバ４０ａ，４０ｂ、中継装置５０、処理サーバ６０が希望するオブジェクト単位を用いてもよい。この場合、図５、図６に示した入力部３８ａが希望するオブジェクト単位を入力してもよく、ユーザ情報データベース１３，２３，４３，５３，６３、無線通信装置記憶部１９ｃ、管理サーバ情報記憶部２９ｃ、ユーザ情報記憶部３３、配信サーバ情報記憶部４９ｃ，４９ｅ、中継装置情報記憶部５９ｃ、処理サーバ情報記憶部６９ｃが、希望するオブジェクト単位を記憶しておいてもよい。又、通信ポリシー設定部１６，２６，３６，４６，５６や、通知部３８，４５ｃ，６５が、用いるオブジェクト単位を希望してもよい。この場合、オブジェクト単位は、配信サーバ４０ａ、４０ｂ、処理サーバ６０、無線通信装置１０ｄ、管理サーバ２０、中継装置５０のような送信側や、端末装置３０ａ，３０ｂ、無線通信装置１０ｄ、管理サーバ２０、中継装置５０のような受信側が１つの通信ポリシーの設定を望む情報の単位となる。
【０３４８】
通信ポリシー設定情報には、このようなオブジェクト単位を決定する際に用いる情報や、決定したオブジェクト単位がある。
【０３４９】
２．通信ポリシーの設定
次に、通信ポリシー設定部１６，２６，３６，４６，５６は、通信ポリシーを、オブジェクト単位毎に設定する。
【０３５０】
通信ポリシー設定部１６，２６，３６，４６，５６は、特定した提供情報、処理情報、測定情報、位置情報、時間情報、配信サーバ４０ａ，４０ｂの通信部４４ａ，４４ｂと端末装置３０ａ，３０ｂとの間のネットワークの状況、配信サーバ４０ａ，４０ｂの通信部４４ａ，４４ｂと端末装置３０ａ，３０ｂとの間の通信リソースの状況、処理サーバ６０の通信部６４と端末装置３０ａ，３０ｂとの間のネットワークの状況、処理サーバ６０の通信部６４と端末装置３０ａ，３０ｂとの間の通信リソースの状況、配信サーバ情報、端末情報、無線通信装置情報、管理サーバ情報、中継装置情報、処理サーバ情報、端末装置３０ａ，３０ｂの通信部３４ａ，３４ｂ又は無線通信部３１ａ，３１ｂと、無線通信装置１０ａ〜１０ｄの無線通信部１１ａ〜１１ｄとの関係、通信ポリシーの達成度、通信料金、処理料金、要求されるリアルタイム性の少なくとも１つに基づいて、通信ポリシーを決定し、設定する。
【０３５１】
通信ポリシー設定情報には、通信ポリシーの設定に用いる情報がある。通信ポリシーの設定に用いる情報には、これらの特定した提供情報や処理情報に関する情報、測定情報、位置情報、時間情報、配信サーバ４０ａ，４０ｂの通信部４４ａ，４４ｂと端末装置３０ａ，３０ｂとの間のネットワークの状況、配信サーバ４０ａ，４０ｂの通信部４４ａ，４４ｂと端末装置３０ａ，３０ｂとの間の通信リソースの状況、処理サーバ６０の通信部６４と端末装置３０ａ，３０ｂとの間のネットワークの状況、処理サーバ６０の通信部６４と端末装置３０ａ，３０ｂとの間の通信リソースの状況、配信サーバ情報、端末情報、無線通信装置情報、管理サーバ情報、中継装置情報、処理サーバ情報、端末装置３０ａ，３０ｂの通信部３４ａ，３４ｂ又は無線通信部３１ａ，３１ｂと、無線通信装置１０ａ〜１０ｄの無線通信部１１ａ〜１１ｄとの関係、通信ポリシーの達成度、通信料金、処理料金、要求されるリアルタイム性などがある。
【０３５２】
通信ポリシー設定部１６，２６，３６，４６，５６は、無線通信装置１０ｄ、管理サーバ２０、端末装置３０ａ、配信サーバ４０ａ、中継装置５０が受信、監視、記憶、測定、入力などにより把握している通信ポリシーの設定に用いる情報に基づいて、通信ポリシーを決定し、設定できる。又、無線通信装置１０ｄ、管理サーバ２０、端末装置３０ａ，３０ｂ、配信サーバ４０ａ，４０ｂ、中継装置５０、処理サーバ６０は、監視、受信、記憶、測定、入力などにより把握している通信ポリシーの設定に用いる情報を、通信ポリシー設定部１６，２６，３６，４６，５６、通知部３８、５５，６５を用いて、通信ポリシー設定情報として相互に通知しあうことができる。そして、通信ポリシー設定部１６，２６，３６，４６，５６は、無線通信装置１０ｄ、管理サーバ２０、端末装置３０ａ、配信サーバ４０ａが把握している通信ポリシーの設定に用いる情報と、通知された通信ポリシー設定情報を用いて、通信ポリシーを決定し、設定する。
【０３５３】
更に、通知部３８、５５，６５は、通信ポリシー設定部１６，２６，３６，４６，５６に対して、通信ポリシーの設定を要求できる。そのため、通信ポリシー設定情報には、通信ポリシーの設定の要求もある。尚、通知部３８、５５，６５は、通信ポリシーの設定の要求に、通信ポリシーの設定に用いる情報を含めてもよい。
【０３５４】
又、通信ポリシー設定部１６，２６，３６，４６，５６は、通知部３８、５５，６５や、他の通信ポリシー設定部１６，２６，３６，４６，５６に、通信ポリシーの設定に用いる情報を要求できる。要求を受けた通知部３８、５５，６５や他の通信ポリシー設定部１６，２６，３６，４６，５６は、要求に対する応答として、通信ポリシーの設定に用いる情報を返す。そのため、通信ポリシー設定情報には、このような要求、応答などの通信ポリシーの設定に用いる情報をやりとりするための情報もある。尚、通信ポリシー設定部１６，２６，３６，４６，５６、通知部３８、５５，６５は、このようなやりとりを複数回繰り返してもよい。又、通信ポリシー設定部１６，２６，３６，４６，５６は、通知部３８、５５，６５から、通信ポリシーの設定の要求を受けた際に、通信ポリシーの設定に用いる情報を要求してもよい。
【０３５５】
通信ポリシー設定部１６，２６，３６，４６，５６は、これらの通信ポリシーの設定に用いる情報と、通信ポリシーの設定規則や通信ポリシーの設定条件、決定したオブジェクト単位などに基づいて、オブジェクト単位毎に通信ポリシーを設定する。
【０３５６】
通信ポリシーの設定条件は、どのように通信ポリシーを決定し、設定するかを定めた条件である。通信ポリシーの設定条件には、優先する通信ポリシー設定項目、優先する通信ポリシーの設定に用いる情報を定めた条件がある。例えば、通信ポリシーの設定条件には、送信完了時刻を優先して通信ポリシーを決定し、設定する、通信速度を優先して通信ポリシーを決定し、設定する、通信料金が希望する上限額以下になることを優先して通信ポリシーを決定し、設定する、提供情報を再生する際のデータ品質を優先して通信ポリシーを決定し、設定するといった条件がある。又、各通信ポリシー設定項目、各通信ポリシーの設定に用いる情報に優先度を設定した条件がある。例えば、通信ポリシー設定項目のうち、維持しなければならない項目ほど、高い優先度を設定する。
【０３５７】
通信ポリシーの設定条件は、通信ポリシーの設定に用いる情報と対応付けて、定められる。通信ポリシーの設定条件は、オブジェクト単位毎に定めてもよい。例えば、使用通信リソース量に応じて、通信ポリシーの設定条件を定める。通信ポリシー設定部１６，２６，３６，４６，５６は、通信ポリシーの設定に用いる情報に基づいて、合致する設定条件を選択する。
【０３５８】
通信ポリシー設定部１６，２６，３６，４６，５６は、選択した通信ポリシーの設定条件に基づいて、通信ポリシーを決定し、設定する。例えば、通信ポリシー設定部１６，２６，３６，４６，５６は、優先度が高い通信ポリシー設定項目を優先して、通信ポリシーを設定する。例えば、通信品質の優先度が最も高く、次に送信開始時刻の優先度が高く、通信料金の優先度が最も低い場合には、送信開始時刻については多少遅くなってもよく、通信料金は非常に高くなってもよいため、通信品質だけは高くできるように通信ポリシーを設定する。
【０３５９】
具体的には、通信ポリシー設定部１６，２６，３６，４６，５６は、選択した通信ポリシーの設定条件に基づいて、通信ポリシーの設定規則を選択する。即ち、通信ポリシー設定部１６，２６，３６，４６，５６は、設定条件で優先すると定められた通信ポリシー設定項目、通信ポリシーの設定に用いる情報を優先できる設定規則を選択する。例えば、通信ポリシー設定部１６，２６，３６，４６，５６は、設定規則によって設定される通信ポリシーの設定項目が、優先度の高い通信ポリシー設定項目と一致する設定規則や、優先度の高い通信ポリシー設定項目が高く設定できる設定規則を選択する。そして、通信ポリシー設定部１６，２６，３６，４６，５６は、選択した通信ポリシーの設定規則に基づいて、通信ポリシーを設定する。
【０３６０】
尚、通信ポリシーの設定条件は、予め定めておき、通信ポリシーデータベース１６ａ，２６ａ，３６ａ，４６ａ，５６ａが記憶する。又、設定条件制御部４６ｂ，５６ｂが、通信ポリシーの設定条件を制御してもよい。設定条件制御部４６ｂ，５６ｂは、監視情報に基づいて通信ポリシーの設定条件を制御する。このように、通信システム１、配信サーバ４０ａ、中継装置５０は、設定条件制御部４６ｂ，５６ｂを備えることにより、通信ポリシーの設定条件を制御できる。又、通信ポリシー設定部１６，２６，３６，４６，５６が、設定条件に基づいて通信ポリシーを決定し、設定することにより、様々な設定条件に基づいた通信ポリシーの設定ができる。
【０３６１】
通信ポリシーの設定規則には、提供情報、処理情報毎に定められた提供情報、処理情報の送信に推奨する通信ポリシーを設定するという規則がある。通信ポリシー設定部４６は、特定した提供情報、処理情報のコンテンツＩＤ、サービスＩＤに基づいて、提供情報データベース４２、処理データベース６１から特定した提供情報、処理情報の推奨通信ポリシーを取得して、通信ポリシーを設定する。通信ポリシー設定部１６，２６，３６，５６は、配信サーバ４０ａ，４０ｂや処理サーバ６０に、コンテンツＩＤやサービスＩＤを指定して推奨通信ポリシーを要求する。そして、通信ポリシー設定部１６，２６，３６，５６は、配信サーバ４０ａ，４０ｂや処理サーバ６０から、通信ポリシー設定情報として推奨通信ポリシーを取得し、通信ポリシーを設定する。例えば、通信ポリシー設定項目が通信プロトコルの場合、提供情報、処理情報毎の推奨通信ポリシーとして、ＨＴＴＰ（Ｈｙｐｅｒ  Ｔｅｘｔ  Ｔｒａｎｓｆｅｒ  Ｐｒｏｔｏｃｏｌ）、ＲＴＰ（Ｒｅａｌ−ｔｉｍｅ  Ｔｒａｎｓｐｏｒｔ  Ｐｒｏｔｏｃｏｌ）、トンネリングプロトコル、ＴＣＰ（Ｔｒａｎｓｍｉｓｓｉｏｎ  Ｃｏｎｔｒｏｌ  Ｐｒｏｔｏｃｏｌ）、ＵＤＰ（Ｕｓｅｒ  Ｄａｔａｇｒａｍ  Ｐｒｏｔｏｃｏｌ）を定めることができる。
【０３６２】
又、通信ポリシーの設定規則には、過去に設定した通信ポリシーを設定するという規則がある。通信ポリシー設定部１６，２６，３６，４６，５６は、通信ポリシーデータベース１６ａ，２６ａ，３６ａ，４６ａ，５６ａから、過去の通信ポリシー設定項目と、その設定内容を取得し、通信ポリシーを設定する。例えば、通信ポリシーデータベース１６ａ，２６ａ，３６ａ，４６ａ，５６ａが、これまでに設定した通信ポリシーの履歴に関する情報として、過去の通信ポリシー設定項目と、その設定内容、その通信ポリシーの達成度とを対応付けて記憶する。そして、通信ポリシー設定部１６，２６，３６，４６，５６は、通信ポリシーデータベース１６ａ，２６ａ，３６ａ，４６ａ，５６ａから、通信ポリシーの達成度が良好な通信ポリシーの設定項目と設定内容を取得し、通信ポリシーとして設定する。
【０３６３】
更に、通信ポリシーの設定規則には、通信ポリシーの適用条件と、その適用条件毎に定められた通信ポリシーを設定するという規則がある。適用条件は、通信ポリシーの設定に用いる情報をパラメータとして定める。例えば、適用条件は、通信リソース、通信ポリシーの達成度、端末装置３０ａ，３０ｂの位置や移動速度、要求されるリアルタイム性、端末装置３０ａ，３０ｂが要求するデータ品質や通信品質、通信料金などをパラメータとして定める。又、適用条件は、オブジェクト単位毎に定めてもよい。通信ポリシー設定部１６，２６，３６，４６，５６は、通信ポリシーの設定に用いる情報に基づいて、その情報と合致する通信ポリシーの適用条件を選択する。そして、通信ポリシー設定部１６，２６，３６，４６，５６は、選択した適用条件を満たす場合に適用する通信ポリシーを設定する。
【０３６４】
例えば、通信ポリシー設定項目が要求されるリアルタイム性である場合、送信開始時刻、送信完了時刻、送信開始から完了までの送信所要時間、許容遅延時間、移動速度をパラメータとする複数の適用条件と、各適用条件を満たす場合に適用する要求されるリアルタイム性を定めた設定規則がある。設定規則は、送信完了予定時刻が早いほど、送信開始から完了までの送信所要時間や許容遅延時間が短いほど、移動速度が大きいほど、現在の送信完了予定時刻が現在時刻に近いほど、通信速度が大きいほど、許容ジッターが小さいほど、課金単価が高いほど、未送信のデータ容量が大きいほど、要求されるリアルタイム性が高くなるように定められる。
【０３６５】
又、通信ポリシー設定項目が通信品質やデータ品質である場合、データの種類や位置情報をパラメータとする複数の適用条件と、各適用条件を満たす場合に適用する通信品質やデータ品質を定めた設定規則がある。例えば、建物内にいる場合と屋外にいる場合、イベント会場内とその外にいる場合で、適用するデータ品質や通信品質を変えた設定規則を定めることができる。具体的には、建物内では通信状況が屋外に比べて良好でないため、データ品質を屋外よりも低く設定する。又、イベント会場内では、多くの端末装置３０ａ，３０ｂに同時に提供情報を送信するため、各端末装置３０ａ，３０に提供情報を送信できるように個々のデータ品質をイベント会場外よりも低く設定する。
【０３６６】
又、通信ポリシー設定項目が帯域である場合、端末装置３０ａ，３０ｂの移動速度をパラメータとする複数の適用条件と、各適用条件を満たす場合に適用する帯域を定めた設定規則がある。例えば、提供情報が無線通信装置１０ａ〜１０ｄの位置情報に基づく情報の場合、端末装置３０ａ，３０ｂが無線通信装置１０ａ〜１０ｄから離れてしまうと、その提供情報の必要性は低くなる。そのため、移動速度が大きいほど、大きい帯域となるように設定規則を定めることができる。又、提供情報を送信したり、処理を実行したりする時間をパラメータとする複数の適用条件と、各適用条件を満たす場合に適用する通信ポリシーを定めた設定規則としてもよい。
【０３６７】
以下に、通信ポリシー設定項目が通信速度である場合の３つの具体例を示す。図１４に示す通信ポリシーの設定規則は、輻輳状況、通信リソースの使用状況、通信ポリシーの達成度、端末装置３０ａ，３０ｂの存在する緯度、経度をパラメータとする適用条件１と、その適用条件１を満たす場合に適用する通信ポリシー１として通信速度を定めたものである。通信ポリシー設定部１６，２６，３６，４６，５６は、通信ポリシーの設定に用いる情報として、輻輳状況、通信リソースの使用状況、通信ポリシーの達成度、緯度、経度を取得する。通信ポリシー設定部１６，２６，３６，４６，５６は、取得した情報と適用条件１とを比較し、合致するか判断する。
【０３６８】
通信ポリシー設定部１６，２６，３６，４６，５６は、取得した輻輳状況がａ１以上ａ２未満、取得した通信リソースの状況がｂ１以上ｂ２未満、通信ポリシーの達成度がｃ１以上ｃ２未満、緯度がｄ１以上ｄ２未満、経度がｅ１以上ｅ２未満の場合には、取得した情報と適用条件１とが合致するため、この適用条件１を選択する。そして、通信ポリシー設定部１６，２６，３６，４６，５６は、選択した適用条件１を満たす場合に適用する通信ポリシー１として定められた２８．８ｋｂｐｓ以上６４ｋｂｐｓ未満という通信速度を、通信ポリシーとして設定する。一方、取得した情報と適用条件１とが合致しない場合には、適用条件１を満たす場合に適用する通信ポリシー１として定められた通信ポリシーを、設定することはできない。
【０３６９】
又、図１５に示す通信ポリシーの設定規則は、ネットワークのトラヒックをパラメータとする適用条件２、３と、その適用条件２、３を満たす場合に適用する通信ポリシー２、３として、通信速度の決定規則と、通信速度を定めたものである。図１５では、トラヒックをネットワークの使用率で表す。通信ポリシー設定部１６，２６，３６，４６，５６は、通信ポリシーの設定に用いる情報として、ネットワークのトラヒックを取得する。通信ポリシー設定部１６，２６，３６，４６，５６は、取得したネットワークのトラヒックに基づいて、合致する通信ポリシーの適用条件を選択する。
【０３７０】
通信ポリシー設定部１６，２６，３６，４６，５６は、取得したネットワークのトラヒックが１０％以上４０％未満の場合には、適用条件２と合致するため、適用条件２を選択する。そして、通信ポリシー設定部１６，２６，３６，４６，５６は、適用条件２を満たす場合に適用する通信ポリシー２として定められた通信速度の決定規則を通信ポリシーとして設定する。通信速度の決定規則は、リアルタイムタイム性がｆ１以上ｆ２未満、通信ポリシーの達成度がｇ１以上ｇ２未満、緯度がｈ１以上ｈ２未満、経度がｉ１以上ｉ２未満、輻輳状況がｊ１以上ｊ２未満、通信リソースの使用状況がｋ１以上ｋ２未満の場合には、通信速度を２８．８ｋｂｐｓ以上６４ｋｂｐｓ未満の範囲内で決定するという規則である。
【０３７１】
又、通信ポリシー設定部１６，２６，３６，４６，５６は、取得したネットワークのトラヒックが５０％以上６０％未満の場合には、適用条件３と合致するため、適用条件３を選択する。そして、通信ポリシー設定部１６，２６，３６，４６，５６は、適用条件３を満たす場合に適用する通信ポリシー３として定められた通信速度１００ｋｂｐｓを通信ポリシーとして設定する。
【０３７２】
又、図１６に示す通信ポリシーの設定規則は、輻輳状況、通信リソース使用料、要求されるリアルタイム性、通信ポリシーの達成度、端末装置３０ａ，３０ｂの存在する緯度、経度、端末装置３０ａ，３０ｂが進行する方位、端末装置３０ａ，３０ｂの移動速度をパラメータとする適用条件４〜６と、その適用条件を満たす場合に適用する通信ポリシー４〜６として、通信速度の決定規則と、通信速度を定めたものである。図１６では、輻輳状況を、最も輻輳度が高いときを１００として表す。又、要求されるリアルタイム性を、最も要求されるリアルタイム性が高い場合を１００として表す。又、通信ポリシーの達成度を、完全に達成できた場合を１００として表す。
【０３７３】
通信ポリシー設定部１６，２６，３６，４６，５６は、通信ポリシーの設定に用いる情報として、輻輳状況、通信リソース使用料、要求されるリアルタイム性、通信ポリシーの達成度、端末装置３０ａ，３０ｂの存在する緯度、経度、端末装置３０ａ，３０ｂが進行する方位、端末装置３０ａ，３０ｂの移動速度を取得する。通信ポリシー設定部１６，２６，３６，４６，５６は、取得した輻輳状況、通信リソース使用料金、要求されるリアルタイム性、通信ポリシーの達成度、緯度、経度、方位、移動速度に基づいて、合致する通信ポリシーの適用条件を選択する。尚、通信リソース使用料金とは、通信リソースの使用にかかる料金である。
【０３７４】
通信ポリシー設定部１６，２６，３６，４６，５６は、取得した輻輳状況が５０未満、通信リソース使用料金が２円／バイト以上４円／バイト未満で、要求されるリアルタイム性が１０以上４０未満、通信ポリシーの達成度が５０以上、緯度が１０２度以上１１０度未満、経度が２１０度以上２１４度未満、方位が北緯１０度以上１５度未満、移動速度が１０ｍ／秒以下の場合には、適用条件４と合致するため、適用条件４を選択する。そして、通信ポリシー設定部１６，２６，３６，４６，５６は、適用条件４を満たす場合に適用する通信ポリシー４として定められた通信速度２００ｋｂｐｓ以上３８４ｋｂｐｓ未満を通信ポリシーとして設定する。
【０３７５】
又、通信ポリシー設定部１６，２６，３６，４６，５６は、取得した輻輳状況が５０以上７０未満、通信リソース使用料金が２円／バイト未満で、要求されるリアルタイム性が１０以上４０未満、通信ポリシーの達成度が５０以上、緯度が１０２度以上１１０度未満、経度が２１０度以上２１４度未満、方位が北緯１０度以上１５度未満、移動速度が１０ｍ／秒以下の場合には、適用条件５と合致するため、適用条件５を選択する。そして、通信ポリシー設定部１６，２６，３６，４６，５６は、適用条件５を満たす場合に適用する通信ポリシー５として定められた通信速度１００ｋｂｐｓ以上２００ｋｂｐｓ未満を通信ポリシーとして設定する。
【０３７６】
又、通信ポリシー設定部１６，２６，３６，４６，５６は、取得した輻輳状況、通信リソース使用量、要求されるリアルタイム性、通信ポリシーの達成度、緯度、経度、方位、移動速度が、適用条件４、５のいずれとも合致しない場合には、適用条件６を選択する。そして、通信ポリシー設定部１６，２６，３６，４６，５６は、適用条件６を満たす場合に適用する通信ポリシー６として定められた通信速度６４ｋｂｐｓ以下を通信ポリシーとして設定する。尚、初回は通信ポリシーの達成度はないため、通信ポリシーの達成度は考慮せずに適用条件を選択する。
【０３７７】
このように、通信ポリシーの適用条件を定めて通信ポリシーを設定することにより、通信ポリシー設定部１６，２６，３６，４６，５６は、適用条件を満たせない場合には、その通信ポリシーを設定することはできない。よって、通信ポリシー設定部１６，２６，３６，４６，５６は、通信ポリシーの適用を制限することができる。
【０３７８】
又、通信ポリシーの設定規則には、設定する通信ポリシーを求める通信ポリシー算出規則により求められる通信ポリシーを設定するという規則がある。通信ポリシー算出規則は、通信ポリシーの設定に用いる情報をパラメータとして定める。又、通信ポリシー算出規則は、オブジェクト単位毎に定めてもよい。例えば、通信ポリシー算出規則には、特定した提供情報が特定の領域内でのみ送信する情報である場合に、提供情報のデータ容量やデータ品質などの提供情報に関する情報、端末装置３０ａ，３０ｂの現在位置、移動速度、ネットワークのトラヒック、通信リソースの状況に基づいて、端末装置３０ａ、３０ｂが特定の領域内に存在する間に、提供情報の送信を開始し、完了する通信スケジュールを求める規則がある。同様に、通信ポリシー算出規則には、無線通信装置１０ｄが提供情報を中継して端末装置３０ａ，３０ｂに送信する場合に、提供情報のデータ容量やデータ品質などの提供情報に関する情報、端末装置３０ａ，３０ｂと無線通信装置１０ｄとの相対速度、ネットワークのトラヒック、通信リソースの状況に基づいて、端末装置３０ａ、３０ｂが無線通信装置１０ｄと通信可能な間に、提供情報の送信を開始し、完了する通信スケジュールを求める規則がある。
【０３７９】
又、通信ポリシー算出規則には、例えば、設定する通信ポリシーを求める関数（以下「通信ポリシー設定関数」という）がある。例えば、通信ポリシーの設定項目が要求されるリアルタイム性の場合の通信ポリシー設定関数には、以下に示す（１）式がある。
【０３８０】
要求されるリアルタイム性＝｛Ｘ（１）×Ｐ１×未送信データ量／（送信開始予定時刻―現在時刻）｝＋｛Ｘ（２）×Ｐ２×未送信データ量／現在の送信完了予定時刻｝＋｛Ｘ（３）×Ｐ３×未送信データ量／送信完了までの所要予定時間｝＋｛Ｘ（４）×Ｐ４×未送信データ量／通信速度｝＋｛Ｘ（５）×Ｐ５×未送信データ量／許容遅延時間｝＋｛Ｘ（６）×Ｐ６×未送信データ量／許容ジッター｝＋｛Ｘ（７）×Ｐ７×未送信データ量／課金単価｝・・・（１）式
尚、（１）式において、｛Ｘ（１）×Ｐ１×未送信データ量／（送信開始予定時刻―現在時刻）｝の分母は、（送信完了予定時刻の初期値―現在時刻）であってもよい。又、係数Ｐ１〜Ｐ７は、各項目に与える未送信データ量の影響度である。Ｘ（１）〜Ｘ（７）は、要求されるリアルタイム性を評価する際の各項目に対する重み付けであり、各項目の係数である。Ｘ（１）〜Ｘ（７）は、（２）式に示す関数ｇ｛ａ，ｂ，ｃ，ｄ，ｅ，ｆ｝により求められる。
【０３８１】
Ｘ（ｍ）＝ｇ｛ａｍ（通信ポリシーの達成度）、ｂｍ（端末装置の移動速度）、ｃｍ（端末装置の位置情報）、ｄｍ（通信リソースの状況）、ｅｍ（ネットワークのトラヒックの状況）、ｆｍ（課金総額）｝・・・（２）式
尚（２）式において、ｍ＝１〜７である。ａｍ，ｂｍ，ｃｍ，ｄｍ，ｅｍ，ｆｍは、各項目の影響度である。又、（２）式は、通信ポリシーの設定項目が通信速度の場合の通信ポリシー設定関数としても用いることができる。
【０３８２】
（１）式に示す要求されるリアルタイム性の中の、Ｘ（１）×Ｐ１×未送信データ量／（送信完了予定時刻―現在時刻）の示す意味について説明する。分母にくる項目は、その項目が大きくなるにしたがって、要求されるリアルタイム性が小さくなるような項目とし、分子に記載している項目は、その項目値が大きくなるにしたがって、要求されるリアルタイム性が大きくなる項目とする。したがって、未送信データ量が多いほど、要求されるリアルタイム性は大きくなる。
【０３８３】
例えば、要求されるリアルタイム性を提供すべき通信帯域で判定する場合について説明する。オブジェクト単位に送信完了時刻を設定した場合、送信完了予定時刻が現在時刻との差分が大きいほど、要求されるリアルタイム性（データの着信を求める緊急度）は小さいと考える。差分が大きいということは、それだけ送信に費やすことのできる時間が多いため、データの送信のために必要とする通信帯域はそれだけ小さくて済む。また、オブジェクトのデータサイズが大きいほど、決められた時間までに送信しなければならないデータ量が多いことになるため、それだけ要求される通信帯域が大きくなる。したがって、オブジェクトのデータサイズが大きいほど要求されるリアルタイム性は大きくなる。この場合、要求されるリアルタイム性は、オブジェクトデータの送信時に要求される通信帯域によってあらわすことができ、しかも要求される通信帯域は、オブジェクトの未送信データ量／（送信完了時刻―現在時刻）により算出される。
【０３８４】
したがって、送信処理がネットワークの輻輳や通信リソースの使用状況、負荷状況が悪化して、オブジェクトの送信処理が予定通り（配信スケジュール通り）に進まなくなった場合、未送信データが予定以上に多く残り、送信処理を完了させなければならない送信完了予定時刻と現在時刻の差分がさらに小さくなってくることになるため、オブジェクトの未送信データの送信処理に対して要求されるリアルタイム性はなおいっそう高くなる。
【０３８５】
このような場合、要求されるリアルタイム性が次第に高くなってくるため、送信完了予定時刻を優先して守るという通信ポリシーを採用している場合、要求される通信帯域を割り当ててもらえる通信サービスでそのサービスの利用にあたっての通信リソースに空きがあれば、同送信サービスに段階的に切り替えて、通信料金が高くなるけれど要求されるルあるタイム性に応じた通信帯域を割り当てることにより、送信完了予定時刻を死守するような制御を行う。同送信サービスに通信リソースの空きがない場合は、さらに高額でサービス利用にあたっての通信リソースに空きがある送信処理サービスを策定することになる。
【０３８６】
通信ポリシーに通信料金に関する制約ルールとして、１パケットあたりの送信単価の上限を設けている場合、上限の送信単価にて利用できる通信帯域が、要求されるリアルタイム性を満足することのできる通信帯域を割り当てることができないため、このような場合、送信完了予定時刻を変更するか、送信オブジェクトのデータのデータ品質を制御して未送信データ量を低減して当初の送信完了予定時刻にオブジェクトの送信処理が完了するような配信（送信）制御を行う。このような対処法も通信ポリシーとして設定しておくことになるが、動的に対処法を通信ポリシーに加えてもよい。
【０３８７】
また、送信単価等の通信費を考慮しない場合は、通信費の上限という制約はなくなるが、要求されるリアルタイム性に相応の通信帯域を割り当てることのできる送信システムの空き状況を判定して、割り当てる通信帯域を制御する。
【０３８８】
ユーザの指示する配信期限、配信期間、配信開始等の要求に応じて通信ポリシーを設定し、同通信ポリシーに応じて、上記観測情報（ユーザ端末の位置情報、タグ（無線通信装置）の位置情報、通信ポリシー達成度、ネットワークの輻輳（トラヒック）状況、通信リソースの使用状況、送信データの要求されるリアルタイム性、時刻、ユーザ状態）を考慮して、配信（送信）制御を行う。
【０３８９】
ネットワーク監視者の判断に基づいて、ネットワークトラヒック、通信リソースの使用状況、ネットワーク／通信設備の負荷を負荷分散するような配信（送信）制御を通信ポリシーにしたがって、送信データの要求されるリアルタイム性を考慮の上実施する。
【０３９０】
また、ユーザの位置、通話中、会議中、移動中、あるエリア内にいる、あるタグの交信エリア内、移動機の交信エリア圏内、等のユーザの状態に応じた通信ポリシーを設定しておき、ユーザ状態に応じて、適宜適用する通信ポリシーを選択し、アクセス／提供するサービス内容、サービス品質、コンテンツを決定し、選択した通信ポリシーにしたがって配信（送信）制御する。ユーザの状態に応じて、例えば配信を停止し、ユーザの状態が変化したら送信を開始するといった通信ポリシーを設定し、データの要求されるリアルタイム性を考慮して、通信ポリシーを適用して送信制御を行う。
【０３９１】
配信予約に対して、ネットワークから取得可能なコンテンツを、ユーザ状態（通話中、待ち受け中、位置、同時アクセスしているコンテンツの数、移動機の通信リソースの使用状況、パケット通信により送受信している単位時間あたりのデータ量等）に応じて、サービス内容、サービス品質を決定して、通信ポリシーにしたがって送信制御する。
【０３９２】
通話中である場合は、通話が終了した後にデータを配信するもの、通話中に同時的に配信するコンテンツ等を予め通信ポリシーに登録して送信制御を行う。ユーザ端末の位置に応じて、配信するコンテンツ、適用する通信ポリシー、通信ポリシーの適用制限、サービス品質制限、送信するデータの要求されるリアルタイム性等を考慮して制御する。
【０３９３】
また、通信ポリシーとして、ネットワーク（通信路）設備、通信リソース、の閑散な使用状況を狙い撃ちした利用を指定した通信ポリシーを予約設定することにより、ネットワークリソース、通信リソースの有効利用を実現することができる。
【０３９４】
ユーザからの非リアルタイムコンテンツの配信要求に対しても、通信ポリシーを設定することにより、効果的な配信を実現することができる。特に、ユーザが配信要求する非リアルタイムコンテンツの要求されるリアルタイム性を考慮した配信制御を行うことにより、ユーザにストレスを感じさせることなく、ネットワークリソース、設備を効率的に使用したコンテンツの配信制御ができる。
【０３９５】
通信ポリシーのポリシー設定項目として、いつでもよいとか（送信完了期限を指定しない）、送信完了期限、配信期間等を、ネットワークの閑散時間帯を優先するように（ネットワークトラヒック量がある値以下のとき）、統計的トラヒックデータと指定された配信時期（配信開始完了、配送期間の要求／要望）にしたがって、ネットワークのトラヒック状況と通信リソースの使用状況、と配信データの要求されるリアルタイム性（配信完了期限を設定時に考慮する必要が発生する）を考慮して配信（送信）制御を行う。
【０３９６】
リアルタイム性を要求する度合いに応じて、通信リソースを割り当て、ＱｏＳを保証することでサービスを展開することになるが、まったくリアルタイム性が要求されない非リアルタイム性コンテンツについては、他のユーザが使用時に提供される通信品質、コンテンツ品質に制限を加えないように、遊休の通信リソースを優先して割り当てを行う。他のユーザからのリソースの予約要求が発生して、通信リソースが枯渇してくると、非リアルタイム性コンテンツは、通信リソースを一時解放して、リアルタイム性コンテンツ（データ）に、同コンテンツ（データ）の要求されるリアルタイム性に応じて通信リソースを提供する。通信リソースに空きができたときにのみ、通信リソースを割り当てて、コンテンツの送信を行うといった通信ポリシーが有効である。
【０３９７】
また、通信ポリシー設定部１６，２６，３６，４６，５６は、端末装置３０ａ，３０ｂの位置、情報ほしさの緊急度、要求するサービス品質、通話中、会議中、休憩中、食事中、デスクワーク中、移動中、移動速度、あるエリア（建物、店舗、会場、スタジアム、ある特別に定めた領域等）内にいる、あるタグの交信エリア内、移動機の交信エリア圏内、端末装置の処理負荷状況／リソースの空き状況の等のユーザの状態に応じて、また、無線通信装置の  位置、情報ほしさの緊急度、要求するサービス品質、交信可能エリア内のユーザの数、情報提供ユーザ数、発生している送信トラヒック状況、処理負荷状況等の状態に応じて、コンテンツのコンテンツ内容（サービス内容）、データ品質（サービス品質）、コンテンツの送信時に適用する通信品質を、ネットワークのトラヒック状況（輻輳状況）、通信リソースの使用状況、配信データの要求されるリアルタイム性、通信ポリシー達成状況、等を考慮して決定する。
【０３９８】
又、通信ポリシーの設定規則には、オブジェクトの階級を決定し、その階級に応じた通信ポリシーを設定するという規則がある。階級は、通信ポリシーの設定に用いる情報に基づいて定めることができる。階級毎に設定可能な通信ポリシー設定項目とその設定内容を、階級別通信ポリシーとして予め定めておく。そして、通信ポリシー設定部１６，２６，３６，４６，５６は、通信ポリシーの設定に用いる情報に基づいて、階級を決定する。通信ポリシー設定部１６，２６，３６，４６，５６は、決定した階級以下の階級別通信ポリシーを、通信ポリシーとして設定する。
【０３９９】
更に、通信ポリシーの設定規則には、適用可能な通信ポリシーを制限する制限条件に従って、通信ポリシーを設定するという規則がある。制限条件は、通信ポリシーの設定に用いる情報をパラメータとして定めることができる。例えば、制限条件は、端末装置３０ａ，３０ｂや無線通信装置１０ａ〜１０ｄの位置や存在する領域などの位置情報、時間情報、監視情報、タググループＩＤや端末グループＩＤなどの無線通信装置情報や端末情報などをパラメータとして定める。例えば、端末装置３０ａ，３０ｂの存在する領域に応じて、適用可能な通信ポリシーを制限する制限条件を定める。又、制限条件は、オブジェクト単位毎に定めることができる。更に、制限条件は、適用可能な通信ポリシーを直接制限する条件だけでなく、通信ポリシーの設定に用いる適用条件や通信ポリシー算出規則の使用を制限する条件を定めてもよい。又、制限条件は、その制限する程度についても定めてもよい。
【０４００】
通信ポリシー設定部１６，２６，３６，４６，５６は、通信ポリシーの設定に用いる情報や決定したオブジェクト単位に基づいて、該当する制限条件の有無を判断する。そして、通信ポリシー設定部１６，２６，３６，４６，５６は、該当する制限条件がある場合には、その制限条件を満たすように通信ポリシーを設定する。このように、通信ポリシーの制限条件を定めて通信ポリシーを設定することにより、通信ポリシー設定部１６，２６，３６，４６，５６は、通信ポリシーの適用を制限することができる。
【０４０１】
又、通信ポリシー設定部１６，２６，３６，４６，５６は、これらの通信ポリシーの設定規則を複数組み合わせて、通信ポリシーを設定してもよい。特に、推奨通信ポリシー、過去に設定した通信ポリシー、通信ポリシーの適用条件、通信ポリシー算出規則、階級別通信ポリシーと、通信ポリシー制限条件とを組み合わせることが好ましい。例えば、通信ポリシー算出規則と通信ポリシー制限条件とを組み合わせた場合、通信ポリシー設定部１６，２６，３６，４６，５６は、通信ポリシー算出規則に、通信ポリシー制限条件と、端末装置３０ａ，３０ｂが希望するデータ品質や変換方法、通信料金と、無線通信装置情報と、測定情報と、監視情報と、時間情報とを代入して、設定する通信ポリシーを求める。
【０４０２】
この場合、例えば、通信ポリシー設定部１６，２６，３６，４６，５６は、希望するデータ品質として、複数のオブジェクトから構成される提供情報を再生する際の提供情報の表示サイズ、表示開始時刻、表示時間やその許容遅延時間、フレームレート、解像度、複数の提供情報を連続して表示する場合の表示順序、複数の提供情報を同時に表示する場合の配列、同期のタイミングやそのずれの許容値などを代入する。
【０４０３】
通信ポリシー設定部１６，２６，３６，４６，５６は、希望する変換方法として、データの圧縮方法、データ品質の変換方法を代入する。通信ポリシー設定部１６，２６，３６，４６，５６は、希望する通信料金として、支払ってもよいと考える料金の上限値、料金算出規則を代入する。通信ポリシー設定部１６，２６，３６，４６，５６は、無線通信装置情報として、無線通信装置１０ａ〜１０ｄの位置情報、測定情報としてある領域に存在する無線通信装置１０ａ〜１０ｄや端末装置３０ａ，３０ｂの数、無線通信装置１０ａ〜１０ｄや端末装置３０ａ，３０ｂの移動速度、監視情報として、ある領域における現在のトラヒック量や使用通信リソース量、現在又は過去のネットワーク全体のトラヒック量や使用通信リソース量、通信ポリシー達成度、誤り率、再送率、パケット破棄率、時間情報として処理の利用時間を代入する。
【０４０４】
尚、通信ポリシーの設定規則は、予め定めておき、通信ポリシーデータベース１６ａ，２６ａ，３６ａ，４６ａ，５６ａが記憶する。又、設定条件制御部４６ｂ，５６ｂが、通信ポリシーの設定規則を制御してもよい。設定条件制御部４６ｂ，５６ｂは、監視情報に基づいて通信ポリシーの設定規則を制御する。
【０４０５】
次に、通信ポリシー設定部１６，２６，３６，４６，５６は、設定した通信ポリシーを実行できるか否かを判断する。通信ポリシー設定部１６，２６，３６，４６，５６は、通信ポリシーの設定に用いる情報に基づいて判断する。例えば、通信ポリシー設定部１６，２６，３６，４６，５６は、現在の通信リソースの状況に基づいて、設定した通信ポリシーを実行するために必要な通信リソースを確保できるか否かを判断する。そして、通信ポリシー設定部１６，２６，３６，４６，５６は、必要な通信リソースを確保できない場合には、設定した通信ポリシーを実行できないと判断し、必要な通信リソースを確保できる場合には、設定した通信ポリシーを実行できると判断する。
【０４０６】
通信ポリシー設定部１６，２６，３６，４６，５６は、設定した通信ポリシーを実行できないと判断した場合には、異なる通信ポリシーを更に設定する。このとき、最初に設定した通信ポリシーを第１通信ポリシーといい、更に設定した通信ポリシーを第２通信ポリシーという。通信ポリシー設定部１６，２６，３６，４６，５６は、通信ポリシーの設定規則を用いて、第１通信ポリシーに基づいて第２通信ポリシーを設定する。
【０４０７】
具体的には、通信ポリシー設定部１６，２６，３６，４６，５６は、第１通信ポリシーが実行できない原因を解消した第２通信ポリシーを設定する。そして、通信ポリシー設定部１６，２６，３６，４６，５６は、実行可能な第２通信ポリシーを設定する。例えば、通信リソースが不足しているために第１通信ポリシーが実行できなかった場合には、通信ポリシー設定部１６，２６，３６，４６，５６は、第１通信ポリシーよりも少ない通信リソースで足りるような通信ポリシーを設定する。又、通信ポリシー設定部１６，２６，３６，４６，５６は、第１通信ポリシーの設定の際に要求されていた条件を可能な限り満たす第２通信ポリシーを設定する。例えば、通信ポリシー設定部１６，２６，３６，４６，５６は、通信料金の希望上限額、提供してもよい通信リソース、要求する品質、要求されるリアルタイム性などを満たす第２通信ポリシーを設定する。
【０４０８】
例えば、図１６に示した通信ポリシー４を実行するためには、通信リソース量が全通信リソース量の１０％必要であり、通信ポリシー５を実行するためには５％必要であり、通信ポリシー６を実行するためには２％必要であるとする。又、設定した通信ポリシーが通信ポリシー４であり、現在の使用通信リソース量が９３％であるとする。通信ポリシー設定部１６，２６，３６，４６，５６は、現在の空き通信リソース量７％と、通信ポリシー４の実行に必要な通信リソース量１０％を比較して、設定した通信ポリシーを実行できるか否かを判断する。
【０４０９】
通信ポリシー設定部１６，２６，３６，４６，５６は、通信ポリシー４を実行するために必要な通信リソース量を確保できず、通信ポリシー４を実行できないと判断する。そして、通信ポリシー設定部１６，２６，３６，４６，５６は、通信ポリシー４を第１通信ポリシーとする。更に、通信ポリシー設定部１６，２６，３６，４６，５６は、必要な通信リソース量が５％であり、現在の空き通信リソース量７％で実行できる通信ポリシー５を、第２通信ポリシーとして設定する。
【０４１０】
一方、通信ポリシー設定部１６，２６，３６，４６，５６が、設定した通信ポリシーを実行できると判断した場合には、通信ポリシーは最初に設定した１つだけとなる。尚、通信ポリシー設定部１６，２６，３６，４６，５６は、最初に設定した通信ポリシーを実行できると判断した場合であっても、最初に設定した通信ポリシーを第１通信ポリシーとし、更に、第２通信ポリシーを設定してもよい。この場合、第２通信ポリシーとして、第１通信ポリシーよりも、例えば、通信品質や要求されるリアルタイム性が低い通信ポリシーを設定してもよく、高い通信ポリシーを設定してもよい。又、通信ポリシー設定部１６，２６，３６，４６，５６は、設定した通信ポリシーを実行できないと判断した場合に、最初に設定した通信ポリシーの設定を解除し、新たに異なる通信ポリシーを１つ設定してもよい。即ち、通信ポリシー設定部１６，２６，３６，４６，５６は、通信ポリシーを設定しなおしてもよい。
【０４１１】
３．達成目標値の設定
次に、通信ポリシー設定部１６，２６，３６，４６，５６は、オブジェクト単位毎に、設定した通信ポリシーを達成する目標値（以下「達成目標値」という）を設定する。通信ポリシー設定部１６，２６，３６，４６，５６は、通信ポリシーの設定に用いる情報に基づいて達成目標値を設定する。例えば、通信ポリシー設定部１６，２６，３６，４６，５６は、通信リソースの状況、ネットワークの状況、処理サーバ６０、配信サーバ４０ａ，４０ｂ、中継装置５０、管理サーバ２０、無線通信装置１０ｃ，１０ｄ、端末装置３０ａ，３０ｂの付加状況、処理状況に基づいて、達成目標値を設定する。
【０４１２】
通信ポリシー設定部１６，２６，３６，４６，５６は、達成目標値を、具体的な数値で設定してもよく、割合で設定してもよい。例えば、通信ポリシー設定項目が通信速度であり、設定した通信ポリシーが２８．８ｋｂｐｓ以上６４ｋｂｐｓ未満の場合に、通信ポリシー設定部１６，２６，３６，４６，５６は、達成目標値を平均通信速度３０ｋｂｐｓ以上と設定できる。又、同様の場合に、通信ポリシー設定部１６，２６，３６，４６，５６は、達成目標値を、オブジェクト送信中に通信速度が設定した通信ポリシーを満たしている割合８０％以上と設定できる。
【０４１３】
又、通信ポリシー設定部１６，２６，３６，４６，５６は、選択した通信ポリシー設定条件に基づいて、達成目標値を設定する。具体的には、通信ポリシー設定部１６，２６，３６，４６，５６は、設定条件で優先すると定められた通信ポリシー設定項目の達成目標値を、優先度の低い通信ポリシー設定項目の達成目標値よりも高く設定する。又、通信ポリシー設定部１６，２６，３６，４６，５６は、設定条件で優先すると定められた通信ポリシー設定項目についてだけ達成目標値を設定してもよい。
【０４１４】
通信ポリシー設定部１６，２６，３６，４６，５６は、達成目標値の算出規則に基づいて、達成目標値を算出する。達成目標値の算出規則は、通信ポリシーの設定に用いる情報をパラメータとして定める。又、達成目標値の算出規則には、設定する達成目標値を求める関数（以下「目標値関数」という）がある。目標値関数は、通信ポリシーの設定に用いる情報がパラメータである関数である。例えば、目標値関数には、そのパラメータが輻輳の程度を表す輻輳度、要求されるリアルタイム性、通信ポリシー達成度、端末装置３０ａ，３０ｂの位置情報や移動速度である関数がある。通信ポリシー設定部１６，２６，３６，４６，５６は、算出した達成目標値を設定する。
【０４１５】
又、達成目標値の算出規則は予め定めておき、通信ポリシーデータベース１６ａ，２６ａ，３６ａ，４６ａ，５６ａが記憶する。又、設定条件制御部４６ｂ，５６ｂが、達成目標値の算出規則を制御してもよい。設定条件制御部４６ｂ，５６ｂは、監視情報に基づいて達成目標値の算出規則を制御する。尚、達成目標値は設定しなくてもよい。
【０４１６】
通信ポリシー設定情報には、このような通信ポリシーの設定や達成目標値の設定に用いる通信ポリシーの設定条件、通信ポリシーの設定規則、目標値関数がある。又、設定情報には、設定した通信ポリシー、具体的には、通信ポリシー設定項目とその設定内容、設定した達成目標値がある。
【０４１７】
通信ポリシー設定部１６，２６，３６，４６，５６は、このようにして通信ポリシー、達成目標値を設定した後、通信制御部１７，２７，３７ａ，３７ｂ，４７ａ，４７ｂ，５７、通信部１４ｄ，２４，３４ａ，４４ａ、５４、無線通信部１１ｄ，３１ａに設定情報を入力する。又、通信ポリシー設定部１６，２６，３６，４６，５６は、設定した通信ポリシー、達成目標値、決定したオブジェクト単位を、通信ポリシーデータベース１６ａ，２６ａ，３６ａ，４６ａ，５６ａに格納する。
【０４１８】
通信ポリシー設定部１６，２６，３６，４６，５６が、入力する設定情報には、少なくとも、ユーザＩＤと、コンテンツＩＤ又はサービスＩＤと、決定したオブジェクト単位と、通信ポリシー設定項目と、その設定内容と、設定した達成目標値とが含まれる。又、通信ポリシー設定部１６，２６，４６は、ユーザＩＤ、コンテンツＩＤ又はサービスＩＤに対応付けて、設定した通信ポリシー、設定した達成目標値、決定したオブジェクト単位を格納する。
【０４１９】
４．通信ポリシーの変更
通信システム１は、このようにして通信ポリシーを設定すると、提供情報や処理情報の送信を行う。例えば、図１７に示すように、通信システム１は、通信ポリシーを設定すると（１０１）、送信制御情報を決定し（１０２）、提供情報を送信する（１０４）。あるいは、通信システム１は、決定した送信制御情報に基づいて、提供情報、処理情報の送信に通信リソースを予め割り当てて、通信リソースを予約確保してから（１０３）、提供情報を送信する（１０４）。
【０４２０】
通信ポリシー設定部１６，２６，３６，４６，５６は、一度設定した通信ポリシーを、設定後の状況、例えば、提供情報や処理情報の送信の開始後の状況に応じて、再度設定し直して、変更することができる（１０１）。そして、通信システム１は、変更した通信ポリシーに基づいて、再度、送信制御情報を決定し（１０２）、通信リソースを予約確保し（１０３）、提供情報や処理情報を送信する（１０４）。尚、一度設定した通信ポリシーを変更せずに、提供情報の送信を続けてもよい。
【０４２１】
通信ポリシー設定部１６，２６，３６，４６，５６は、通信ポリシーの設定に用いる情報に基づいて、通信ポリシーを変更する。例えば、図１７に示すように、通信ポリシー設定部１６，２６，３６，４６，５６は、ネットワークの状況、通信リソースの状況、通信ポリシーの達成度、位置情報、時間情報、要求されるリアルタイム性に基づいて、通信ポリシーを変更する。通信ポリシー設定部１６，２６，３６，４６，５６は、最初に通信ポリシーを設定したときと同様にして、通信ポリシーの設定条件に従って、通信ポリシーの設定規則を用いて、新たな通信ポリシーを設定できる。
【０４２２】
具体的には、通信ポリシー設定項目がデータ品質や通信品質の場合に、一定の領域内の同時利用数が増加すると、通信ポリシー設定部１６，２６，３６，４６，５６は、データ品質や通信品質を低下させることができる。このとき、通信ポリシー設定部１６，２６，３６，４６，５６は、他の通信ポリシーの設定に用いる情報に基づいて、データ品質や通信品質を低下させることができる。例えば、通信ポリシー設定部１６，２６，３６，４６，５６は、通信料金、端末装置３０ａ，３０ｂの要求に応じて、データ品質や通信品質を低下させる程度を変えることができる。又、通信ポリシー設定部１６，２６，３６，４６，５６は、領域内の全ての端末装置３０ａ，３０ｂのデータ品質や通信品質を等しく低下させてもよい。
【０４２３】
又、通信ポリシー設定項目が通信スケジュールであり、特定した提供情報が特定の領域内でのみ送信する情報である場合に、通信ポリシー設定部１６，２６，３６，４６，５６は、提供情報のデータ品質、端末装置３０ａ，３０ｂの現在位置、移動速度、ネットワークのトラヒック、通信リソースの状況、通信ポリシーの達成度に基づいて、端末装置３０ａ、３０ｂが特定の領域内に存在する間に、提供情報の送信が完了するように、通信スケジュールを変更する。
【０４２４】
又、通信ポリシー設定項目が通信スケジュールであり、無線通信装置１０ｄが提供情報を中継して端末装置３０ａ，３０ｂに送信する場合に、通信ポリシー設定部１６，２６，３６，４６，５６は、提供情報のデータ品質、端末装置３０ａ，３０ｂと無線通信装置１０ｄとの相対速度、ネットワークのトラヒック、通信リソースの状況、通信ポリシーの達成度に基づいて、端末装置３０ａ、３０ｂが無線通信装置１０ｄと通信可能な間に、提供情報の送信を完了するように、通信スケジュールを変更する。尚、配信サーバ４０ａ，４０ｂ、処理サーバ６０の監視部４９ａ，４９ｄ，６９ａは、通信ポリシーを変更しても特定の領域内に存在する間や、通信可能な間に送信が完了できない場合には、端末装置３０ａ，３０ｂが領域外に移動したり、通信できなくなったりする前に、提供情報の送信を停止又は中断することを、端末装置３０ａ，３０ｂに対してアラーム等によって通知する。そして、通信部４４ａ，４４ｂ，６４が、その通知を端末装置３０ａ，３０ｂに送信する。
【０４２５】
又、通信ポリシー設定部１６，２６，３６，４６，５６は、通信品質や通信スケジュールの実際の状況に基づいて、通信ポリシーを変更できる。例えば、通信ポリシー設定部１６，２６，３６，４６，５６は、誤り率、再送率、到達度、欠損率、パケット破棄率、遅延時間に応じて、通信ポリシーを変更できる。又、通信品質の低下量や低下の割合（以下「低下度」という）の閾値を設定しておいてもよい。例えば、送信開始時の通信品質を基準値とし、その基準値からの低下量や、基準値に対する低下量の割合を低下度として設定できる。そして、通信ポリシー設定部１６，２６，３６，４６，５６は、実際の通信品質の低下量や低下度が閾値以下となるように、通信ポリシーを変更する。
【０４２６】
又、通信ポリシー設定項目の変化量や変化の割合（以下「変化度」という）の閾値を設定しておいてもよい。例えば、送信開始時の通信ポリシー設定項目の値を基準値とし、その基準値からの変化量や、基準値に対する変化量の割合を変化度として設定できる。そして、通信ポリシー設定部１６，２６，３６，４６，５６は、実際の通信ポリシー設定項目の変化量や変化度が閾値以下となるように、通信ポリシーを変更してもよい。
【０４２７】
又、通信ポリシー設定部１６，２６，３６，４６，５６は、提供情報や処理情報の送信の開始後の状況に応じて、発生している通信料金を推定する。例えば、通信ポリシーデータベース１６ａ，２６ａ，３６ａ，４６ａ，５６ａが、料金算出規則を記憶しておく。そして、通信ポリシー設定部１６，２６，３６，４６，５６は、取得した監視情報と料金算出規則に基づいて、発生している通信料金を推定する。通信ポリシー設定部１６，２６，３６，４６，５６は、推定した通信料金に基づいて、通信ポリシーを変更できる。例えば、通信ポリシー設定項目が通信料金と通信リソースの場合、通信ポリシー設定部１６，２６，３６，４６，５６は、通信料金の上限額と推定した通信料金を比較する。通信ポリシー設定部１６，２６，３６，４６，５６は、その比較結果に応じて、割り当てる通信リソース量を変化させることができる。
【０４２８】
又、空き通信リソース量が低下すると、通信リソースを確保するために高額な通信料金が必要になる場合がある。通信ポリシー設定項目が通信品質であり、通信ポリシーの設定条件が、通信料金が希望する上限額以下になることを優先して通信ポリシーを決定し、設定するという条件であるとする。この場合に、空き通信リソース量が低下すると、通信ポリシー設定部１６，２６，３６，４６，５６は、確保する通信リソース量を減らして通信料金が希望する上限額以下になるようにするために、通信品質を低下させる。
【０４２９】
一方、通信ポリシー設定項目が通信リソースであり、通信ポリシーの設定条件が、通信品質を優先して通信ポリシーを決定し、設定するという条件の場合に、空き通信リソース量が低下すると、通信ポリシー設定部１６，２６，３６，４６，５６は、通信品質を高く維持するために、たとえ通信料金が高くなったとしても、確保する通信リソース量を増加させる。
【０４３０】
又、最初に設定したが、実行できないと判断した第１通信ポリシーと、実行可能な通信ポリシーとして更に設定した第２通信ポリシーがある場合には、通信システム１は、まず、第２通信ポリシーに基づいて、提供情報や処理情報の送信を開始する。通信ポリシー設定部１６，２６，３６，４６，５６は、通信ポリシーの設定に用いる情報に基づいて、第２通信ポリシーから第１通信ポリシーに近づくように、通信ポリシーを変更する。通信ポリシー設定部１６，２６，３６，４６，５６は、可能な場合には、第１通信ポリシーに変更する。
【０４３１】
例えば、図１６に示した通信ポリシー４を実行するためには、通信リソース量が全通信リソース量の１０％必要であるとする。現在、使用通信リソース量が９３％であり、第１通信ポリシーとして通信ポリシー４が設定され、第２通信ポリシーとして通信ポリシー２が設定されているとする。通信ポリシー設定部１６，２６，３６，４６，５６は、空き通信リソース量が１０％以上発生した場合には、通信ポリシー４に変更する。
【０４３２】
又、通信ポリシー設定部１６，２６，３６，４６，５６は、通信ポリシーの達成目標値を変更してもよい。通信ポリシー設定部１６，２６，３６，４６，５６は、通信ポリシーの設定に用いる情報に基づいて、達成目標値を変更する。例えば、通信ポリシー設定部１６，２６，３６，４６，５６は、ネットワークの状況、通信リソースの状況、通信ポリシーの達成度に基づいて、達成目標値を再設定して変更する。通信ポリシー設定情報には、このような通信ポリシーの変更や達成目標値の変更に用いる通信ポリシーの設定条件、通信ポリシーの設定規則、目標値関数がある。
【０４３３】
通信ポリシー設定情報には、このような通信ポリシーの変更や達成目標値の変更に用いる通信ポリシーの設定条件、通信ポリシーの設定規則、目標値関数がある。又、設定情報には、設定し直して変更した通信ポリシー、具体的には、変更した通信ポリシー設定項目とその設定内容、設定し直して変更した達成目標値がある。
【０４３４】
通信ポリシー設定部１６，２６，３６，４６，５６は、このようにして通信ポリシー、達成目標値を変更した後、最初に通信ポリシーを設定した場合と同様にして、通信制御部１７，２７，３７ａ，３７ｂ，４７ａ，４７ｂ，５７、通信部１４ｄ，２４，３４ａ，４４ａ、５４、無線通信部１１ｄ，３１ａに設定情報を入力する。又、通信ポリシー設定部１６，２６，３６，４６，５６は、変更した通信ポリシー、達成目標値を、通信ポリシーデータベース１６ａ，２６ａ，３６ａ，４６ａ，５６ａに格納する。
【０４３５】
通信ポリシー設定部１６，２６，３６，４６，５６は、以上説明したようにして通信ポリシーを決定し、設定する。通信ポリシー設定部１６，２６，３６，４６，５６は、このような通信ポリシーの設定、即ち、オブジェクト単位の決定や通信ポリシーの設定、達成目標値の設定や通信ポリシーの変更を、単独で行ってもよく、相互に調整して行ってもよい。
【０４３６】
例えば、まず、通信ポリシーを決定し、設定する主体の通信ポリシー設定部が、通信ポリシーを設定する場合と同様に、通信ポリシーの設定条件に従って、通信ポリシーの設定規則を用いて、設定しようとする希望の通信ポリシーを決定する。そして、主体の通信ポリシー設定部が、他の通信ポリシー設定部に、希望の通信ポリシーを通知して、検討するように指示する。他の通信ポリシー設定部は、その通知内容を検討し、検討結果を主体の通信ポリシー設定部に通知する。例えば、他の通信ポリシー設定部は、通知された通信ポリシーを了承する回答、通知された通信ポリシーの希望修正内容などを検討結果として通知する。主体の通信ポリシー設定部は、取得した検討結果に基づいて、通信ポリシーを設定する。例えば、検討結果が了承する回答の場合には、希望の通信ポリシーをそのまま設定する。検討結果に希望修正内容が含まれていた場合には、その希望修正内容に基づいて修正を加えた通信ポリシーを設定する。
【０４３７】
又、通信ポリシーを決定し、設定する主体の通信ポリシー設定部が、他の第１の通信ポリシー設定部から、設定しようとする希望の通信ポリシーの通知を受ける。尚、第１の通信ポリシー設定部は、通信ポリシーを設定する場合と同様に、通信ポリシーの設定条件に従って、通信ポリシーの設定規則を用いて、希望の通信ポリシーを決定する。主体の通信ポリシー設定部は、希望の通信ポリシーの通知を、第１の通信ポリシー設定部以外の第２の通信ポリシー設定部に通知し、検討するように指示する。第２の通信ポリシー設定部は、その通知内容を検討し、検討結果を主体の通信ポリシー設定部に通知する。
【０４３８】
主体の通信ポリシー設定部は、取得した検討結果を、第１の通信ポリシー設定部に通知して、検討するように指示をする。第１の通信ポリシー設定部は、第２の通信ポリシー設定部の検討結果に基づいて、再度、通信ポリシーを検討する。第１の通信ポリシー設定部は、再検討した希望の通信ポリシーを、主体の通信ポリシー設定部に通知する。主体の通信ポリシー設定部は、第１の通信ポリシー設定部により再検討された通信ポリシーと、第２の通信ポリシー設定部からの検討結果に基づいて、通信ポリシーを設定する。
【０４３９】
そのため、通信ポリシー設定情報には、このような通知のように通信ポリシーの調整に用いる情報もある。尚、通信ポリシー設定部１６，２６，３６，４６，５６は、このようなやりとりを複数回繰り返してもよい。このように、複数の通信ポリシー設定部１６，２６，３６，４６，５６が、相互に通信ポリシーの調整を行うことにより、情報の送信側になる配信サーバ４０ａ，４０ｂ、中継装置５０、処理サーバ６０、管理サーバ２０、無線通信装置１０ｄの通信部４４ａ，４４ｂ，５４，６４，２４、無線通信部１１ｄと、情報の受信側になる端末装置３０ａ，３０ｂ、中継装置５０、管理サーバ２０、無線通信装置１０ｄの通信部４４ａ，４４ｂ，５４，２４、１４ｄ、無線通信部３１ａ，３１ｂは、より適切な通信ポリシーに従って、提供情報を送受信できる。
【０４４０】
（提供情報の送信方法）
１．送信制御情報の決定、変更
通信ポリシーが設定されると、通信制御部１７，２７，３７ａ，３７ｂ，４７ａ，４７ｂ，５７，６７は、設定された通信ポリシーに基づいて、オブジェクト単位毎に送信制御情報を決定する。又、通信ポリシーが変更されると、通信制御部１７，２７，３７ａ，３７ｂ，４７ａ，４７ｂ，５７，６７は、変更された通信ポリシーに基づいて、送信制御情報を再度決定し直して、変更する。
【０４４１】
送信制御情報には、提供情報や処理情報を送信する際の具体的な事項や数値が含まれる。例えば、送信制御情報には、送受信のタイミング、送信開始予定時刻や送信完了予定時刻、通信速度の変更のタイミング、送信順序などの通信スケジュール、送信順序の変更方法、送信の優先度、通信速度、使用する通信プロトコルや帯域、使用するセッションやコネクション、トンネル、予約確保する通信リソース量や予約確保するスケジュール、実際に使用する通信リソースやその量、再送方法、データの変換方法、同期のタイミングなどの同期制御方法、データの多重方法などが含まれる。尚、送信の優先度は、送信を完了させる優先度である。そのため、送信の優先度が高いほど、通信リソースが優先して割り当てられ、送信順序が早くなり、再送も優先して行われる。
【０４４２】
通信制御部１７，２７，３７ａ，３７ｂ，４７ａ，４７ｂ，５７は、設定された通信ポリシー、達成目標値、通信ポリシーの設定に用いる情報に基づいて、送信制御情報を決定する。通信制御部１７，２７，３７ａ，３７ｂ，４７ａ，４７ｂ，５７，６７は、設定情報から、設定された通信ポリシー、達成目標値を取得する。例えば、通信制御部１７，２７，３７ａ，３７ｂ，４７ａ，４７ｂ，５７，６７は、設定された通信ポリシーと、要求されるリアルタイム性、ネットワークの状況、通信リソースの状況、位置情報、通信ポリシーの達成度、通信料金、負荷状況、処理状況に基づいて、送信制御情報を決定する。又、例えば、通信制御部１７，２７，３７ａ，３７ｂ，４７ａ，４７ｂ，５７，６７は、設定された通信ポリシーと、端末装置３０ａ，３０ｂと無線通信装置１０ａ〜１０ｄの距離や相対速度、特定の領域に存在する無線通信装置１０ａ〜１０ｄの数、端末装置３０ａ，３０ｂと通信中の無線通信装置１０ａ〜１０ｄの数、同時利用数に基づいて、送信制御情報を決定する。
【０４４３】
通信制御部１７，２７，３７ａ，３７ｂ，４７ａ，４７ｂ，５７，６７は、設定された通信ポリシーを実行できるように送信制御情報を決定する。更に、通信制御部１７，２７，３７ａ，３７ｂ，４７ａ，４７ｂ，５７，６７は、設定された達成目標値を達成できるように送信制御情報を決定することが好ましい。
【０４４４】
例えば、通信制御部１７，２７，３７ａ，３７ｂ，４７ａ，４７ｂ，５７，６７は、設定された通信ポリシーを実行するために必要な通信リソース量を算出する。そして、通信制御部１７，２７，３７ａ，３７ｂ，４７ａ，４７ｂ，５７，６７は、送信制御情報として、算出した通信リソース量を予約確保する通信リソース量に決定する。又、通信制御部１７，２７，３７ａ，３７ｂ，４７ａ，４７ｂ，５７，６７は、通信ポリシーとして通信スケジュールが設定されている場合に、送信制御情報として、その通信スケジュールで提供情報の送信が実行できるように、送信に必要な通信リソースを予約確保するスケジュールを決定する。このとき、通信制御部１７，２７，３７ａ，３７ｂ，４７ａ，４７ｂ，５７，６７は、ネットワークの状況、通信リソースの状況、通信ポリシーの達成度、位置情報、時刻情報にも基づいて、予約確保するスケジュールを決定することが好ましい。
【０４４５】
又、通信制御部１７，２７，３７ａ，３７ｂ，４７ａ，４７ｂ，５７，６７は、まず、設定された通信ポリシーに基づいて、送信制御情報として、オブジェクトの送信の優先度を決定する。例えば、通信制御部１７，２７，３７ａ，３７ｂ，４７ａ，４７ｂ，５７，６７は、通信ポリシーとして要求されるリアルタイム性が設定されている場合、その要求されるリアルタイム性が高いほど、高い送信の優先度を決定する。尚、通信制御部１７，２７，３７ａ，３７ｂ，４７ａ，４７ｂ，５７，６７は、送信の優先度によって通信料金が変動する場合には、通信料金も考慮して送信の優先度を決定する。次に、通信制御部１７，２７，３７ａ，３７ｂ，４７ａ，４７ｂ，５７，６７は、決定した送信の優先度が高いオブジェクトほど、通信リソースを優先して割り当て、送信順序を早くし、再送を優先するような送信制御情報を決定する。よって、例えば、通信ポリシーとして要求されるリアルタイム性が設定されている場合には、通信制御部１７，２７，３７ａ，３７ｂ，４７ａ，４７ｂ，５７，６７は、送信の優先度を高くし、通信リソースを優先して割り当て、送信順序を早くするような送信制御情報を決定する。
【０４４６】
又、通信制御部１７，２７，３７ａ，３７ｂ，４７ａ，４７ｂ，５７，６７は、通信ポリシーとして設定されたセッションやトンネル、通信スケジュールに関する情報に基づいて、送信制御情報として、使用するセッションやトンネルを通信スケジュールとあわせて決定する。例えば、オブジェクトＡは、時刻Ｔ１から送信を開始し、時刻Ｔ２までは、セッション１、トンネル１を使用して送信し、時刻Ｔ２以降は、セッション２、トンネル２を使用して送信すると決定する。オブジェクトＢは、時刻Ｔ３から送信を開始し、セッション３及びトンネル３と、セッション４及びトンネル３を同時並行して送信すると決定する。
【０４４７】
又、例えば、通信ポリシーの設定内容が、「通信速度を１００ｋｂｐｓとする」というように具体的な数値の場合には、通信制御部１７，２７，３７ａ，３７ｂ，４７ａ，４７ｂ，５７，６７は、通信ポリシーの設定内容をそのまま送信制御情報として決定する。一方、通信ポリシーの設定内容が、「通信速度を２８．８ｋｂｐｓ以上６４ｋｂｐｓ未満とする」というような範囲で示されている場合には、通信制御部１７，２７，３７ａ，３７ｂ，４７ａ，４７ｂ，５７，６７は、設定された範囲の通信速度の値を、送信制御情報として決定する。このとき、通信制御部１７，２７，３７ａ，３７ｂ，４７ａ，４７ｂ，５７，６７は、設定された達成目標値を達成できるように、通信速度の値を決定する。例えば、達成目標値が「平均通信速度３０ｋｂｐｓ以上」の場合に、通信制御部１７，２７，３７ａ，３７ｂ，４７ａ，４７ｂ，５７，６７は、通信速度の値を達成目標値を上回る４５ｋｂｐｓに決定できる。又、通信ポリシーの設定内容が、図１５に示した通信ポリシー２のように、通信速度の決定規則の場合には、通信制御部１７，２７，３７ａ，３７ｂ，４７ａ，４７ｂ，５７，６７は、設定された通信速度の決定規則に従って求めた通信速度の値を、送信制御情報として決定する。
【０４４８】
又、通信ポリシーとして、通信料金ができるだけ低額になるようにという制約条件と、送信完了時刻が設定されている場合に、通信制御部１７，２７，３７ａ，３７ｂ，４７ａ，４７ｂ，５７，６７は、まず、使用通信リソース量、輻輳状況に基づいて、送信完了時刻に送信が完了するように、通信スケジュール、予約確保する通信リソース量、予約確保する通信リソースを、送信制御情報として決定する。そして、通信システム１は、決定した送信制御情報に従って、提供情報や処理情報の送信を開始する。
【０４４９】
その後、通信制御部１７，２７，３７ａ，３７ｂ，４７ａ，４７ｂ，５７，６７は、通信リソースの状況に基づいて、低料金の通信リソースが空くと、低料金の通信リソースに予約確保する通信リソースを切り替えるように、送信制御情報を変更する。又、通信スケジュールに余裕が生じた場合には、通信速度を小さくできる。そのため、この場合には、通信制御部１７，２７，３７ａ，３７ｂ，４７ａ，４７ｂ，５７，６７は、処理状況に基づいて、予約確保する通信リソース量を減らし、通信料金を抑えるように送信制御情報を変更する。又、通信制御部１７，２７，３７ａ，３７ｂ，４７ａ，４７ｂ，５７，６７は、予約確保している通信リソースの中で、低料金の通信リソースを実際に使用する通信リソースに決定するようにしてもよい。
【０４５０】
又、通信制御部１７，２７，３７ａ，３７ｂ，４７ａ，４７ｂ，５７，６７は、通信ポリシーの達成度が低い場合に、通信ポリシーの達成度が向上するように、送信制御情報を変更する。このとき、通信制御部１７，２７，３７ａ，３７ｂ，４７ａ，４７ｂ，５７，６７は、通信ポリシーの設定条件に基づいて、送信制御情報を変更してもよい。例えば、通信制御部１７，２７，３７ａ，３７ｂ，４７ａ，４７ｂ，５７，６７は、優先度の高い通信ポリシー設定項目の達成度を優先して向上できるように、送信制御情報を変更する。
【０４５１】
通信制御部１７，２７，３７ａ，３７ｂ，４７ａ，４７ｂ，５７，６７は、決定したオブジェクト単位毎の送信制御情報と、設定情報に含まれているユーザＩＤと、コンテンツＩＤ又はサービスＩＤとを対応付ける。
【０４５２】
２．通信リソースの確保
次に、通信制御部１７，２７，３７ａ，３７ｂ，４７ａ，４７ｂ，５７，６７が決定した送信制御情報に基づいて、リソース割当部２８ｂ，４８ｂ，４８ｃ，５８ｂ，６８が、提供情報、処理情報の送信に通信リソースを予め割り当てて、通信リソースを予約確保する。通信制御部１７，２７，４７ａ，４７ｂ，５７，６７は、送信制御情報として決定した予約確保する通信リソースを、予約確保する通信リソース量だけ、予約確保するスケジュールに従って、予約確保するように、リソース割当部２８ｂ，４８ｂ，４８ｃ，５８ｂ，６８に指示する。リソース割当部２８ｂ，４８ｂ，４８ｃ，５８ｂ，６８は、通信制御部１７，２７，４７ａ，４７ｂ，５７，６７の指示に従って、予約確保する通信リソースを、予約確保する通信リソース量だけ、予約確保するスケジュールに従って予約確保する。
【０４５３】
このとき、リソース割当部２８ｂ，４８ｂ，４８ｃ，５８ｂ，６８は、指示された通信リソース量を確保できない場合には、待機する。そして、リソース割当部２８ｂ，４８ｂ，４８ｃ，５８ｂ，６８は、通信リソースに空きが発生し、指示された通信リソース量を確保できるようになったら、通信リソースを予約確保する。あるいは、リソース割当部２８ｂ，４８ｂ，４８ｃ，５８ｂ，６８は、現在確保できる通信リソース量だけ、予約確保する。そして、リソース割当部２８ｂ，４８ｂ，４８ｃ，５８ｂ，６８は、通信リソースに空きが発生した際に、順次、残りの通信リソースを予約確保するようにしてもよい。
【０４５４】
次に、通信制御部１７，２７，４７ａ，４７ｂ，５７，６７は、送信制御情報として決定した実際に使用する通信リソースを、使用する通信リソース量だけ、提供情報、処理情報の送信に割り当てるように、リソース割当部２８ｂ，４８ｂ，４８ｃ，５８ｂ，６８に指示する。リソース割当部２８ｂ，４８ｂ，４８ｃ，５８ｂ，６８は、通信制御部１７，２７，４７ａ，４７ｂ，５７，６７の指示に従って、予約確保した通信リソースの中から、実際に使用する通信リソースを、使用する通信リソース量だけ、提供情報、処理情報の送信に割り当てる。
【０４５５】
又、通信制御部１７，２７，４７ａ，４７ｂ，５７，６７は、予約確保する通信リソースを切り替えるように、送信制御情報を変更した場合には、その切り替えをリソース割当部２８ｂ，４８ｂ，４８ｃ，５８ｂ，６８に指示する。リソース割当部２８ｂ，４８ｂ，４８ｃ，５８ｂ，６８は、通信制御部１７，２７，４７ａ，４７ｂ，５７，６７の指示に従って、予約確保していた通信リソースを解放し、新たに通信リソースを予約確保して、切り替えを行う。
【０４５６】
３．送信
通信システム１は、このように、送信制御情報を決定し、必要な通信リソースを予約確保し、使用する通信リソースの割り当てを行うと、提供情報、処理情報を送信する。
【０４５７】
図７、図８に示した配信サーバ４０ａ，４０ｂの通信制御部４７ａ，４７ｂは、送信制御情報に含まれる通信スケジュールと時間情報に基づいて、送信を開始しなければならない提供情報があるか否かを判断する。通信制御部４７ａ，４７ｂは、送信を開始しなければならない提供情報がある場合には、その送信制御情報と対応づけられているコンテンツＩＤを指定して、その提供情報を、通信部４４ａ，４４ｂ又は変換部４８ａに入力するように、提供情報提供部４１ａ，４１ｂに指示する。提供情報提供部４１ａ，４１ｂは、通信制御部４７ａ，４７ｂの指示に従って、指定されたコンテンツＩＤの提供情報を、提供情報データベース４２から取得して、通信部４４ａ，４４ｂ又は変換部４８ａに入力する。
【０４５８】
通信制御部４７ａ，４７ｂは、コンテンツＩＤと対応付けられている送信制御情報に基づいて、そのコンテンツＩＤの提供情報の送信について、通信部４４ａ，４４ｂ又は変換部４８ａを制御する。まず、通信部４４ａ，４４ｂは、通信制御部４７ａ，４７ｂの制御に従って、端末装置３０ａ，３０ｂとの間に通信路を確立する。変換部４８ａは、通信制御部４７ａ，４７ｂの制御に従って、提供情報をオブジェクト単位毎に変換し、通信部４４ａ，４４ｂに入力する。そして、通信部４４ａ，４４ｂが、通信制御部４７ａ，４７ｂの制御に従って、オブジェクト単位毎に、端末装置３０ａ，３０ｂに向けて提供情報を送信する。又、図１０に示した処理サーバ６０の通信部６４が、通信制御部６７の制御に従って、通信路を確立し、オブジェクト単位毎に、端末装置３０ａ，３０ｂに向けて処理情報を送信する。
【０４５９】
このとき、無線通信装置１０ｃ，１０ｄ、管理サーバ２０、中継装置５０が、提供情報を中継する場合、配信サーバ４０ａ，４０ｂが処理情報を中継する場合、処理サーバ６０が提供情報を中継する場合がある。これらの場合には、通信制御部１７，２７、５７，６７は、コンテンツＩＤやサービスＩＤと対応付けられている送信制御情報に基づいて、そのコンテンツＩＤやサービスＩＤの提供情報や処理情報の送信について、通信部１４ｄ，２４，５４，６４、無線通信部１１ｃ，１１ｄ、変換部１８，２８ａ，５８ａを制御する。
【０４６０】
そして、通信制御部１７，２７、４７ａ，４７ｂ，５７，６７の制御に従って、通信部１４ｄ，２４，４４ａ，４４ｂ，５４，６４、無線通信部１１ｃ，１１ｄが、通信路を確立し、オブジェクト単位毎に、端末装置３０ａ，３０ｂへの提供情報や処理情報を中継する。又、必要に応じて、変換部１８，２８ａ，５８ａが、通信制御部１７，２７，５７，６７の制御に従って、オブジェクト単位毎に提供情報を変換する。尚、通信部１４ｄ，２４，４４ａ，４４ｂ，５４，６４、無線通信部１１ｃ，１１ｄ，３１ａ，３１ｂは、例えば、コネクション、セッション、トンネルなどを介して、提供情報、処理情報を送信できる。
【０４６１】
尚、端末装置３０ａ，３０ｂが、無線情報として、提供情報の受信の準備の指示などを含む予告通知を受信していた場合には、端末装置３０ａ，３０ｂは、受信の準備が完了した際に、準備が完了したことを通知する準備完了通知を配信サーバ４０ａ，４０ｂに送信する。配信サーバ４０ａ，４０ｂは、準備完了通知を受信してから、提供情報の送信を開始する。
【０４６２】
以上説明したようにして、送信側から受信側に情報を送信する際の通信ポリシーをオブジェクト単位毎に設定し、設定した通信ポリシーに基づいて、情報の送信をオブジェクト単位毎に制御して、情報を送信する様子を、図１８に示す。図１８は、配信サーバ４０ａが中継装置５０を介して、端末装置３０ａに提供情報を送信する場合を示している。提供情報は、３つのオブジェクトＡ〜Ｃから構成される。オブジェクトＡ〜Ｃは、図１に示した経路２ｂと経路３ａを通って送信される。
【０４６３】
通信ポリシーは、送信側の配信サーバ４０ａと受信側の中継装置５０との区間と、送信側の中継装置５０と受信側の端末装置３０ａとの区間それぞれについて、オブジェクトＡ〜Ｃ毎に設定される。配信サーバ４０ａ、中継装置５０、端末装置３０ａは、３者の間で通信ポリシーを調整して、設定する。
【０４６４】
オブジェクトＡは、配信サーバ４０ａと中継装置５０との区間におけるオブジェクトＡについての通信ポリシー２０１ａに基づいて、配信サーバ４０ａにおいて、データ（Ａ１）から（Ａ２）の状態に変換される。そして、オブジェクトＡは、通信ポリシー２０１ａに基づいて、配信サーバ４０ａから中継装置５０に送信される。次に、オブジェクトＡは、中継装置５０と端末装置３０ａとの区間におけるオブジェクトＡについての通信ポリシー２０２ａに基づいて、中継装置５０において（Ａ２）から（Ａ３）の状態に変換される。そして、オブジェクトＡは、通信ポリシー２０２ａに基づいて、中継装置５０から端末装置３０ａに送信される。
【０４６５】
オブジェクトＢは、配信サーバ４０ａと中継装置５０との区間におけるオブジェクトＢについての通信ポリシー２０１ｂに基づいて、配信サーバ４０ａにおいて、（Ｂ１）から（Ｂ２）の状態に変換される。そして、オブジェクトＢは、通信ポリシー２０１ｂに基づいて、配信サーバ４０ａから中継装置５０に送信される。次に、オブジェクトＢは、中継装置５０と端末装置３０ａとの区間におけるオブジェクトＢについての通信ポリシー２０２ｂに基づいて、中継装置５０において（Ｂ２）から（Ｂ３）の状態に変換される。そして、オブジェクトＢは、通信ポリシー２０２ｂに基づいて、中継装置５０から端末装置３０ａに送信される。
【０４６６】
オブジェクトＣは、配信サーバ４０ａと中継装置５０との区間におけるオブジェクトＣについての通信ポリシー２０１ｃに基づいて、配信サーバ４０ａにおいて、（Ｃ１）から（Ｃ２）の状態に変換される。そして、オブジェクトＣは、通信ポリシー２０１ｃに基づいて、配信サーバ４０ａから中継装置５０に送信される。次に、オブジェクトＣは、中継装置５０と端末装置３０ａとの区間におけるオブジェクトＣについての通信ポリシー２０２ｃに基づいて、中継装置５０において（Ｃ２）から（Ｃ３）の状態に変換される。そして、オブジェクトＣは、通信ポリシー２０２ｃに基づいて、中継装置５０から端末装置３０ａに送信される。
【０４６７】
その結果、配信サーバ４０ａから端末装置３０ａに、複数のオブジェクトＡ〜Ｃを同時に並行して送信する場合であっても、複数のオブジェクトＡ〜Ｃを、それぞれに適した通信ポリシーで送信することができる。そして、端末装置３０ａでは、複数のオブジェクトＡ９ａ、オブジェクトＢ９ｂ、オブジェクトＣ９ｃを、それぞれに適した状態（Ａ３）、（Ｂ３）、（Ｃ３）で、出力部３８ｂに同時に出力することができる。
【０４６８】
〔通信料金の算出〕
提供情報の送受信に関する通信料金には、提供情報の使用にかかる提供情報使用料金、無線情報の使用にかかる無線情報使用料金、通信ポリシーの設定にかかる通信ポリシー設定料金、通信リソース使用料金、変換にかかる変換料金、情報の送信にかかる送信料金がある。そのため、通信料金は、提供情報使用料金、無線情報使用料金、通信ポリシー設定料金、通信リソース使用料金、変換料金、送信料金を合計して算出する。
【０４６９】
無線通信装置１０ａ〜１０ｄ、管理サーバ２０、端末装置３０ａ，３０ｂ、配信サーバ４０ａ，４０ｂ、中継装置５０、処理サーバ６０の間で発生する料金について、図１９を用いて、無線通信装置１０ｄ、管理サーバ２０、端末装置３０ａ、配信サーバ４０ａ、中継装置５０、処理サーバ６０を例にとって説明する。
【０４７０】
配信サーバ４０ａや処理サーバ６０と、端末装置３０ａとの間では、提供情報使用料金や処理料金（３０１ａ）、通信ポリシー設定料金（３０１ｂ）、通信リソース使用料金（３０１ｃ）、変換料金や送信料金（３０１ｄ）が発生する。配信サーバ４０ａや処理サーバ６０と、中継装置５０との間では、通信ポリシー設定料金（３０２ｂ）、通信リソース使用料金（３０２ｃ）、変換料金や送信料金（３０２ｄ）が発生する。又、配信サーバ４０ａや処理サーバ６０と、無線通信装置１０ｄとの間では、仲介料金（３０７）が発生する。無線通信装置１０ｄが、無線情報を送信することにより、提供情報や処理が端末装置３０ａに利用される。よって、無線通信装置１０ｄが、配信サーバ４０ａや処理サーバ６０による提供情報や処理の提供と、端末装置３０ａによる提供情報や処理の利用を仲介している。この仲介にかかる料金が仲介料金である。
【０４７１】
中継装置５０と端末装置３０ａとの間では、通信ポリシー設定料金（３０３ｂ）、通信リソース使用料金（３０３ｃ）、変換料金や送信料金（３０３ｄ）が発生する。中継装置５０と管理サーバ２０との間では、通信ポリシー設定料金（３０４ｂ）、通信リソース使用料金（３０４ｃ）、変換料金や送信料金（３０４ｄ）が発生する。
【０４７２】
管理サーバ２０と無線通信装置１０ｄとの間では、管理料金（３０５ａ）、通信ポリシー設定料金（３０５ｂ）、通信リソース使用料金（３０５ｃ）、変換料金や送信料金（３０５ｄ）が発生する。管理サーバ２０は、無線通信装置１０ｄに無線情報を提供している。更に、図２（ｃ）に示す無線通信装置１０ｃに対しては、管理サーバ２０は、無線情報の提供、無線情報ユーザの認証、無線情報の送信の制限なども行っている。このような管理サーバ２０が、無線通信装置１０ｃ，１０ｄに対して行う処理にかかる料金が管理料金である。
【０４７３】
無線通信装置１０ｄと端末装置３０ａとの間では、無線情報使用料金（３０６ａ）、通信ポリシー設定料金（３０６ｂ）、通信リソース使用料金（３０６ｃ）、変換料金や送信料金（３０６ｄ）が発生する。
【０４７４】
よって、例えば、配信サーバ４０ａや処理サーバ６０が、中継装置５０を介して端末装置３０ａに提供情報や処理情報を送信する場合には、提供情報使用料金や処理料金（３０１ａ）と、通信ポリシー設定料金（３０２ｂ，３０３ｂ）と、通信リソース使用料金（３０２ｃ，３０３ｃ）と、変換料金や送信料金（３０２ｄ，３０３ｄ）の合計が通信料金となる。
【０４７５】
これらの料金は、料金算出規則と算出情報に基づいて算出する。図２０に、通信品質とその保証方法を通信ポリシーとして設定する場合における通信ポリシー設定料金の料金算出規則の表を示す。設定した通信品質の項目と、その保証方法が交差するフィールドに記載された料金が、その通信品質をその保証方法で保証する場合の通信ポリシー設定料金となる。例えば、通信品質として通信速度を設定した場合に、保証方法としてギャランティモードを設定した場合には、通信ポリシー設定料金は「Ｔ」となり、ベストエフォートモードの上限値を規定するモードを設定した場合には、通信ポリシー設定料金は「Ｕ」となり、ベストエフォートモードの下限値を規定するモードを設定した場合には、通信ポリシー設定料金は「Ｖ」となり、ベストエフォートモードの上限値と下限値を規定するモードを設定した場合には、通信ポリシー設定料金は「Ｗ」となる。尚、複数の通信品質の項目を設定する場合には、各項目について求めた料金の合計が、通信ポリシー設定料金となる。このように、通信ポリシーの設定内容に応じて、通信ポリシー設定料金は変動する。他にも、通信ポリシー設定項目が要求されるリアルタイム性の場合には、要求されるリアルタイム性が高いほど通信ポリシー設定料金が高くなる料金算出規則を定めることができる。
【０４７６】
又、通信ポリシー設定料金は、通信ポリシーの達成度に応じて算出できる。例えば、通信ポリシーを完全に達成できた場合の通信ポリシー設定料金を、基本通信ポリシー設定料金として算出する。そして、通信ポリシー達成度を、通信ポリシーを達成できた割合で示している場合には、基本通信ポリシー設定料金に通信ポリシー達成度を乗算して、通信ポリシー設定料金を算出する。又、通信ポリシー達成度を、通信ポリシーを達成できなかった乖離割合で示している場合には、基本通信ポリシー設定料金に通信ポリシー達成度を乗算した金額を、基本通信ポリシー設定料金から減算して、通信ポリシー設定料金を算出する。料金算出規則として、このような通信ポリシーの達成度に応じて通信ポリシー設定料金を算出する規則を定めることができる。
【０４７７】
通信リソース使用料金には、通信リソースの予約確保により発生する予約料金と、通信リソースを実際に使用することにより発生する使用料金がある。予約料金は、予約料金の単価に、予約確保した通信リソース量を乗算して算出する。使用料金は、使用料金の単価に、実際に使用した通信リソース量を乗算して算出する。そして、通信リソース使用料金は、算出した予約料金と使用料金を合計することにより算出する。尚、予約料金の単価は、使用料金の単価よりも低額に設定できる。更に、通信リソースの使用料金の単価は、ネットワークのトラヒックの状況に応じて変動させることができる。例えば、輻輳状況のときには、トラヒック量が少ないときよりも、通信リソースの使用料金の単価を高く設定する。料金算出規則として、このような予約確保した通信リソース量や、実際に使用した通信リソース量に応じて通信リソース使用料金を算出する規則を定めることができる。
【０４７８】
料金算出規則には、各提供情報、処理、無線情報について、１回情報を受信した場合の料金や、１回処理を受けた場合の料金を定めた提供情報使用料金や処理料金、無線情報使用料金を算出する規則がある。又、料金算出規則には、提供情報や処理情報を構成するデータの種類やデータ量、送信する時間帯に応じて送信料金を算出する規則がある。又、料金算出規則には、変換方法や変換するデータ量に応じて変換料金を算出する規則がある。
【０４７９】
更に、料金算出規則には、定額制、従量制、定額制と従量制の混合などについての規則も含まれる。定額制についての規則には、通信料金や処理料金と、その料金で設定可能な通信ポリシーの設定項目や設定内容、利用可能な提供情報や無線情報、処理などが規定されている。従量制についての規則には、算出に用いる通信ポリシー設定料金や通信リソース使用料金の料金算出規則などが規定されている。両者の混合についての規則には、定額で利用できる内容と、従量制で算出される内容などが規定されている。
【０４８０】
算出情報には、特定結果、設定情報、監視情報、送信制御情報、端末情報などがある。例えば、特定結果は、提供情報使用料金、処理料金、無線情報使用料金の算出に用いられる。設定情報、通信ポリシーの達成度は、通信ポリシー設定料金の算出に用いられる。使用通信リソース量やネットワークの状況などの監視情報は、通信リソース使用料金の算出に用いられる。送信制御情報は、変換料金や送信料金の算出に用いられる。契約内容などの端末情報は、定額制、従量制、両者の混合のいずれかであるかの判断や、用いる料金算出規則の判断に用いられる。
【０４８１】
〈通信方法〉
次に、図１に示した通信システム１を用いた通信方法について説明する。図２１に、無線通信装置１０ａと、端末装置３０ａと、中継装置５０と、配信サーバ４０ａとの間で行われる通信方法の手順を示す。まず、無線通信装置１０ａが、無線情報を端末装置３０ａに送信する（Ｓ１０１）。端末装置３０ａは、無線情報を受信すると、中継装置５０に回線接続を要求する（Ｓ１０２）。中継装置５０は、要求に応じて、回線接続応答を端末装置３０ａに送信する（Ｓ１０３）。これにより、端末装置３０ａと中継装置５０との間の回線が接続される。
【０４８２】
回線が接続されると、端末装置３０ａは、特定情報を、中継装置５０を介して配信サーバ４０ａに送信する。特定情報には、提供情報に関する情報の要求と、ユーザＩＤ、パスワードが含まれる（Ｓ１０４）。配信サーバ４０ａでは、特定情報に含まれるユーザＩＤとパスワードと、ユーザ情報データベース４３に記憶された提供情報ユーザのユーザＩＤとパスワードと一致するかを判断して、認証を行う（Ｓ１０５）。配信サーバ４０ａは、ユーザＩＤとパスワードが一致する場合には、提供情報ユーザであると判断する。そして、配信サーバ４０ａは、特定情報を、中継装置５０を介して端末装置３０ａに送信する。特定情報には、提供情報に関する情報が含まれる。このようにして、配信サーバ４０ａは、提供情報に関する情報を端末装置３０ａに提供する（Ｓ１０６）
端末装置３０ａは、配信サーバ４０ａから提供された提供情報に関する情報と、その他の提供情報の特定に用いる情報に基づいて、提供情報を特定する（Ｓ１０７）。次に、端末装置３０ａは、ステップ（Ｓ１０６）における特定結果と、その他の通信ポリシーの設定に用いる情報に基づいて、オブジェクト単位毎に希望する通信ポリシーを決定する。端末装置３０ａは、通信ポリシーを設定する場合と同様に、通信ポリシーの設定条件に従って、通信ポリシーの設定規則を用いて、希望の通信ポリシーを決定する（Ｓ１０８）。
【０４８３】
そして、端末装置３０ａは、提供情報の送信の要求と、通信ポリシー設定情報を中継装置５０に送信する。通信ポリシー設定情報には、決定した希望の通信ポリシーが含まれる。これにより、中継装置５０に、端末装置３０ａが希望する通信ポリシーが通知される（Ｓ１０９）。中継装置５０は、端末装置３０ａから受信した提供情報の送信の要求と、通信ポリシー設定情報を配信サーバ４０ａに送信する。通信ポリシー設定情報には、端末装置３０ａが希望する通信ポリシーと、その検討の指示が含まれる。これにより、配信サーバ４０ａに、端末装置３０ａが希望する通信ポリシーが通知される（Ｓ１１０）。
【０４８４】
配信サーバ４０ａは、通知された端末装置３０ａが希望する通信ポリシーを検討する（Ｓ１１１）。配信サーバ４０ａは、検討結果を含む通信ポリシー設定情報を中継装置５０に送信する。これにより、中継装置５０に配信サーバ４０ａによる検討結果が通知される（Ｓ１１２）。中継装置５０は、通知された検討結果と、その検討の指示を含む通信ポリシー設定情報を、端末装置３０ａに送信する。これにより、端末装置３０ａに配信サーバ４０ａによる検討結果が通知される（Ｓ１１３）。
【０４８５】
端末装置３０ａは、配信サーバ４０ａによる検討結果に基づいて、再度、通信ポリシーを検討する（Ｓ１１４）。端末装置３０ａは、再検討により決定した希望の通信ポリシーを含む通信ポリシー設定情報を、中継装置５０に送信する。これにより、端末装置３０ａによる再検討結果が中継装置５０に通知される（Ｓ１１５）。
【０４８６】
中継装置５０が、最終的に、端末装置３０ａによる再検討結果と、配信サーバ４０ａによる検討結果に基づいて、中継装置５０と端末装置３０ａとの間の通信ポリシーと、中継装置５０と配信サーバ４０ａとの間の通信ポリシーを、オブジェクト単位毎に設定する（Ｓ１１６）。中継装置５０は、設定した通信ポリシーを含む設定情報を、配信サーバ４０ａに送信する（Ｓ１１７）。
【０４８７】
中継装置５０は、設定した通信ポリシーに基づいて、中継装置５０から端末装置３０ａに提供情報を送信するための送信制御情報を、オブジェクト単位毎に決定する（Ｓ１１８）。配信サーバ４０ａは、設定した通信ポリシーに基づいて、配信サーバ４０ａから中継装置５０に提供情報を送信するための送信制御情報を、オブジェクト単位毎に決定する（Ｓ１１９）。中継装置５０は、決定した送信制御情報に基づいて、中継装置５０と端末装置３０ａとの間の通信リソースを予約確保する（Ｓ１２０）。配信サーバ４０ａは、決定した送信制御情報に基づいて、配信サーバ４０ａと中継装置５０との間の通信リソースを予約確保する（Ｓ１２１）。
【０４８８】
中継装置５０と端末装置３０ａは、両者の間に通信路を確立する（Ｓ１２２）。配信サーバ４０ａと中継装置５０も、両者の間に通信路を確立する（Ｓ１２３）。そして、配信サーバ４０ａが、送信制御情報に基づいて、提供情報をオブジェクト単位毎に変換する（Ｓ１２４）。配信サーバ４０ａは、送信制御情報に基づいて、変換した提供情報をオブジェクト単位毎に中継装置５０に送信する（Ｓ１２５）。中継装置５０は、配信サーバ４０ａから受信した提供情報を、送信制御情報に基づいてオブジェクト単位毎に変換する（Ｓ１２６）。中継装置５０は、送信制御情報に基づいて、変換した提供情報をオブジェクト単位毎に端末装置３０ａに送信する（Ｓ１２７）。
【０４８９】
端末装置３０ａは、提供情報をオブジェクト単位毎に受信する。そして、端末装置３０ａは、提供情報を正常に受信できたことを確認し、中継装置５０に受信確認応答を送信する（Ｓ１２８）。中継装置５０は、端末装置３０ａからの受信確認応答を配信サーバ４０ａに転送する（Ｓ１２９）。中継装置５０、配信サーバ４０ａは、端末装置３０ａからの受信確認応答を受信することにより、送信の完了を確認できる。
【０４９０】
〈効果〉
このような通信システム１、無線通信装置１０ａ〜１０ｄ、管理サーバ２０、端末装置３０ａ，３０ｂ、配信サーバ４０ａ，４０ｂ、中継装置５０、処理サーバ６０によれば、無線通信装置１０ａ〜１０ｄの無線通信部１１ａ〜１１ｄが、近距離無線により無線情報を送信する。端末装置３０ａ，３０ｂの無線通信部３１ａ，３１ｂが、その無線情報を受信する。無線通信装置１０ａ〜１０ｄ、管理サーバ２０、端末装置３０ａ、配信サーバ４０ａいずれかの提供情報特定部１５，２５，３５，４５ａが、受信した無線情報に基づいて、提供情報を特定する。そして、配信サーバ４０ａ，４０ｂの通信部４４ａ，４４ｂが、特定した提供情報を送信し、端末装置３０ａ，３０ｂの通信部３４ａ，３４ｂ又は無線通信部３１ａ，３１ｂが、その提供情報を受信する。そのため、提供情報を利用する端末装置３０ａ，３０ｂのユーザは、ユーザに適した情報を容易に取得できる。
【０４９１】
更に、無線通信装置１０ｄ、管理サーバ２０、端末装置３０ａ、配信サーバ４０ａ、中継装置５０の通信ポリシー設定部１６，２６，３６，４６，５６が、配信サーバ４０ａ，４０ｂの通信部４４ａ，４４ｂや処理サーバ６０の通信部６４から、端末装置３０ａ，３０ｂの通信部３４ａ，３４ｂ又は無線通信部３１ａ，３１ｂに提供情報や処理情報を送信する際の通信ポリシーを、オブジェクト単位毎に決定し、設定する。そして、無線通信装置１０ｄ、管理サーバ２０、配信サーバ４０ａ，４０ｂ、中継装置５０、処理サーバ６０の通信制御部１７，２７，４７ａ，４７ｂ，５７，６７が、設定された通信ポリシーに基づいて、提供情報や処理情報の送信をオブジェクト単位毎に制御する。そのため、通信システム１は、情報の送信側になる配信サーバ４０ａ，４０ｂ、中継装置５０、処理サーバ６０、管理サーバ２０、無線通信装置１０ｃ，１０ｄの通信部４４ａ，４４ｂ，５４，６４，２４、無線通信部１１ｃ，１１ｄや、情報の受信側になる端末装置３０ａ，３０ｂ、中継装置５０、管理サーバ２０、無線通信装置１０ｃ，１０ｄの通信部４４ａ，４４ｂ，５４，２４、１４ｃ，１４ｄ、無線通信部３１ａ，３１ｂが望む情報の単位毎に適した取り決めに従って、提供情報や処理情報を送受信できる。
【０４９２】
更に、提供情報特定部１５，２５，３５，４５ａは、無線情報だけでなく、その他の様々な情報に基づいて、提供情報を特定することができる。そのため、端末装置３０ａ，３０ｂのユーザは、よりユーザに適した提供情報を取得することができる。又、通信ポリシー設定部１６，２６，３６，４６，５６は、様々な情報に基づいて、通信ポリシーを決定し、設定することができる。そのため、情報の送信側になる配信サーバ４０ａ，４０ｂ、中継装置５０、処理サーバ６０、管理サーバ２０、無線通信装置１０ｃ，１０ｄの通信部４４ａ，４４ｂ，５４，６４，２４、無線通信部１１ｃ，１１ｄと、情報の受信側になる端末装置３０ａ，３０ｂ、中継装置５０、管理サーバ２０、無線通信装置１０ｃ，１０ｄの通信部４４ａ，４４ｂ，５４，２４、１４ｃ，１４ｄ、無線通信部３１ａ，３１ｂは、より適切な通信ポリシーに従って、提供情報や処理情報を送受信できる。
【０４９３】
更に、通信システム１は、配信サーバ４０ａ，４０ｂや処理サーバ６０の通信部４４ａ，４４ｂ，通信部６４から、端末装置３０ａ，３０ｂの通信部３４ａ，３４ｂ又は無線通信部３１ａ，３１ｂへの提供情報や処理情報の送信を中継する中継装置５０、管理サーバ２０の通信部５４，２４や、無線通信装置１０ｃ，１０ｄの通信部１４ｃ，１４ｄと無線通信部１１ｃ，１１ｄを備える。そのため、配信サーバ４０ａ，４０ｂや処理サーバ６０の通信部４４ａ，４４ｂ，６４は、中継装置５０、管理サーバ２０の通信部５４，２４や、無線通信装置１０ｃ，１０ｄの通信部１４ｃ，１４ｄと無線通信部１１ｃ，１１ｄを介して、提供情報を端末装置３０ａ，３０ｂの通信部３４ａ，３４ｂ又は無線通信部３１ａ，３１ｂに送信できる。
【０４９４】
しかも、通信ポリシー設定部１６，２６，３６，４６，５６は、提供情報や処理情報を、配信サーバ４０ａ，４０ｂや処理サーバ６０の通信部４４ａ，４４ｂ，６４から、中継装置５０、管理サーバ２０の通信部５４，２４に送信する際の通信ポリシーと、提供情報や処理情報を、中継装置５０の通信部５４や無線通信装置１０ｃ，１０ｄの無線通信部１１ｃ，１１ｄから、端末装置３０ａ，３０ｂの通信部３４ａ，３４ｂ又は無線通信部３１ａ，３１ｂに送信する際の通信ポリシーと、提供情報や処理情報を、中継装置５０の通信部５４から管理サーバ２０の通信部４に送信する際の通信ポリシーや、管理サーバ２０の通信部２４から無線通信装置１０ｃ，１０ｄの通信部１４ｃ，１４ｄに送信する際の通信ポリシーをそれぞれ設定する。そのため、配信サーバ４０ａ，４０ｂ、処理サーバ６０、中継装置５０、管理サーバ２０、無線通信装置１０ｃ，１０ｄ、端末装置３０ａ，３０ｂの通信部４４ａ，４４ｂ，６４，５４，２４，１４ｃ，１４ｄ、無線通信部１１ｃ，１１ｄは、それぞれに適した通信ポリシーに従って、提供情報や処理情報の送受信ができる。
【０４９５】
更に、通信システム１、管理サーバ２０、配信サーバ４０ａ，４０ｂ、中継装置５０、処理サーバ６０は、リソース割当部２８ｂ，４８ｂ，４８ｃ，５８ｂ，６８を備える。そのため、情報の送信側になる配信サーバ４０ａ，４０ｂ、中継装置５０、処理サーバ６０、管理サーバ２０、無線通信装置１０ｃ，１０ｄの通信部４４ａ，４４ｂ，５４，６４，２４、無線通信部１１ｃ，１１ｄは、通信ポリシーを実現するために必要な通信リソースを予め確保してから、提供情報や処理情報を送信することができる。又、通信システム１、無線通信装置１０ｄ、管理サーバ２０、配信サーバ４０ａ，４０ｂ、中継装置５０は、変換部１８，２８ａ，４８ａ，５８ａを備える。そのため、通信システム１、無線通信装置１０ｄ、管理サーバ２０、配信サーバ４０ａ，４０ｂ、中継装置５０は、通信ポリシーを実現するために必要な提供情報の変換を行うことができる。
【０４９６】
又、通信システム１、無線通信装置１０ｄ、管理サーバ２０、端末装置３０ａ，配信サーバ４０ａ，４０ｂ、中継装置５０、処理サーバ６０は、監視部１９ａ，２９ａ，３９ａ，４９ａ，４９ｄ，５９ａ，６９ａを備える。そのため、通信システム１、無線通信装置１０ｄ、管理サーバ２０、端末装置３０ａ，配信サーバ４０ａ，４０ｂ、中継装置５０、処理サーバ６０は、ネットワークの状況や通信リソースの状況、配信サーバ４０ａ，４０ｂ、処理サーバ６０、中継装置５０、管理サーバ２０、無線通信装置１０ｄ、端末装置３０ａ，３０ｂの処理状況や負荷状況、通信ポリシーの達成度、通信品質やデータ品質、通信スケジュールの実際の状況などを把握できる。そして、通信システム１、無線通信装置１０ｄ、管理サーバ２０、端末装置３０ａ，配信サーバ４０ａ，４０ｂ、中継装置５０は、取得したこれらの情報に基づいて、提供情報や処理情報の特定や通信ポリシーの設定、提供情報や無線情報の送信の制限などを行うことができる。
【０４９７】
更に、通信システム１、処理サーバ６０は、処理部６２を備えることにより、提供情報に、それを利用するための処理を付加できる。又、通信システム１、課金サーバ７０は、課金部７２を備えることにより、提供情報の送受信に関する通信料金や処理料金を課金できる。
【０４９８】
［第２の実施の形態］
〔無線通信装置〕
次に、図１に示した通信システム１において、無線通信装置同士が通信を行う場合について説明する。図２２、図２３に示すように、無線通信装置２１０ａ，２１０ｂ同士は通信できる。任意の無線通信装置２１０ａ，２１０ｂ同士が通信してもよく、複数の無線通信装置２１０ａ，２１０ｂがタググループを形成し、同一のタググループに属する無線通信装置２１０ａ，２１０ｂ同士が通信してもよい。
【０４９９】
図２２に示すように、無線通信装置２１０ａは、無線通信部２１１ａと、無線情報記憶部１２と、無線情報提供部２１２ａと、ユーザ情報データベース２１３と、共有情報制御部２１４ａとを備える。無線情報記憶部１２は、図２（ａ）に示した無線情報記憶部１２と同様である。
【０５００】
ユーザ情報データベース２１３は、端末情報を記憶する。ユーザ情報データベース２１３が記憶する端末情報には、無線通信部２１１ａによる無線情報の送信に関する情報（以下「送信情報」という）が含まれる。送信情報には、無線通信部２１１ａが端末装置３０ａ，３０ｂに送信した無線情報に関する情報（以下「送信済み情報」という）と、その無線情報を送信した宛先の端末装置３０ａ，３０ｂのユーザＩＤが含まれる。送信済み情報には、無線通信装置２１０ａ自身の無線通信部２１１ａが送信した自装置送信済み情報と、他の無線通信装置２１０ａの無線通信部２１１ａが送信した他装置送信済み情報がある。ユーザ情報データベース２１３は、図２（ｂ）に示したユーザ情報データベース１３と同様に、ユーザＩＤに対応付けて、その他の端末情報を記憶する。そのため、ユーザ情報データベース２１３は、無線情報を送信した端末装置３０ａ，３０ｂのユーザＩＤに、自装置送信済み情報と他装置送信済み情報を対応付けて記憶することにより、送信情報を記憶する。
【０５０１】
ユーザ情報データベース２１３が記憶する端末情報には、端末装置３０ａ，３０ｂに送信する無線情報に関する情報（以下「送信予定情報」という）が含まれる。送信予定情報には、端末装置３０ａ，３０ｂに送信する無線情報の送信順番、端末装置３０ａ，３０ｂに対する無線情報の推奨の程度（以下「推奨度」という）などがある。ユーザ情報データベース２１３は、送信予定情報も、ユーザＩＤに対応付けて記憶する。
【０５０２】
無線通信部２１１ａは、他の無線通信装置２１０ａと近距離無線により通信する。無線通信部２１１ａは、他の無線通信装置から送信情報を受信する。無線通信部２１１ａは、受信した送信情報を共有情報制御部２１４ａに入力する。又、無線通信部２１１ａは、共有情報制御部２１４ａから、他の無線通信装置２１０ａに送信する送信情報を取得する。無線通信部２１１ａは、取得した送信情報を他の無線通信装置２１０ａに送信する。無線通信部２１１ａは、送信情報を複数の無線通信装置２１０ａに同報送信してもよい。無線通信部２１１ａは、任意の無線通信装置２１０ａに同報送信してもよく、タググループに属する無線通信装置２１０ａにのみ同報送信してもよい。これらの点以外は、無線通信部２１１ａは、図２（ｂ）に示した無線通信部１１ｂと同様である。
【０５０３】
共有情報制御部２１４ａは、無線通信装置２１０ａ間で共有する情報に関する制御を行う。共有情報制御部２１４ａは、ユーザ情報データベース２１３から、ユーザＩＤと、それに対応付けられた自装置送信済み情報を取得する。共有情報制御部２１４ａは、取得したユーザＩＤと自装置送信済み情報とを対応付けて、他の無線通信装置２１０ａに送信する送信情報を生成する。共有情報制御部２１４ａは、生成した送信情報を無線通信部２１１ａに入力する。共有情報制御部２１４ａは、他の無線通信装置２１０ａから送信情報の要求を受けたときや、無線情報通信部２１１ａが無線情報を送信したときに、送信情報を生成する。又、共有情報制御部２１４ａは、定期的に又はランダムに送信情報を生成してもよい。
【０５０４】
又、共有情報制御部２１４ａは、無線通信部２１１ａから、他の無線通信装置２１０ａから受信した送信情報を取得する。共有情報制御部２１４ａは、取得した送信情報に含まれるユーザＩＤと、送信元の無線通信装置の自装置送信済み情報を取得する。共有情報制御部２１４ａは、取得した送信元の無線通信装置２１０ａの自装置送信済み情報を、他装置送信済み情報として、ユーザＩＤに対応付けて、ユーザ情報データベース２１３に格納する。
【０５０５】
更に、共有情報制御部２１４ａは、端末装置３０ａ，３０ｂ毎に送信予定情報を決定する。共有情報制御部２１４ａは、送信情報、その他の端末情報に基づいて、端末装置３０ａ，３０毎に、無線情報の送信順番や推奨度を決定する。共有情報制御部２１４ａは、端末装置３０ａ，３０ｂに既に無線通信装置２１０ａ自身や他の無線通信装置２１０ａが送信した送信済みの無線情報の送信順序を、未送信の無線情報よりも遅くし、未送信の無線情報の送信順序を送信済みの無線情報よりも早くする。又、共有情報制御部２１４ａは、送信済みの無線情報の推奨度を未送信の無線情報よりも低くし、未送信の無線情報の推奨度を送信済みの無線情報よりも高くする。これにより、同一の端末装置３０ａ，３０ｂに、同一の無線情報が重複して送信されることを防止でき、効率的に無線情報を送信できる。
【０５０６】
共有情報制御部２１４ａは、決定した無線情報の送信順番や推奨度を、送信予定情報として、ユーザＩＤに対応付けて、ユーザ情報データベース２１３に格納する。共有情報制御部２１４ａは、他の無線通信装置２１０ａからの送信情報を取得したときや、無線情報通信部２１１ａが無線情報を送信したときに、送信予定情報を決定する。又、共有情報制御部２１４ａは、定期的に又はランダムに送信予定情報を決定してもよい。
【０５０７】
無線情報提供部２１２ａは、無線通信部２１１ａから、端末装置３０ａ，３０ｂから受信した無線情報の送信の要求や、ユーザＩＤやパスワードの要求に対する応答を取得する。無線情報提供部２１２ａは、要求や応答に含まれるユーザＩＤに基づいて、ユーザ情報データベース２１３を検索する。そして、無線情報提供部２１２ａは、ユーザＩＤに対応付けられている送信予定情報を取得する。無線情報提供部２１２ａは、取得した送信予定情報に基づいて、無線情報記憶部１２を検索し、無線情報を取得する。例えば、無線情報提供部２１２ａは、送信順序が早い無線情報や推奨度が高い無線情報を優先して、無線情報記憶部１２から取得する。無線情報提供部２１２ａは、取得した無線情報を無線通信部２１１ａに入力する。これらの点以外は、無線情報提供部２１２ａは、図２（ｂ）に示した無線情報提供部１２ｂと同様である。
【０５０８】
又、図２３に示すように、無線通信装置２１０ｂは、無線通信部２１１ｂと、無線情報記憶部１２と、無線情報提供部２１２ｂと、ユーザ情報データベース２１３と、共有情報制御部２１４ｂと、通信部１４ｄと、提供情報特定部１５と、通信ポリシー設定部２１６と、通信ポリシーデータベース１６ａと、通信制御部２１７と、変換部１８と、監視部１９ａと、時計部１９ｂと、無線装置情報記憶部１９ｃと、測定部１９ｄとを備える。無線情報記憶部１２と、通信部１４ｄと、提供情報特定部１５と、通信ポリシーデータベース１６ａと、変換部１８と、監視部１９ａと、時計部１９ｂと、無線装置情報記憶部１９ｃと、測定部１９ｄとは、図３と同様であるため、同一の符号を付して説明を省略する。又、ユーザ情報データベース２１３、無線情報提供部２１２ｂ、共有情報制御部２１４ｂは、図２２に示したユーザ情報データベース２１３、無線情報提供部２１２ａ、共有情報制御部２１４ａと同様である。
【０５０９】
無線通信部２１１ｂは、他の無線通信装置２１０ｂと近距離無線により通信する。無線通信部２１１ｂは、他の無線通信装置２１０ｂから送信情報、通信ポリシー設定情報、設定情報、中継の引継に関する情報（以下「引継情報」という）を受信する。無線通信部２１１ｂは、受信した送信情報を共有情報制御部２１４ｂに入力する。無線通信部２１１ｂは、受信した通信ポリシー設定情報、設定情報を通信ポリシー設定部２１６に入力する。無線通信部２１１ｂは、受信した引継情報を通信制御部２１７に入力する。
【０５１０】
又、無線通信部２１１ｂは、共有情報制御部２１４ｂから、他の無線通信装置２１０ｂに送信する送信情報を取得する。又、無線通信部２１１ｂは、通信ポリシー設定部２１６から、他の無線通信装置２１０ｂに送信する通信ポリシー設定情報、設定情報を取得する。又、無線通信部２１１ｂは、通信制御部２１７から、他の無線通信装置２１０ｂに送信する引継情報を取得する。無線通信部２１１ｂは、取得した送信情報、通信ポリシー設定情報、設定情報、引継情報を他の無線通信装置２１０ｂに送信する。無線通信部２１１ｂは、送信情報、通信ポリシー設定情報、設定情報、引継情報を複数の無線通信装置２１０ｂに同報送信してもよい。無線通信部２１１ｂは、任意の無線通信装置２１０ｂに同報送信してもよく、タググループに属する無線通信装置２１０ｂにのみ同報送信してもよい。これらの点以外は、無線通信部２１１ｂは、図３に示した無線通信部１１ｄと同様である。
【０５１１】
通信ポリシー設定部２１６は、無線通信部２１１ｂが他の無線通信装置２１０ｂから受信した通信ポリシー設定情報、設定情報を取得する。又、通信ポリシー設定部２１６は、他の無線通信装置２１０に送信する通信ポリシー設定情報、設定情報を、無線通信部２１１ｂに入力する。
【０５１２】
通信ポリシー設定部２１６は、他の無線通信装置２１０ｂの通信ポリシー設定情報、設定情報に基づいて、通信ポリシーを決定し、設定できる。例えば、通信ポリシー設定部２１６は、他の無線通信装置２１０ｂの設定情報に基づいて、通信ポリシー、達成目標値を設定する。具体的には、通信ポリシー設定部２１６は、他の無線通信装置２１０ｂの設定情報に含まれるユーザＩＤ、コンテンツＩＤ又はサービスＩＤに対応付けられたオブジェクト単位、通信ポリシー設定項目、その設定内容、設定した達成目標値を、そのまま、同じユーザＩＤの端末装置３０ａ，３０ｂに、同じコンテンツＩＤやサービスＩＤの提供情報、処理情報を送信する場合のオブジェクト単位、通信ポリシー設定項目、その設定内容、達成目標値に設定する。又、通信ポリシー設定部２１６は、他の無線通信装置２１０ｂの設定情報を基本にし、通信ポリシーの設定に用いる情報に基づいて、通信ポリシー、達成目標値を設定する。
【０５１３】
又、複数の無線通信装置２１０ｂがタググループを形成している場合、通信ポリシー設定部２１６は、タググループにおける推奨通信ポリシーを決定できる。例えば、通信ポリシー設定部２１６は、タググループに属する他の無線通信装置２１０ｂの通信ポリシー設定情報、設定情報と、その他の通信ポリシーの設定に用いる情報に基づいて、タググループの推奨通信ポリシーを決定する。通信ポリシー設定部２１６は、単独で推奨通信ポリシーを決定してもよく、他の無線通信装置２１０ｂの通信ポリシー設定部と調整して、推奨通信ポリシーを決定してもよい。そして、通信ポリシー設定部２１６は、推奨通信ポリシーを通信ポリシー設定規則として、通信ポリシーデータベース１６ａに格納する。以後、通信ポリシー設定部２１６は、その推奨通信ポリシーを、通信ポリシーとして設定できる。
【０５１４】
通信制御部２１７は、通信部１４ｄと無線通信部２１１ｂが提供情報や処理情報を中継している間、無線通信部２１１ｂと端末装置３０ａ，３０ｂが通信を継続できるか否かを判断する。そして、通信制御部２１７は、端末装置３０ａ，３０ｂの移動などにより、無線通信部２１１ｂが端末装置３０ａ，３０ｂとの通信を継続できなくなると判断した場合には、他の無線通信装置２１０ｂに、中継を引き継ぐことが可能か否かを問い合わせる。具体的には、通信制御部２１７は、中継に用いている送信制御情報、中継している提供情報や処理情報に関する情報、中継先の端末装置３０ａ，３０ｂに関する端末情報を含む問い合わせを、引継情報として、無線通信部２１１ｂに入力する。
【０５１５】
問い合わせを受けた無線通信装置２１０の通信制御部２１７は、引継可能か否かを判断する。具体的には、引継情報として問い合わせを受信した無線通信部２１１ｂが、受信した問い合わせを通信制御部２１７に入力する。通信制御部２１７は、取得した問い合わせに含まれる情報と、監視情報、測定情報、時間情報、無線通信装置情報などに基づいて、引継可能か否かを判断する。例えば、通信制御部２１７は、提供情報を送信するだけの空き通信リソース量があるか否かを判断して、引継可能か否かを判断する。通信制御部２１７は、判断結果を、問い合わせてきた無線通信装置２１０に通知する。具体的には、通信制御部２１７は、判断結果を引継情報として、無線通信部２１１ｂに入力する。
判断結果を取得した無線通信装置２１０の通信制御部２１７は、引継可能な無線通信装置２１０ｂに、引継を指示する。具体的には、引継情報として判断結果を受信した無線通信部２１１ｂが、受信した判断結果を通信制御部２１７に入力する。通信制御部２１７は、引継可能であるという判断結果の無線通信装置２１０ｂに対して、中継に用いている送信制御情報、中継している提供情報や処理情報に関する情報、中継先の端末装置３０ａ，３０ｂに関する端末情報を含む引継の指示を、引継情報として、無線通信部２１１ｂに入力する。尚、通信制御部２１７は、引継可能な無線通信装置２１０ｂが複数存在する場合には、最初に判断結果を受信した無線通信装置２１０ｂに引継を指示することができる。
【０５１６】
引継を指示された無線通信装置２１０ｂは、中継を引き継ぐ。具体的には、引継情報として引継の指示を受信した無線通信部２１１ｂは、引継の指示を通信制御部２１７に入力する。通信制御部２１７は、引継の指示に含まれる提供情報や処理情報に関する情報に基づいて、その提供情報や処理情報の送信の指示を、通信部１４ｄに入力する。そして、通信制御部２１７は、引継の指示に含まれる送信制御情報に基づいて、提供情報や処理情報の送信を制御する。尚、引継情報には、このような引継可能か否かの問い合わせ、その判断結果、引継の指示などがある。
【０５１７】
このように、他の無線通信装置２１０ｂが提供情報や処理情報を中継する際に設定した通信ポリシーに基づく送信制御情報に従って、通信部１４ｄ、無線通信部２１１ｂは、提供情報や処理情報を中継できる。
【０５１８】
このような無線通信装置２１０ａ，２１０ｂによれば、共有情報制御部２１４ａ，２１４ｂが、送信情報に基づいて、端末装置３０ａ、３０ｂ毎に送信予定情報を決定する。無線情報提供部２１２ａ，２１２ｂは、送信予定情報に基づいて無線情報を取得する。そして、無線通信部２１１ａ，２１１ｂが、取得した無線情報を送信する。そのため、無線通信部２１１ａ，２１１ｂは、他の無線通信部２１１ａ，２１１ｂや無線通信部２１１ａ，２１１ｂ自身による無線情報の送信に関する送信情報に基づいて、無線情報を送信することができる。よって、無線通信装置２１０ａ，２１０ｂは、他の無線通信部２１１ａ，２１１ｂや無線通信部２１１ａ，２１１ｂ自身が送信した無線情報を考慮して、より適切な無線情報を端末装置３０ａ，３０ｂに送信できる。
【０５１９】
更に、無線通信装置２１０ｂの通信ポリシー設定部２１６は、他の無線通信装置２１０ｂの通信ポリシー設定情報、設定情報に基づいて、通信ポリシーを決定し、設定できる。そのため、通信制御部２１７は、他の無線通信装置２１０ｂによる提供情報や処理情報の中継の際の通信ポリシーに基づいて、提供情報や処理情報を中継できる。よって、無線通信装置２１０ｂは、既に設定され、他の無線通信装置２１０ｂが用いている通信ポリシーを利用して、提供情報や処理情報を中継できる。その結果、例えば、無線通信装置２１０ｂは、ある端末装置３０ａ，３０ｂへの提供情報や処理情報の中継を、他の無線通信装置２１０ｂから容易に引き継ぐことができる。又、無線通信装置２１０ｂは、ある環境に適するように設定された通信ポリシーを、その環境においてそのまま利用でき、新たな通信ポリシーの設定を省略して、中継ができる。
【０５２０】
又、通信制御部２１７は、通信部１４ｄと無線通信部２１１ｂが提供情報や処理情報を中継している間に、無線通信部２１１ｂと端末装置３０ａ，３０ｂが通信を継続できなくなると判断した場合には、提供情報や処理情報の中継を他の無線通信装置２１０ｂに引き継ぐ。その際、引き継いだ無線通信装置２１０ｂは、他の無線通信装置２１０ｂが提供情報や処理情報を中継する際に設定した通信ポリシーに基づく送信制御情報に従って、提供情報や処理情報を中継する。
【０５２１】
そのため、複数の無線通信装置２１０ｂが、提供情報や処理情報を、途切れることなく継続して端末装置３０ａ，３０ｂに送信できる。しかも、引き継いだ無線通信装置２１０ｂは、既に設定され、他の無線通信装置２１０ｂが用いている通信ポリシーに基づく送信制御情報を利用して、提供情報や処理情報を中継できる。その結果、無線通信装置２１０ｂは、ある端末装置３０ａ，３０ｂへの提供情報や処理情報の中継を、他の無線通信装置２１０ｂから容易に引き継ぐことができる。
【０５２２】
〔管理サーバ〕
次に、図１に示した通信システム１において、管理サーバが、複数の無線通信装置間を制御する場合について説明する。図２４に示すように、管理サーバ２２０は、複数の無線通信装置１０ｃを制御する。制御する無線通信装置１０ｃは、任意の無線通信装置１０ｃであってもよく、同一のタググループに属する無線通信装置１０ｃであってもよい。
【０５２３】
管理サーバ２２０は、無線情報データベース２２と、無線情報提供部２２２ａと、ユーザ情報データベース２２３と、通信部２４と、提供情報特定部２５と、通信ポリシー設定部２２６と、通信ポリシーデータベース２６ａと、通信制御部２２７と、変換部２８ａと、リソース割当部２８ｂと、監視部２９ａと、時計部２９ｂと、管理サーバ情報記憶部２９ｃとを備える。無線情報データベース２２と、通信部２４と、提供情報特定部２５と、通信ポリシーデータベース２６ａと、変換部２８ａと、リソース割当部２８ｂと、監視部２９ａと、時計部２９ｂと、管理サーバ情報記憶部２９ｃは、図４と同様であるため、同一の符号を付して説明を省略する。
【０５２４】
ユーザ情報データベース２２３は、送信済み情報を、自装置送信済み情報と他装置送信済み情報とに分けずに記憶している以外は、図２２に示したユーザ情報データベース２１３と同様である。
【０５２５】
無線情報提供部２２２ａは、通信部２２４から、ユーザＩＤやパスワードを含む無線情報の送信の要求や、ユーザＩＤやパスワードの要求に対する応答を取得する。無線情報提供部２２２ａは、要求や応答に含まれるユーザＩＤに基づいて、ユーザ情報データベース２２３を検索する。そして、無線情報提供部２２２ａは、ユーザＩＤに対応付けられている送信予定情報を取得する。無線情報提供部２２２ａは、取得した送信予定情報に基づいて、無線情報データベース２２を検索し、無線情報を取得する。例えば、無線情報提供部２２２ａは、送信順序が早い無線情報や推奨度が高い無線情報を優先して、無線情報データベース２２から取得する。無線情報提供部２２２ａは、取得した無線情報を通信部２２４に入力する。
【０５２６】
次に、無線情報提供部２２２ａは、通信部２２４に入力した無線情報に関する情報を、無線通信装置１０ｃの送信済み情報として、その無線情報を送信する宛先の端末装置３０ａ，３０ｂのユーザＩＤに対応付けて、ユーザ情報データベース２２３に格納する。これにより、ユーザ情報データベース２２３の送信情報が、更新される。更に、無線情報提供部２２２ａは、送信情報、その他の端末情報に基づいて、端末装置３０ａ，３０ｂ毎に、無線情報の送信順番や推奨度を決定する。無線情報提供部２２２ａは、決定した無線情報の送信順番や推奨度を、送信予定情報として、ユーザＩＤに対応付けて、ユーザ情報データベース２２３に格納する。
【０５２７】
このように、無線情報提供部２２２ａは、複数の無線通信装置１０ｃのうち、いずれかが端末装置３０ａ，３０ｂに送信した無線情報を、同一の端末装置３０ａ，３０ｂに重複して送信することを防止でき、効率的に無線情報を送信できる。これらの点以外は、無線情報提供部２２２ａは、図４に示した無線情報提供部２２ａと同様である。
【０５２８】
通信ポリシー設定部２２６は、ある無線通信装置１０ｃと管理サーバ２２０との間で設定した通信ポリシーに基づいて、他の無線通信装置１０ｃとの間の通信ポリシーを設定することができる。例えば、通信ポリシー設定部２２６は、ある無線通信装置１０ｃとの間で設定した通信ポリシーを、そのまま、他の無線通信装置１０ｃとの間の通信ポリシーとして設定する。又、通信ポリシー設定部２２６は、ある無線通信装置１０ｃとの間に設定した通信ポリシーを基本にし、通信ポリシーの設定に用いる情報に基づいて、他の無線通信装置１０ｃとの間の通信ポリシーを設定する。
【０５２９】
又、複数の無線通信装置１０ｃがタググループを形成している場合、通信ポリシー設定部２２６は、タググループにおける推奨通信ポリシーを決定できる。例えば、通信ポリシー設定部２２６は、タググループに属する複数の無線通信装置１０ｃの通信ポリシー設定情報、設定情報に基づいて、タググループの推奨通信ポリシーを決定する。そして、通信ポリシー設定部２２６は、推奨通信ポリシーを通信ポリシー設定規則として、通信ポリシーデータベース２６ａに格納する。以後、通信ポリシー設定部２２６は、その推奨通信ポリシーを、通信ポリシーとして設定できる。
【０５３０】
通信制御部２２７は、通信部２４が無線通信装置１０ｃに提供情報や処理情報を送信し、提供情報や処理情報の中継を行っている間、その無線通信装置１０ｃと端末装置３０ａ，３０ｂが通信を継続できるか否かを判断する。例えば、通信制御部２２７は、通信部２４を介して、無線通信装置１０ｃから端末装置３０ａ，３０ｂとの通信状態を通知してもらうことにより、判断する。そして、通信制御部２２７は、端末装置３０ａ，３０ｂの移動などにより、無線通信装置１０ｃが端末装置３０ａ，３０ｂとの通信を継続できなくなると判断した場合には、提供情報や処理情報を送信する無線通信装置１０ｃを、他の無線通信装置１０ｃに切り替える。
【０５３１】
具体的には、通信制御部２２７は、中継に用いている送信制御情報、中継している提供情報や処理情報に関する情報、中継先の端末装置３０ａ，３０ｂに関する端末情報、監視情報、時間情報、無線通信装置情報などに基づいて、切り替え先の無線通信装置１０ｃを決定する。例えば、通信制御部２２７は、提供情報を送信するだけの空き通信リソース量がある無線通信装置１０ｃを切り替え先に決定する。通信制御部２２７は、決定した無線通信装置１０ｃに、提供情報や処理情報を送信するように、通信部２４を制御する。
【０５３２】
このような管理サーバ２２０によれば、無線情報提供部２２２ａが、送信情報に基づいて、端末装置３０ａ、３０ｂ毎に送信予定情報を決定する。無線情報提供部２２２ａは、送信予定情報に基づいて無線情報を取得する。そして、通信部２４が、取得した無線情報を無線通信装置１０ｃに送信する。そのため、管理サーバ２２０は、無線通信装置１０ｃに、他の無線通信装置１０ｃや無線通信装置１０ｃ自身が送信した無線情報を考慮したより適切な無線情報を端末装置３０ａ，３０ｂに送信させることができる。
【０５３３】
更に、管理サーバ２２０の通信ポリシー設定部２２６は、ある無線通信装置１０ｃと管理サーバ２２０との間で設定した通信ポリシーに基づいて、他の無線通信装置１０ｃとの間の通信ポリシーを設定することができる。そのため、管理サーバ２２０は、無線通信装置１０ｃに、既に設定され、他の無線通信装置１０ｃが用いている通信ポリシーを利用して、提供情報や処理情報を中継させることができる。その結果、管理サーバ２２０は、例えば、ある端末装置３０ａ，３０ｂへの提供情報や処理情報の中継を、他の無線通信装置１０ｃに容易に引き継がせることができる。又、管理サーバ２２０は、ある環境に適するように設定された通信ポリシーを、その環境においてそのまま利用でき、新たな通信ポリシーの設定を省略できる。
【０５３４】
又、通信制御部２２７は、通信部２４が無線通信装置１０ｃに提供情報や処理情報を送信し、提供情報や処理情報の中継を行っている間に、その無線通信装置１０ｃと端末装置３０ａ，３０ｂが通信を継続できなくなると判断した場合には、提供情報や処理情報を送信する無線通信装置１０ｃを、他の無線通信装置１０ｃに切り替える。そのため、管理サーバ２２０は、複数の無線通信装置１０ｃを用いて、提供情報や処理情報を、途切れることなく継続して端末装置３０ａ，３０ｂに送信させることができる。
【０５３５】
［第３の実施の形態］
次に、ポータルサーバを備える通信システムについて説明する。図２５に示すように、通信システム３０１は、複数の無線通信装置１０ａ〜１０ｄと、管理サーバ２０と、複数の端末装置３０ａ，３０ｂと、複数の配信サーバ４０ａ，４０ｂと、中継装置５０と、処理サーバ６０と、課金サーバ７０と、ポータルサーバ３００を備える。無線通信装置１０ａ〜１０ｄと、管理サーバ２０と、端末装置３０ａ，３０ｂと、配信サーバ４０ａ，４０ｂと、中継装置５０と、処理サーバ６０と、課金サーバ７０は、図１と同様である。
【０５３６】
ポータルサーバ３００は、配信サーバ４０ａ，４０ｂが提供する提供情報に関する情報や、処理サーバ６０が行う処理に関する情報を、端末装置３０ａ，３０ｂに提供する。又、ポータルサーバ３００は認証も行う。ポータルサーバ３００は、端末装置３０ａ，３０ｂと直接通信する場合と、中継装置５０を介して通信する場合がある。更に、ポータルサーバ３００は、配信サーバ４０ａ，４０ｂや処理サーバ６０から、提供情報に関する情報や処理に関する情報を取得し、ポータルサーバ３００に登録する。又、ポータルサーバ３００は、算出情報を課金サーバ７０に送信する。
【０５３７】
ポータルサーバ３００と、端末装置３０ａ，３０ｂ、配信サーバ４０ａ，４０ｂ、中継装置５０、処理サーバ６０、課金サーバ７０は、ネットワークを介して通信する。ネットワークの種類は、特に限定されない。例えば、ネットワークとしては、移動通信網、有線通信網、インターネット、専用線、仮想プライベートネットワーク、ＡＴＭ網、ＡＤＳＬ網、ＣＡＴＶ網、光ファイバ網、ＩＳＤＮ等を用いることができる。又、ネットワークは、公衆の通信網であってもよく、私設のローカル通信網であってもよい。
【０５３８】
図２６に示すように、ポータルサーバ３００は、通信部３１０と、認証部３２０と、ユーザ情報データベース３３０と、提供情報提示部３４０と、サービスリソースデータベース３５０と、登録部３６０とを備える。ユーザ情報データベース３３０は、図２（ｂ）に示したユーザ情報データベース１３と同様である。
【０５３９】
サービスリソースデータベース３５０は、提供情報に関する情報、処理に関する情報を記憶する。サービスリソースデータベース３５０は、コンテンツＩＤやサービスＩＤに対応付けて、その他の提供情報に関する情報や処理に関する情報を記憶する。通信部３１０は、端末装置３０ａ，３０ｂ、中継装置５０、配信サーバ４０ａ，４０ｂ、処理サーバ６０、課金サーバ７０と通信する。
【０５４０】
通信部３１０は、端末装置３０ａ，３０ｂから、特定情報として、提供情報に関する情報の提供の要求や、処理に関する情報の提供の要求を受信する。通信部３１０は、提供の要求を認証部３２０に入力する。提供の要求には、受信した無線情報、測定情報、位置情報、時間情報、端末情報、端末装置３０ａ，３０ｂと無線通信装置１０ａ〜１０ｄとの関係、通信料金、処理料金、設定された通信ポリシーなどが含まれる。尚、提供の要求には、少なくとも、受信した無線情報、ユーザＩＤ、パスワードが含まれる。
【０５４１】
認証部３２０は、提供情報ユーザ、処理ユーザの認証を行う。認証部３２０は、通信部３１０から、提供の要求を取得する。認証部３２０は、取得した提供の要求に含まれるユーザＩＤとパスワードが、ユーザ情報データベース３３０に記憶された提供情報ユーザや処理ユーザのユーザＩＤとパスワードと一致するかを判断して、認証を行う。認証部３２０は、ユーザＩＤとパスワードが一致する場合には、提供情報ユーザや処理ユーザであると判断する。この場合には、認証部３２０は、取得した提供の要求を、提供情報提示部３４０に入力する。
【０５４２】
一方、認証部３２０は、ユーザＩＤとパスワードが一致しない場合には、提供情報ユーザや処理ユーザではないと判断する。この場合には、認証部３２０は、取得した提供の要求を、提供情報提示部３４０に入力せずに破棄する。更に、認証部３２０は、端末装置３０ａ，３０ｂに対する提供情報ユーザ、処理ユーザとして認証できない旨の通知を、通信部３１０に入力する。通信部３１０は、端末装置３０ａ，３０ｂに認証できない旨の通知を送信する。尚、認証部３２０は、ユーザＩＤとパスワードが一致しない場合に、端末装置３０ａ，３０ｂに対して、再度、ユーザＩＤとパスワードを送信するよう指示してもよい。この場合には、認証部３２０は、再度認証を行う。認証部３１０により、提供情報の送信や処理の提供を提供情報ユーザや処理ユーザに制限できる。このように、認証部３１０は、提供情報制限手段として機能する。
【０５４３】
提供情報提示部３４０は、提供情報に関する情報、処理に関する情報を、端末装置３０ａ，３０ｂに提供する。提供情報提示部３４０は、認証部３２０から提供の要求を取得する。又、提供情報提示部３４０は、提供の要求に含まれるユーザＩＤに基づいて、ユーザ情報データベース３３０から端末情報を取得する。更に、提供情報提示部３４０は、配信サーバ４０ａ，４０ｂ、中継装置５０、処理サーバ６０に対する提供情報の特定に用いる情報の要求を、通信部３１０に入力する。通信部３１０は、提供情報の特定に用いる情報の要求を、配信サーバ４０ａ，４０ｂ、中継装置５０、処理サーバ６０に送信する。通信部３１０は、配信サーバ４０ａ，４０ｂ、中継装置５０、処理サーバ６０から、提供情報の特定に用いる情報を受信する。通信部３１０は、受信した情報を提供情報提示部３４０に入力する。
【０５４４】
提供情報提示部３４０は、取得した提供の要求に含まれる情報と、端末情報と、提供情報の特定に用いる情報に基づいて、サービスリソースデータベース３５０を検索し、端末装置３０ａ，３０に提供する提供情報や処理に関する情報を取得する。具体的には、提供情報提示部３４０は、受信した無線情報、測定情報、位置情報、時間情報、配信サーバ４０ａ，４０ｂと端末装置３０ａ，３０ｂとの間のネットワークの状況、配信サーバ４０ａ，４０ｂと端末装置３０ａ，３０ｂとの間の通信リソースの状況、処理サーバ６０と端末装置３０ａ，３０ｂとの間のネットワークの状況、処理サーバ６０と端末装置３０ａ，３０ｂとの間の通信リソースの状況、配信サーバ情報、中継装置情報、処理サーバ情報、端末情報、無線通信装置情報、管理サーバ情報、端末装置３０ａ，３０ｂと無線通信装置１０ａ〜１０ｄとの関係、通信料金、処理料金、設定された通信ポリシー、要求されるリアルタイム性などに基づいて、サービスリソースデータベース３５０から、提供する提供情報や処理に関する情報を取得する。
【０５４５】
提供情報提示部３４０は、取得した提供情報や処理に関する情報に、提供の要求をしてきた端末装置３０ａ，３０ｂの宛先アドレスを付加する。提供情報提示部３４０は、宛先アドレスを付加した提供情報や処理に関する情報を、通信部３１０に入力する。通信部３１０は、提供情報や処理に関する情報を端末装置３０ａ，３０ｂに送信する。
【０５４６】
登録部３６０は、提供情報に関する情報や処理に関する情報を、サービスリソースデータベース３５０に登録する。通信部３１０は、配信サーバ４０ａ，４０ｂや処理サーバ６０から、提供情報に関する情報や処理に関する情報を受信する。通信部３１０は、受信した提供情報や処理に関する情報を、登録部３６０に入力する。登録部３６０は、取得した提供情報や処理に関する情報に含まれるコンテンツＩＤやサービスＩＤに対応付けて、その他の提供情報や処理に関する情報を、サービスリソースデータベース３５０に格納する。又、登録部３６０は、配信サーバ４０ａ，４０ｂや処理サーバ６０に対する提供情報や処理に関する情報の要求を、通信部３１０に入力してもよい。この場合、登録部３６０は、要求に対して送信された提供情報や処理に関する情報を、サービスリソースデータベース３５０に格納する。
【０５４７】
提供情報提示部３４０、登録部３６０は、算出情報を通信部３１０に入力する。通信部３１０は、取得した算出情報を課金サーバ７０に送信する。例えば、ポータルサーバ３００と端末装置３０ａ，３０ｂとの間では、提供情報に関する情報の提供にかかる料金などが発生する。又、ポータルサーバ３００が、提供情報や処理に関する情報を提供することにより、提供情報や処理が端末装置３０ａ，３０ｂに利用される。よって、ポータルサーバ３００は、配信サーバ４０ａ，４０ｂや処理サーバ６０による提供情報や処理の提供と、端末装置３０ａ，３０ｂによる提供情報や処理の利用を仲介している。そのため、ポータルサーバ３００と、配信サーバ４０ａ，４０ｂや処理サーバ６０との間では、仲介料金などが発生する。よって、提供情報に関する情報の提供にかかる料金や仲介料金の算出に必要な情報が、算出情報として課金サーバ７０に送信される。
【０５４８】
尚、ポータルサーバ３００の通信部３１０は、配信サーバ４０ａ，４０ｂや処理サーバ６０と、端末装置３０ａ，３０ｂとの間や、中継装置５０と端末装置３０ａ，３０ｂの間や、中継装置５０と、配信サーバ４０ａ，４０ｂや処理サーバ６０との間で、提供情報や処理情報の中継を行ってもよい。又、ポータルサーバ３００は、ポータルサーバ３００自身が提供する提供情報を送信する情報送信装置として機能してもよい。その場合には、ポータルサーバ３００には、ポータルサーバ３００自身の提供情報のデータベース、そのデータベースから提供情報を取得し、通信部３１０に入力する情報提供部、ポータルサーバ３００を介した情報の送受信における通信ポリシーを決定し、設定する通信ポリシー設定部、ポータルサーバ３００を介した情報の送受信を、通信ポリシーに基づいて制御する通信制御部を設ける。そして、通信部３１０が、情報送信手段として機能する。更に、この場合、オブジェクト単位として、情報を、その情報を送信するポータルサーバ３００のような情報送信装置毎に区切る情報送信装置単位を用いることができる。
【０５４９】
このようなポータルサーバ３００によれば、認証部３１０が認証を行うことにより、提供情報の送信や処理の提供を提供情報ユーザや処理ユーザに制限できる。又、提供情報提示部３４０が、端末装置３０ａ，３０ｂに対して、提供情報や処理に関する情報を提供できる。そのため、端末装置３０ａ，３０ｂは、提供された提供情報や処理に関する情報に基づいて、容易に提供情報を特定することができる。又、配信サーバ４０ａ，４０ｂや処理サーバ６０は、ポータルサーバ３００に提供情報や処理に関する情報を登録した後は、自らが提供情報や処理に関する情報の提供を行う必要がない。そのため、配信サーバ４０ａ，４０ｂや処理サーバ６０は、制御負荷を軽減できる。
【０５５０】
［変更例］
本発明は、上記第１〜第３の実施の形態に限定されるものではなく、種々の変更が可能である。例えば、図２７に示すように、通信システムは、複数の無線通信装置１０と、複数の端末装置３０と、複数の配信サーバ４０と、中継装置２５０と、ネットワーク８０と、移動通信網９０とを備えるようにしてもよい。無線通信装置１０、端末装置３０、配信サーバ４０は、図１に示した無線通信装置１０ａ〜１０ｄ、端末装置３０ａ，３０ｂ、配信サーバ４０ａ，４０ｂと同様である。
【０５５１】
図２７に示すように、端末装置３０と、中継装置２５０は、動通信網９０を介して通信できる。移動通信網９０は、基地局９１と交換装置９２を備える。中継装置２５０と、配信サーバ４０とは、ネットワーク８０を介して通信できる。ネットワーク８０は、情報中継サーバ８１と、ストリーミングコンテンツ中継サーバ８２と、複数のアクセス中継装置８３ａ〜８３ｃと、インターネット８５ａ，８５ｂと、有線通信網８６ａ，８６ｂと、移動通信網８４とを備える。
【０５５２】
情報中継サーバ８１は、配信サーバ４０と中継装置２５０との間で、提供情報を中継する。情報中継サーバ８１は、配信サーバ４０と直接接続してもよく、インターネット８５ａや有線通信網８６ａを介して接続してもよい。ストリーミングコンテンツ中継サーバ８２は、配信サーバ４０と中継装置２５０との間で、ストリーミング送信される提供情報を中継する。ストリーミングコンテンツ中継サーバ８２は、配信サーバ４０と直接接続してもよく、インターネット８５ａや有線通信網８６ａを介して接続してもよい。このように、通信システムは、配信サーバ４０と中継装置２５０との間を中継する情報中継サーバ８１やストリーミングコンテンツ中継サーバ８２を備えるようにしてもよい。この場合、配信サーバ４０と情報中継サーバ８１との間、情報中継サーバ８１と中継装置２５０との間、配信サーバ４０とストリーミングコンテンツ中継サーバ８２との間、ストリーミングコンテンツ中継サーバ８２と中継装置２５０との間それぞれで通信ポリシーが設定される。
【０５５３】
アクセス中継装置８３ａは、配信サーバ４０とインターネット８５ｂとを接続する。アクセス中継装置８３ｂは、配信サーバ４０と有線通信網８６ｂとを接続する。アクセス中継装置８５ｃは、配信サーバ４０と移動通信網８４とを接続する。アクセス中継装置８３ａと中継装置２５０は、インターネット８５ｂを介して接続する。アクセス中継装置８３ｂと中継装置２５０は、有線通信網８６ｂを介して接続する。アクセス中継装置８３ｃと中継装置２５０は、交換装置８４ａと、基地局８４ｂと、移動通信端末８４ｃとを備える移動通信網８４を介して接続する。このように、通信システムは、配信サーバ４０と、インターネット８５ｂや有線通信網８６ｂ、移動通信網８４とを接続するアクセス中継装置８３ａ〜８５ｃを備えるようにしてもよい。そして、配信サーバ４０は、アクセス中継装置８３ａ〜８５ｃを介して、インターネット８５ｂや有線通信網８６ｂ、移動通信網８４に接続するようにしてもよい。この場合、配信サーバ４０とアクセス中継装置８３ａ〜８３ｃとの間、アクセス中継装置８３ａ〜８５ｃと中継装置２５０との間それぞれで通信ポリシーが設定される。
【０５５４】
中継装置２５０は、中継制御部２５１と、中継ゲートウェイ部２５２とを備える。中継制御部２５１は、通信ポリシー設定部２５１ａと、リソース割当部２５１ｂと、変換部２５１ｃと、監視部２５１ｄと、課金部２５１ｅと、課金データベース２５１ｆとを備える。通信ポリシー設定部２５１ａ、リソース割当部２５１ｂ、変換部２５１ｃ、監視部２５１ｄは、図９に示した通信ポリシー設定部５６、リソース割当部５８ｂ、変換部５８ａ、監視部５９ａと同様である。課金部２５１ｅ、課金データベース２５１ｆは、図１１に示した課金部７２、課金データベース７３と同様である。このように、中継装置２５０が課金を行ってもよい。
【０５５５】
中継ゲートウェイ部２５２は、ＨＴＴＰ通信制御部２５２ａと、ストリーミングコンテンツ映像通信制御部２５２ｂと、ＶｏＩＰ（Ｖｏｉｃｅ  Ｏｖｅｒ  Ｉｎｔｅｒｎｅｔ  Ｐｒｏｔｏｃｏｌ）通信制御部２５２ｃと、トンネリング通信制御部２５２ｄと、通信制御部２５２ｅとを備える。ＨＴＴＰ通信制御部２５２ａは、ＨＴＴＰを用いて送信される提供情報の送信を制御して、送信する。ストリーミング映像通信制御部２５２ｂは、ストリーミング送信される提供情報の送信を制御して、送信する。ＶｏＩＰ通信制御部２５２ｃは、ＶｏＩＰを用いて送信される提供情報の送信を制御して、送信する。トンネリング通信制御部２５２ｄは、通信路としてトンネルを確立して送信される提供情報の送信を制御して、送信する。通信制御部２５２ｅは、その他の提供情報の送信を制御して、送信する。このように、提供情報の送信に用いる通信プロトコルや提供情報の送信方法、確立する通信路毎に、提供情報の送信を制御し、送信する通信制御部を分けて設けるようにしてもよい。
【０５５６】
又、通信システムでは、セッションを、全て提供情報や処理情報の送信に用いる必要はなく、セッションの一部を特定情報や通信ポリシー設定情報の送受信、ネットワークの状況の監視などに用いてもよい。
【０５５７】
【発明の効果】
以上説明したように、本発明によれば、ユーザが、ユーザに適した情報を容易に取得でき、その情報を、情報の送信側や受信側が望む情報の単位毎に適した取り決めに従って送受信できる通信システム、端末装置、無線通信装置、情報送信装置、中継装置、管理サーバ及び通信方法を提供することができる。
【図面の簡単な説明】
【図１】本発明の第１の実施の形態に係る通信システムの構成を示すブロック図である。
【図２】本発明の第１の実施の形態に係る無線通信装置の構成を示すブロック図である。
【図３】本発明の第１の実施の形態に係る他の無線通信装置の構成を示すブロック図である、
【図４】本発明の第１の実施の形態に係る管理サーバの構成を示すブロック図である。
【図５】本発明の第１の実施の形態に係る端末装置の構成を示すブロック図である。
【図６】本発明の第１の実施の形態に係る他の端末装置の構成を示すブロック図である。
【図７】本発明の第１の実施の形態に係る配信サーバの構成を示すブロック図である。
【図８】本発明の第１の実施の形態に係る他の配信サーバの構成を示すブロック図である。
【図９】本発明の第１の実施の形態に係る中継装置の構成を示すブロック図である、
【図１０】本発明の第１の実施の形態に係る処理サーバの構成を示すブロック図である。
【図１１】本発明の第１の実施の形態に係る課金サーバの構成を示すブロック図である。
【図１２】本発明の第１の実施の形態に係る提供情報の送信を示すブロック図である。
【図１３】本発明の第１の実施の形態に係る提供情報の構成を示すブロック図である。
【図１４】本発明の第１の実施の形態に係る通信ポリシーの設定規則を示す図である。
【図１５】本発明の第１の実施の形態に係る他の通信ポリシーの設定規則を示す図である。
【図１６】本発明の第１の実施の形態に係る更に他の通信ポリシーの設定規則を示す図である。
【図１７】本発明の第１の実施の形態に係る通信ポリシーの設定から提供情報の送信までを示す図である。
【図１８】本発明の第１の実施の形態に係る通信ポリシーに基づいた提供情報の送信を示すブロック図である。
【図１９】本発明の第１の実施の形態に係る料金を示す図である。
【図２０】本発明の第１の実施の形態に係る料金算出規則を示す図である。
【図２１】本発明の第１の実施の形態に係る通信方法の手順を示すフロー図である。
【図２２】本発明の第２の実施の形態に係る無線通信装置の構成を示すブロック図である。
【図２３】本発明の第２の実施の形態に係る他の無線通信装置の構成を示すブロック図である。
【図２４】本発明の第２の実施の形態に係る管理サーバの構成を示すブロック図である。
【図２５】本発明の第３の実施の形態に係る通信システムの構成を示すブロック図である。
【図２６】本発明の第３の実施の形態に係るポータルサーバの構成を示すブロック図である。
【図２７】本発明の変更例に係る通信システムの構成を示すブロック図である。
【符号の説明】
１  通信システム
１０，１０ａ，１０ｂ，１０ｃ，１０ｄ，２１０ａ，２１０ｂ  無線通信装置
２０，２２０  管理サーバ
３０，３０ａ，３０ｂ  端末装置
４０，４０ａ，４０ｂ  配信サーバ
５０，２５０  中継装置
６０  処理サーバ
７０  課金サーバ
１１ａ，１１ｂ，１１ｃ，１１ｄ，３１ａ，３１ｂ，２１１ａ，２１１ｂ  無線通信部
１２  無線情報記憶部
１２ｂ，１２ｄ，２２ａ，２１２ａ，２１２ｂ，２２２ａ  無線情報提供部
１３，２３，４３，５３，６３，２１３，２２３，３３０  ユーザ情報データベース
１４ｃ，１４ｄ，２４，３４ａ，３４ｂ，４４ａ，４４ｂ，５４，６４，７１，３１０  通信部
１５，２５，３５，４５ａ  提供情報特定部
１６，２６，３６，４６，５６，２１６，２２６，２５１ａ  通信ポリシー設定部
１６ａ，２６ａ，３６ａ，４６ａ，５６ａ  通信ポリシーデータベース
１７，２７，３７ａ，３７ｂ，４７ａ，４７ｂ，５７，６７，２１７，２２７，２５２ｅ  通信制御部
１８，２８ａ，４８ａ，５８ａ，２５１ｃ  変換部
１９ａ，２９ａ，３９ａ，４９ａ，４９ｄ，５９ａ，６９ａ，２５１ｄ  監視部
１９ｂ，２９ｂ，３９ｂ，４９ｂ，５９ｂ，６９ｂ  時計部
１９ｃ  無線装置情報記憶部
１９ｄ，３２  測定部
２２  無線情報データベース
２８ｂ，４８ｂ，４８ｃ，５８ｂ，６８，２５１ｂ  リソース割当部
２９ｃ  管理サーバ情報記憶部
３３  ユーザ情報記憶部
３８，４５ｃ，５５，６５  通知部
３８ａ  入力部
３８ｂ  出力部
４１ａ，４１ｂ  提供情報提供部
４２  提供情報データベース
４５ｂ，３４０  提供情報提示部
４６ｂ，５６ｂ  設定条件制御部
４９ｃ，４９ｅ  配信サーバ情報記憶部
５９ｃ  中継装置情報記憶部
６１  処理データベース
６２  処理部
６９ｃ  処理サーバ情報記憶部
７２，２５１ｅ  課金部
７３，２５１ｆ  課金データベース
８０  ネットワーク
８１  情報中継サーバ８１
８２  ストリーミングコンテンツ中継サーバ
８３ａ，８３ｂ，８３ｃ  アクセス中継装置
８４，９０  移動通信網
８４ａ  ９２  交換装置
８４ｂ，９１  基地局
８４ｃ  移動通信端末
８５ａ，８５ｂ  インターネット
８６ａ，８６ｂ  有線通信網
２１４ａ，２１４ｂ  共有情報制御部
２５１  中継制御部
２５２  中継ゲートウェイ部
２５２ａ  ＨＴＴＰ通信制御部
２５２ｂ  ストリーミング映像通信制御部
２５２ｃ  ＶｏＩＰ通信制御部
２５２ｄ  トンネリング通信制御部
３００  ポータルサーバ
３２０  認証部
３５０  サービスリソースデータベース
３６０  登録部
【図１】
2004274170.tif 000003
【図２】
2004274170.tif 000004
【図３】
2004274170.tif 000005
【図４】
2004274170.tif 000006
【図５】
2004274170.tif 000007
【図６】
2004274170.tif 000008
【図７】
2004274170.tif 000009
【図８】
2004274170.tif 000010
【図９】
2004274170.tif 000011
【図１０】
2004274170.tif 000012
【図１１】
2004274170.tif 000013
【図１２】
2004274170.tif 000014
【図１３】
2004274170.tif 000015
【図１４】
2004274170.tif 000016
【図１５】
2004274170.tif 000017
【図１６】
2004274170.tif 000018
【図１７】
2004274170.tif 000019
【図１８】
2004274170.tif 000020
【図１９】
2004274170.tif 000021
【図２０】
2004274170.tif 000022
【図２１】
2004274170.tif 000023
【図２２】
2004274170.tif 000024
【図２３】
2004274170.tif 000025
【図２４】
2004274170.tif 000026
【図２５】
2004274170.tif 000027
【図２６】
2004274170.tif 000028
【図２７】
2004274170.tif 000029